(57)【特許請求の範囲】
【請求項１】
番組制作送出装置の番組制作支援部に備えられたデスク端末によつて、データベースサーバに登録されている放送局全体の放送番組に関する番組名、番組開始時刻、番組終了時刻及び番組放送時間の番組に関する番組データからなる番組構成ファイルを上記データベースサーバから読み出し、上記番組データに基づいて上記放送番組の内容を構成する複数の項目を設定し、上記複数の項目における項目開始時刻の順番に従つて上記項目毎に項目番号を付し、上記項目の項目名、上記項目開始時刻及び項目放送時間等と共に生成した一覧表を上記項目番号の順番に従つて上記画面上の上から下へ順次配列してなる番組構成一覧表を作成する番組構成表作成方法であつて、
上記デスク端末により、上記複数の項目のうち既に確定されている確定項目欄における上記項目名、上記項目開始時刻及び上記項目放送時間と、上記複数の項目のうち確定されていない未確定項目欄における上記項目名、上記項目開始時刻及び上記項目放送時間とを上記項目開始時刻の順番に従つて上から下へ順次一覧配列してなる上記番組構成一覧表を表示する第1のステツプと、
上記デスク端末により、２つの上記確定項目欄に挟まれた上記未確定の全項目欄に対して１つの枠番号を付した１つの確定枠帯を上記未確定の全項目欄に対応した表示欄の端部位置に上記項目の上記項目開始時刻の順番に従つて表示する第2のステツプと、
上記デスク端末により、上記確定枠帯に付した上記枠番号に対するそれぞれの残時間を残時間一覧として上記番組構成一覧表内の所定位置に表示する第3のステツプと
を具える
ことを特徴とする番組構成表作成方法。
【請求項２】
上記確定項目欄は、確定コマーシヤルの項目、系列放送局が製作した項目又は地方放送局が製作した項目が入力される
ことを特徴とする請求項１に記載の番組構成表作成方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態（図１〜図９６）
（１）ニユース番組制作送出装置（図１〜図２）
（１−１）ニユース番組制作送出装置の全体構成
（１−２）動作
（１−３）他の実施例
（２）ニユース番組作成から送出制御（図３〜図１０）
（２−１）マスタ室における切り換え送出
（２−２）番組構成表の作成
（２−３）番組構成表の作成手順
（２−４）動作
（２−５）他の実施例
（３）アンタイム・コマーシヤルの設定（図１１〜図１５）
（３−１）ＣＭ起動パルスの設定
（３−２）番組構成表によるアンタイム・コマーシヤルの設定
（３−３）アンタイム・コマーシヤルの設定手順
（３−４）動作
（３−５）他の実施例
（４）確定枠（図１６〜図１８）
（４−１）確定枠の設定
（４−２）確定枠の設定手順
（４−３）動作
（４−４）他の実施例
（５）番組構成表の入力／変更（図１９〜図２３）
（５−１）番組構成表の入力／変更の設定
（５−２）番組構成表の入力／変更手順
（５−３）動作及び効果
（５−４）他の実施例
（６）構成単位の運行モード（図２４〜図３２）
（６−１）構成単位の運行モードの選択及び表示
（６−２）構成時間の確定及び解除の手順
（６−３）動作
（６−４）効果
（６−５）他の実施例
（７）構成単位の開始時刻（図３３〜図３７）
（７−１）構成単位の開始時刻の確定及び表示
（７−２）構成時間の確定手順
（７−３）動作
（７−４）効果
（７−５）他の実施例
（８）ネクスト構成の変更（図３８〜図４０）
（８−１）構成の順序変更及び表示
（８−２）構成の順序変更手順
（８−３）動作
（８−４）効果
（８−５）他の実施例
（９）リハーサルの設定（図４１〜図４６）
（９−１）番組表によるリハーサル設定
（９−２）番組構成表によるリハーサル設定
（９−３）番組表によるリハーサル設定手順
（９−４）番組構成表によるリハーサル設定手順
（９−５）動作及び効果
（９−６）他の実施例
（１０）取材決定表等の画面表示（図４７〜図５１）
（１０−１）取材決定表等の画面表示
（１０−２）動作
（１０−３）効果
（１０−４）他の実施例
（１１）取材予定表の画面表示（図５２〜図５４）
（１１−１）取材予定表の画面表示
（１１−２）動作
（１１−３）効果
（１１−４）他の実施例
（１２）オンエア原稿（図５５〜図５８）
（１２−１）オンエア原稿の作成
（１２−２）オンエア原稿の作成手順
（１２−３）動作及び効果
（１２−４）他の実施例
（１３）ＯＡ尺表示（図５９〜図６５）
（１３−１）ＯＡ尺を用いた映像データの収録
（１３−２）ＯＡ尺を用いた映像データの収録手順
（１３−３）動作及び効果
（１３−４）他の実施例
（１４）クレジツト書き込み（図６６〜図７５）
（１４−１）素材作成管理部の構成
（１４−２）ニユース素材作成管理部の構成
（１４−３）オンエアサーバ管理端末における収録操作
（１４−４）オンエアサーバ管理端末における収録処理手順
（１４−５）オンエアサーバ管理端末における送出操作
（１４−６）オンエアサーバ管理端末における送出処理手順
（１４−７）動作及び効果
（１４−８）他の実施例
（１４−９）他の実施例における素材送り送出操作
（１５）ニユースビデオ素材の収録管理（図７６〜図８７）
（１５−１）ニユースビデオ素材の収録
（１５−１−１）オンエア素材の収録
（１５−１−２）プール素材の収録
（１５−１−３）汎用素材の収録
（１５−２）番組構成表の編集
（１５−３）キユーシートの編集
（１５−４）動作及び効果
（１５−５）他の実施例
（１６）ニユースビデオ素材の保管（図８８〜図９６）
（１６−１）ニユースビデオ素材の自動記録
（１６−２）一本化リストの編集
（１６−３）一本化リストの新規作成
（１６−４）動作及び効果
（１６−５）他の実施例
発明の効果
【０００３】
【従来の技術】
テレビジヨン放送局で制作される番組は、例えば報道部の場合、政治、経済、スポーツ芸能等の各項目によつて構成され、さらに各項目は放送される映像に応じた幾つかの構成によつて構成されている。テレビジヨン放送局では、これら番組を構成する項目、構成の内容及びその項目、構成の進行スケジユール等の情報を番組構成表に書き込み、当該番組構成表に従つて制作したニユース番組を番組表に基づいて作成されるキユーシートに従つて順次オンエア送出するようになされている。
【０００４】
一つの番組構成表には、構成の放送時刻が決められているいくつかの確定項目（又は構成）がある。この場合、二つの確定構成の間に挟まれた項目（又は構成）は開始時刻と終了時刻とが確定されたものになる。このような確定項目間において開始時刻と終了時刻とが確定された部分を確定枠という。
【０００５】
実際、番組構成表は、確定枠として割り当てられた時間枠にＶＴＲ(Video Tape Recorder) 等によるニユースビデオ素材（以下、これをＮＶ素材と呼ぶ）やカメラシヨツト映像等による構成を割り振ることによつて作成していく。
【０００６】
【発明が解決しようとする課題】
ところで従来、番組構成表は、ＮＶ素材等の構成を番組構成表の確定枠の残り時間が丁度、０秒になるように確定枠内に割り当て入力していくことにより作成している。
【０００７】
ところが番組構成表の構成には、確定構成、ＮＶ素材やカメラシヨツト等の名称が表示されているが何処から何処までの項目が一つの確定枠になつているか、又何処を一目で判別するのが難しいという問題がある。また番組構成表において、現在、入力作業中の確定枠がどれであるかということが判りにくいということがある。このため番組構成表に項目、構成の情報を入力する際に入力誤りが生じるおそれがあるという問題があつた。
【０００８】
本発明は以上の点を考慮してなされたもので、番組構成表の確定枠に容易に項目、構成等の情報を入力することのできる番組制作送出装置を提案しようとするものである。
【０００９】
【課題を解決するための手段】
かかる課題を解決するため本発明においては、番組制作送出装置の番組制作支援部に備えられたデスク端末によつて、データベースサーバに登録されている放送局全体の放送番組に関する番組名、番組開始時刻、番組終了時刻及び番組放送時間の番組に関する番組データからなる番組構成フアイルを上記データベースサーバから読み出し、番組データに基づいて放送番組の内容を構成する複数の項目を設定し、複数の項目における項目開始時刻の順番に従つて項目毎に項目番号を付し、項目の項目名、項目開始時刻及び項目放送時間等と共に生成した一覧表を項目番号の順番に従つて画面上の上から下へ順次配列してなる番組構成一覧表を作成する番組構成表作成方法であつて、デスク端末により、複数の項目のうち既に確定されている確定項目欄における項目名、項目開始時刻及び項目放送時間と、複数の項目のうち確定されていない未確定項目欄における項目名、項目開始時刻及び項目放送時間とを項目開始時刻の順番に従つて上から下へ順次一覧配列してなる番組構成一覧表を表示する第1のステツプと、上記デスク端末により、２つの上記確定項目欄に挟まれた上記未確定の全項目欄に対して１つの枠番号を付した１つの確定枠帯を上記未確定項目欄に対応した表示欄の端部位置に上記項目の上記項目開始時刻の順番に従つて表示する第2のステツプと、デスク端末により、確定枠帯に付した上記枠番号に対するそれぞれの残時間を残時間一覧として上記番組構成一覧表内の所定位置に表示する第3のステツプとを具えることにより、番組構成一覧表に表示される確定枠を確定枠帯によつて目視確認し得ると共に、各確定枠内の項目放送時間の残時間も目視確認できる。
【００１１】
【発明の実施の形態】
以下図面について、本発明の一実施例を詳述する。
【００１２】
（１）ニユース番組制作送出装置
（１−１）ニユース番組制作送出装置の全体構成
図１において、１は全体としてニユース番組制作送出装置を示し、報道部ＨＢ内においては、主にニユース番組を制作するためのニユース素材の発注や取材予定に関する管理を行うニユース番組制作支援部２、ニユース素材を作成管理するためのニユース素材作成管理部３、オンエア時、制作された番組をマスタ室４へ送出するための送出機器制御部５から構成され、これらニユース番組制作支援部２、ニユース素材作成管理部３、送出機器制御部５と、ニユース番組制作及び番組送出のために入力されるデータを保存するためのデータベースサーバ（ＤＢサーバ）７とを例えばイーサネツト（Ethernet）などのＬＡＮ（Local Area Network）８によつて互いに接続されている。報道部ＨＢ外においては、報道部ＨＢから離れた支社、支局及び記者クラブ等の支社／支局／クラブ端末６から構成されている。報道部ＨＢ内と外は、専用回線１３又は公衆回線１６を介して互いに接続されている。
【００１３】
ニユース番組制作装置１の報道局ＨＢ内でニユース番組制作支援部２は、実際に取材に出向く取材スタツフの勤務予定表を作成する勤務予定入力端末１０と、取材企画から取材予定、取材スタツフアサインといつた取材管理に関する情報を作成する取材管理端末１１と、報道局内で放送する「番組」の番組構成表等の番組作成に関する情報を入力するデスク端末１８とから構成されている。
【００１４】
ニユース素材作成管理部３は、実際の取材で得た素材を放送できる形態に編集するためのノンリニア編集機２６及びリニア編集機２０と、編集されたニユース素材を蓄積するためのオンエアサーバ部２２と、このオンエアサーバ部２２を制御するためのサーバ制御端末２３及び機器制御部２４と、このオンエアサーバ部２２を管理するためのオンエアサーバ管理端末２５から主に構成されている。
【００１５】
送出機器制御部５は、ニユース番組制作支援部２等から送出される番組放送に必要な、例えばニユース番組の項目／構成データなどといつた、番組データから電子キユーシートと呼ばれる実際のニユース番組の構成表を作成し、図１においてスイツチヤ／ミキサ３０といつた非制御機器を制御するための送出機器制御端末３１と機器制御部３２から構成されている。また、送出機器制御部５で作成された電子キユーシートデータはＬＡＮ８に接続されたキユーシート端末３９に表示される。
【００１６】
さらに、ニユース番組制作送出装置１は、ＬＡＮ８に接続されたＤＢサーバ７を有しこのサーバ内にはニユース番組制作に必要な番組構成表や番組データなどの情報が格納されている。
【００１７】
さらにニユース番組制作送出装置１は、オンエアサーバ部２２をＬＡＮ８を介して制御するためのオンエアサーバコントローラ端末９がＬＡＮ８に接続されている。
【００１８】
さらにニユース番組制作送出装置１は、取材記者が原稿を作成したりするための記者端末１５がＬＡＮ８に接続されている。ちなみに、この記者端末１５と支局／支社／クラブ端末６とはそれぞれのＴＡ（Terminal Adapter）１４から公衆回線網を介して互いに接続されており、ＬＡＮ８と支局／支社／クラブ端末６とはそれぞれのルータ１２から専用回線１３を介して互いに接続されている。
【００１９】
さらにニユース番組制作送出装置１は、ゲートウエイ４０を介し放送局内の地部局や他システム等に接続され例えば、実際に放送で使用される素材に特殊効果を施すためのコンピユータグラフイツクスを作成するＣＧセンタに接続され、また放送局内番組全体を司るマスタ室と接続されている。
【００２０】
さらにニユース番組制作送出装置１は、スイツチヤ／ミキサ３０にオンエアサーバ部２２のみならず緊急対策用の素材を送出するためのＶＴＲ３５やカメラ３８が接続されている。また放送用素材データは、このスイツチヤ／ミキサ３０から送出され、実際の放送に使用される。
【００２１】
次にニユース番組制作支援部２内の各構成について詳細に説明する。
【００２２】
まず勤務予定入力端末１０は、ニユース素材を取材する記者の勤務予定に関するデータを入力することで勤務予定表を作成し、完成された勤務予定表データＦＷをＬＡＮ８を介してＤＢサーバ７に送出する。この勤務予定表をもとに取材スタツフの取材予定を決定するようにする。
【００２３】
取材管理端末１１は図２に示されるように機材予定端末１１Ａと、取材予定端末１１Ｂと、取材スタツフ端末１１Ｃとから構成されている。
【００２４】
機材予定端末１１Ａは各支局／支社／クラブ端末６などから送出される取材計画の内容からスタツフ、資材を運搬するための自動車やカメラ等の取材に用いる各種機材の管理予定が書き込まれた機材管理データを読み出し、取材で使用される機材の決定を行う。取材計画の中からこの管理予定が書き込まれた取材管理データの内容を確認した後、この決定内容に応じて取材管理データの内容を更新してＤＢサーバ７に送出する。
【００２５】
取材予定端末１１Ｂは各支局／支社／クラブ端末６などから送出される取材計画の内容から例えば翌日の取材予定が書き込まれた取材予定データを読み出し、取材予定を決定する。取材計画の中からこの取材予定が書き込まれた取材データの内容を確認した後、この決定内容に応じて取材予定データの内容を更新してＤＢサーバ７に送出する。
【００２６】
取材スタツフ端末１１Ｃは各支局／支社／クラブ端末６などから送出される取材計画の内容から取材予定データを読み出し、実際に取材に出向く取材スタツフを決定する。この決定に応じ、各取材に出向く取材スタツフを割り当てた取材予定データの内容を更新してＤＢサーバ７に送出する。
【００２７】
次に図１に戻つてデスク端末１８は、マスタ室からゲートウエイ４０を介して送出されるニユース番組開始、終了時刻などといつた番組データからさらに取材原稿の校正を行う。
【００２８】
ニユース番組制作送出装置１において、各クライアント端末においては、勤務予定、取材管理、番組作成等の各目的に応じたアプリケーシヨン・ソフトウエアを用いて勤務予定フアイルＦＷ、取材管理フアイルＦＳ、番組フアイルＦＤ等を作成して、これらのフアイル・データをＬＡＮ８を通じてＤＢサーバ７に送出するようになされている。各クライアント端末は、データの入出力手段として複数のワークステイシヨン（又はパーソナルコンピユータ）を設けており、各ワークステイシヨンにはそれぞれ情報入力手段としてキーボード、マウス（図示せず）、また情報出力手段としてモニタ、プリンタ（図示せず）が設けられている。各クライアント端末は、ワークステイシヨンのもつこれらの情報入力手段及び情報出力手段を用いてＤＢサーバ７に登録された目的のフアイルに対してアクセスするようになされている。
【００２９】
また各クライアント端末との間でＬＡＮ８を通じてデータを受渡しするＤＢサーバ７は、データ受信部、データ送信部及びデータベースを有し、データベースに保存しているニユース番組制作のためのデータの内容を各クライアント端末にて最新のデータが入力される度にデータ受信部で受信して内容を最新のデータに書き換えて保存するとともに、書き換えられた最新のデータをデータ送信部より送信して各クライアント端末に反映するようになされている。
【００３０】
実際上ニユース番組制作支援部２においては、勤務予定入力端末１０にてニユース素材を取材する記者の勤務予定に関するデータを勤務予定表の所定入力欄に入力することによつて勤務予定表を作成し、完成された勤務予定表を勤務予定フアイルＦＷに変換して、当該勤務予定フアイルＦＷをＬＡＮ８を通じてＤＢサーバ７に送出する。この勤務予定表をもとに取材スタツフの取材予定を決定するようにする。
【００３１】
またニユース番組制作支援部２においては、図２に示すように取材管理端末１１の機材予定端末１１Ａにおいて、各支局／支社／クラブ端末６からＤＢサーバ７に送出される取材管理フアイルＦＳに書き込まれている取材予定表の内容を読み出し、その中でさらにスタツフ、資材を運搬するための自動車やカメラ等の取材に用いる各種機材の管理予定や取材スタツフの割り当て（スタツフアサイン）、出発時刻等の情報が書き込まれている取材予定フアイルを読み出して内容を確認した後、取材予定を決定する。そして決定内容に応じて取材管理フアイルＦＳの内容を更新して、当該取材管理フアイルＦＳをＬＡＮ８を通じてＤＢサーバ７に送出する。
【００３２】
さらに取材管理端末１１の取材予定端末１１Ｂ及び取材スタツフ端末１１Ｃにおいて、支局／支社／クラブ端末６からＤＢサーバ７に送出される取材管理フアイルＦＳをＬＡＮ８を通じて読み出し、この取材管理フアイルＦＳに書かれている例えば翌日の取材予定の内容を取材予定表から確認するとともに、新たに取材予定表のデータを変更又は追加入力することによつて翌日の取材予定を決定し、取材管理フアイルＦＳを更新した後、当該取材管理フアイルＦＳをＤＢサーバ７に送出する。
【００３３】
図１に示すように、各支局／支社／クラブ端末６側と報道部ＨＢ側とにそれぞれのルータ１２があり、それぞれのルータ１２は専用回線１３によつて接続されており、また各支局／支社／クラブ端末６側と報道部ＨＢ側とのそれぞれのＴＡ１４は、公衆回線１６によつて接続されている。
【００３４】
記者端末１５においては、各支局／支社／クラブ端末６から送出されてくる原稿や取材予定を支局／支社／クラブ端末６側のＴＡ１４、公衆回線１６、報道部側のＴＡ１４を介してＤＢサーバ７に送出する。また記者端末１５では、原稿作成、字幕スーパの発注、並びに字幕スーパ及び音声のオン／オフ・データの作成等の作業を行つてＬＡＮ８を通じて、これらのデータをＤＢサーバ７に送出するとともに、ＤＢサーバ７よりＬＡＮ８を通じて発注した字幕スーパや番組構成表を読み出して確認する。そして番組構成表をもとに「項目」に関する詳細データを入力して再びＤＢサーバ７に送出する。
【００３５】
さらにニユース番組制作支援部２のデスク端末１８においては、ニユース原稿を入力、校正したり、またＤＢサーバ７より読み出すオンエアサーバ部２２内の素材リストにより「素材」の進捗状況及び取材管理フアイルＦＳから取材情報を確認する等の作業を行う。さらにデスク端末１８においては、マスタ室４より送出されてくる放送局全体の放送番組に関する番組データＣ０をもとにして報道部ＨＢにおいて制作する「番組」の各「構成」の放送時刻及び放送時間等の番組データＣ１を決定して番組構成表に書き込み番組フアイルＦＤに変換し、当該番組フアイルＦＤをＬＡＮ８を通じてＤＢサーバ７に送出する。
【００３６】
またこのようにして作成された番組構成表等は、必要に応じてデスク端末１８に備付けられた、プリンタによつてプリントアウトすることができる。
【００３７】
ニユース番組制作送出装置１から送出される１日分のニユースは、複数の「番組」から構成され、当該各「番組」がキユーシートに書かれた放送時刻の順序に従つて順次送出される。また各「番組」は、例えば経済、政治等、ニユースの内容に応じた複数の「項目」から構成され、さらに「項目」は例えばスタジオ内のカメラ映像、ＶＴＲ(Video Tape Recorder) 、中継等、番組構成表の中では「構成」という単位で扱われている映像／音声からなる複数の「素材」から構成されている。
【００３８】
さらにニユース番組制作支援部２のデスク端末１８は、マスタ室４から送出される放送局全体の放送番組に関する番組データＣ０をＤＢサーバ７を経由して番組フアイルＦＤとして受け取る。番組データＣ０は、放送局全体で放送する放送番組の中で報道部ＨＢで制作する「番組」に関する番組情報であつて、番組を認識するための認識番号である番組ＩＤ(Identification)、番組名、番組開始時刻、番組終了時刻及び番組の放送時間等の番組情報からなる。
【００３９】
デスク端末１８においては、この番組フアイルＦＤの番組データＣ０をもとに番組構成表上において各「番組」情報を構成する「項目」情報を作成して、この「項目」情報を含む番組データＣ１を番組フアイルＦＤに変換してＬＡＮ８を通じてＤＢサーバ７に送出する。
【００４０】
ＤＢサーバ７は、番組フアイルＦＤのデータに基づいてキユーシートを作成し、作成されたキユーシートの番組データＣ１を送出機器制御部５に送出する。送出機器制御部５は、オンエア時、番組データＣ１に含まれる「構成」の送出情報に従つて「項目」情報に含まれる「構成」情報を順次消化し、マスタ室４へ送出する。
【００４１】
ここで実際に取材によりビデオテープ等に収録された「構成」の素材は、ニユース素材作成管理部３において、リニア編集機２０によつてテープ編集された後、取り込み用のＶＴＲ２１にセツトされ、複数のハードデイスクによつて構成されるオンエアサーバ部２２に送出される。またノンリニア編集機２６によつて「素材」である映像／音声データをノンリニア編集してオンエアサーバ部２２に転送するようにもなされている。ここでニユース素材作成管理部３のサーバ制御端末２３がＤＢサーバ７からオンエアサーバコントローラ端末９を介してキユーシートの番組データＣ１を受け取ると、当該番組データＣ１に基づいた機器制御部２４の制御によつてオンエアサーバ部２２の内部に格納してある目的「素材」をランダムアクセスするようになされている。
【００４２】
さらに機器制御部２４は、番組データＣ１に基づいてオンエアサーバ部２２においてランダムアクセスした目的「素材」の音声／映像データＳＶ１を順次、送出機器制御部５のスイツチヤ／ミキサ３０に送出するようになされている。
【００４３】
またニユース素材作成管理部３では、オンエアサーバ管理端末２５においてＤＢサーバ７より読み出す「番組」の素材リスト及びオンエアサーバ部２２内に実際に格納されている素材リストを比較参照し、この比較結果に基づいてオンエアサーバ部２２に格納されている「素材」を削除する。
【００４４】
さらにニユース素材作成管理部３においては、１日の放送終了後、オンエアサーバ管理端末２５よりサーバ制御端末２３に対して１本化の素材管理命令を出し、これをうけたサーバ制御端末２３は、機器制御部２４を介しオンエアサーバ部２２内に格納されている１日の放送のために用意された単数又は複数の「素材」を１本化してライブラリ２８に送出し、テープ等の記録媒体に記録して保存するようになされている。
【００４５】
送出機器制御部５において、送出機器制御端末３１はＤＢサーバ７よりキユーシートの番組データＣ１を受け取ると、当該番組データＣ１から番組の最小単位である「構成」を順次実行していくためのスイツチング情報を解読して機器制御部３２に送出する。ここで機器制御部３２はオンエアサーバ部２２に対してスイツチヤ／ミキサ３０に「構成」の映像／音声データＳＶ１の送出開始を命令するとともに、番組データＣ１に含まれるスイツチング情報に基づいてスイツチヤ／ミキサ３０を制御することによつて、スイツチヤ／ミキサ３０のスイツチング機能によつてマスタ室４に送出する「構成」の映像／音声データの送出タイミングを制御するようになされている。またこのときスイツチヤ／ミキサ３０のミキサ機能によつてアナウンサの音声やＶＴＲ素材の音声がミキシングされて送出される。
【００４６】
この送出機器制御部５において報道部員は、キユーシート端末３９によつてＤＢサーバ７より送出されるキユーシートの番組データＣ１を端末でモニタしながら、番組項目の緊急の入れ替え等が求められたとき、キユーシートの番組データＣ１を書き換える。
【００４７】
ここで機器制御部３２は、局内基準時計の基準時刻と同期されたクロツク３３を設けており、このクロツク３３から出力されるクロツク情報に基づいて送出機器制御部５から送出される「構成」の送出タイミングとマスタ室４における切り換え送出のタイミングと同期させて送出するようになされている。
【００４８】
また番組送出中において緊急に「番組」の構成を変更したり「構成」を追加する場合には、送出機器制御部５内のサブ内入力端末３４において番組構成表を編集してキユーシートの番組データＣ１を更新するようになされている。
【００４９】
また緊急取材によつて持ち込まれた緊急取材テープは、ＶＴＲ３５にセツトされ、機器制御部３２の制御によつて緊急取材テープに収録された「構成」データＳＶＵがスイツチヤ／ミキサ３０を介してマスタ室４へ送出されるようになされている。
【００５０】
また送出機器制御部５においては、コンピユータグラフイツクス編集部（ＣＧ編集部）３６によつて作成された静止画等の画像データＳＶ２を送出機３７を通じてスイツチヤ／ミキサ３０に送出し、機器制御部３２のスイツチング制御によつてマスタ室４へ送出されるようになされている。この場合、字幕スーパの発注や字幕スーパの並び等に関する情報は番組表及び番組構成表による番組データＣ０、Ｃ１に基づいてゲートウエイ４０を介して授受することによつて得られる。
【００５１】
送出機器制御部５は、この他にも報道部ＨＢのスタジオ内においてアナウンサ等を撮影するためのカメラ３８も機器制御部３２によつて制御するようになされている。この場合、カメラ３８によつて撮影された映像素材ＳＶ３はスイツチヤ／ミキサ３０を介してマスタ室４へ送出される。
【００５２】
マスタ室４は、ゲートウエイ４０を介してＬＡＮ８に接続し、キユーシートの番組データＣ０をＤＢサーバ７に送出するようになされている。ここで番組データＣ０に含まれるニユース関係以外の番組データはゲートウエイ４０によつてフイルタリングされ取り除かれる。さらにニユース番組制作送出装置１のＬＡＮ８は、ゲートウエイ４０を介して通信プロトコルの異なる、例えばラジオ放送局等のＬＡＮとも相互接続するようにしている。
【００５３】
（１−２）動作
以上の構成において、ニユース番組制作送出装置１においては、ニユースソースの取材予定を作成する場合、報道部員が取材管理端末１１にてＬＡＮ８を通じて取材管理フアイルＦＳを読み出すことによつて支局／支社／クラブ端末６から送出される各支局、支部、クラブの取材予定及び機材予定等を確認する。さらに報道部員は勤務予定フアイルＦＷを読み出して取材スタツフの勤務予定を確認し、これらの確認事項に応じて他の取材予定を追加入力して取材予定を決定すると、この決定された取材予定を取材管理フアイルＦＳに書き込んでＬＡＮ８を通じてＤＢサーバ７に送出する。
【００５４】
このように報道部員が取材管理端末１１にて取材管理フアイルＦＳ、勤務予定フアイルＦＷを読み出して取材記者、取材スタツフ、機材の予定を確認するようにしたことにより、取材記者、取材スタツフ、機材の予定をほぼリアルタイムで確認して取材予定を決定することができる。
【００５５】
また番組構成表を作成する場合、報道部員はニユース番組制作支援部２のデスク端末１８にて、ＬＡＮ８を通じて取材管理フアイルＦＳを読み出して取材情報を確認するとともに、オンエアサーバ部２２内の素材リストを読み出して「素材」の進捗状況を確認して、マスタ室４より送出される番組表に基づいて報道部の番組構成表を作成する。これにより報道部員はほぼリアルタイムで取材情報、「素材」の進捗状況を確認して番組構成表を作成することができる。
【００５６】
さらに報道部員はＬＡＮ８を通じて支局／支社／クラブ端末６、記者端末１５から送出される原稿を読み出してニユース原稿を入力、校正するようにしたことによつて必要な情報を確実かつ迅速に手に入れてニユース原稿を作成することができる。
【００５７】
また取材記者の取材予定や取材原稿は、支局／支社／クラブ端末６よりＬＡＮ８を通じてＤＢサーバ７に送出され、これにより報道部員はニユース番組制作支援部２にて確実かつ高速に取材記者の取材予定や取材原稿を受け取ることができる。
【００５８】
また報道部ＨＢで制作した「番組」を実際に送出する場合、取材によりビデオテープ等に収録した「素材」を、ニユース素材作成管理部３において、リニア編集機２１によつてテープ編集した後、一旦取り込み用のＶＴＲ２０に取り込み、オンエアサーバ部２２に送出する。このときニユース素材作成管理部３のサーバ制御端末２４によつてＤＢサーバ７からオンエアサーバコントローラ端末９を介してキユーシートの番組データＣ１を受け取り、当該番組データＣ１に基づいて機器制御部２４の制御によりオンエアサーバ部２２の内部に格納してある目的「素材」の音声／映像データＳＶ１をランダムアクセスして順次、送出機器制御部５に送出する。
【００５９】
このようにデスク端末２１において作成した番組構成表をＬＡＮ８を通じてＤＢサーバ７に送出し、当該ＤＢサーバ７においてキユーシートの番組データＣ１に変換してＬＡＮ８を通じてニユース素材作成管理部３のサーバ制御端末２３に送出するようにしたことにより、キユーシートの番組データＣ１を確実かつ高速にニユース素材作成管理部３に送出し得る。
【００６０】
このとき同時に送出機器制御部５は、ＤＢサーバ７よりＬＡＮ８を通じて送出機器制御端末３１にてキユーシートの番組データＣ１を受け取る。そして送出機器制御部５は、キユーシートの番組データＣ１に従つて機器制御部３３によりスイツチヤ／ミキサ３０を切り換え制御することによつて「番組」の「構成」をマスタ室４へ送出する。
【００６１】
このようにデスク端末２１において作成した「項目」情報及び「構成」情報の付加された番組構成表をＤＢサーバ７においてキユーシートの番組データＣ１に変換した後、ＬＡＮ８を通じてニユース素材作成管理部３及び送出機器制御部５に送出するようにしたことにより、ニユース素材作成管理部３及び送出機器制御部５ではそれぞれキユーシートの番組データＣ１を確実かつ高速に授受して共有することができる。
【００６２】
かくしてニユース素材作成管理部３及び送出機器制御部５においてはキユーシートの番組データＣ１を確実かつ高速に授受し得、作業の混乱を未然に防ぐことができるとともに、制作した「番組」を効率良く送出し得る。
【００６３】
以上の構成によれば、ＤＢサーバ７と各クライアント端末間の情報の受渡しをＬＡＮ８を通じて行うようにしたことにより、各クライアント端末にて作成した情報を報道部ＨＢ内の全てのクライアント端末において確実かつ高速に受け取ることができ、これによりニユース番組を制作するとき及び制作番組をマスタ室４へ送出するときの作業効率を向上し得る。
【００６４】
また上述の実施例によれば、放送局の報道部と離れて設置された放送局の支社、支局又はクラブでなる支局／支社／クラブ端末６を専用回線１３又は公衆回線１６によつてニユース番組制作送出装置１のＬＡＮ８に接続したことにより、支社、支局等からの取材情報を確実かつ高速に放送局の報道部ＨＢにおいて得ることができる。
【００６５】
また上述の実施例によれば、他システムのネツトワークをゲートウエイ４０等のインターフエイスを介してニユース番組制作送出装置１のＬＡＮ８に接続したことにより、ニユース番組制作送出装置１において作成された番組素材の作成情報及び送出情報を容易に他システムに転送することができる。
【００６６】
（１−３）他の実施例
なお上述の実施例においては、報道部においてニユース番組を制作して、制作番組をマスタ室４へ送出する場合について述べたが、本発明はこれに限らず、例えばドラマやドキユメンタリを制作する制作部において番組を制作して送出する場合に適用しても良い。これにより上述の実施例と同様の効果を得ることができる。
【００６７】
また上述の実施例においては、ニユース番組制作支援部２の勤務予定端末１０において勤務予定フアイルＦＷを参照し、取材管理端末１１において取材管理フアイルＦＳを参照、作成し、またデスク端末１８において番組構成フアイルＦＤを参照、作成した場合について述べたが、本発明はこれに限らず、各勤務予定フアイルＦＷ、取材管理フアイルＦＳ、番組構成フアイルＦＤはそれぞれ勤務予定端末１０、取材管理端末１１又はデスク端末１８のどの端末において参照、作成しても良く、さらに各フアイルを作成するためのソフトウエアさえもつていれば、記者端末１５を含むＬＡＮ８に接続される全ての端末において目的のフアイルをＤＢサーバ７より読み出すことによつて参照し、作成することができる。
【００６８】
これにより報道部員はニユース番組制作送出装置１内において、どの端末からでも各種フアイルの参照、作成することができ、報道部員は作業場所に無関係に自由に移動してニユース番組制作及び番組送出に関する作業をすることができる。
【００６９】
また上述の実施例においては、オンエアサーバ部２２を複数のハードデイスクで構成した場合について述べたが、本発明はこれに限らず、例えばＤＶＤ(Digital Versatile Disc)等のデイスク記録媒体や半導体メモリを用いても良く、要はランダムアクセス可能な記録媒体であれば良い。
【００７０】
さらに上述の実施例においては、ニユース番組制作送出装置１をイーサネツトでなるバス型のＬＡＮ８によつて接続した場合について述べたが、本発明はこれに限らず、ニユース番組制作送出装置１をスター型やリング型のネツトワークによつて接続するようにしても良い。
【００７１】
（２）ニユース番組作成から送出制御
（２−１）マスタ室における切換え送出
図３に示すようにマスタ室４は「番組」を構成する各「項目」をオンエアするとき、他の番組制作部から供給される「番組」の各「項目」の送出信号を放送スケジユールに基づいて切り換えて送出するものである。このマスタ室４には放送局内のニユース番組を制作する報道部ＨＢの他にドラマ、ドキユメンタリ等を制作する制作部５１、ＣＭ(Commercial)素材を蓄積してあるＣＭバンク５２、各種番組素材を蓄積してある番組バンク５３や系列放送局ＮＥＴ等からの素材情報の送信ラインが接続されている。
【００７２】
マスタ室４、報道部ＨＢ、制作部５１、ＣＭバンク５２、番組バンク５３及び系列放送局ＮＥＴは、それぞれ放送局内の基準時刻と時刻合わせされた局内基準時計をもつている。報道部ＨＢの場合、クロツク３３（図１）を局内基準時計としてもつている。
【００７３】
マスタ室４は、報道部ＨＢ、制作部５１、ＣＭバンク５２、番組バンク５３及び系列放送局ＮＥＴ等から供給される「番組」又はコマーシヤルを放送局の１日の放送スケジユールに従つて局内基準時計による基準時刻に同期させて、地方局ＬＯＣＡＬ又は系列放送局ＮＥＴに切り換えてオンエア送出するようになされている。
【００７４】
図１に示すようにニユース番組制作支援部２においては、マスタ室４よりＬＡＮ８を会してＤＢサーバ７に送信される番組データＣ０のフアイル、番組構成フアイルＦＤをデスク端末１８にて読み出し、番組構成フアイルＦＤに記録されている番組データＣ０を番組表又は番組構成表のデータとして編集用の画面内に表示する。
【００７５】
デスク端末１８では、番組表において所定の番組の番組データＣ０を選択し、当該番組データＣ０に対して番組構成表において項目、構成、コマーシヤルの送出タイミング等を設定することにより番組データＣ１を作成して、当該番組データＣ１を番組構成表フアイルＦＤに変換してＤＢサーバ７に登録する。
【００７６】
このようにしてＤＢサーバ７に登録された番組データＣ１は、送出機器制御部５の送出機器制御端末３１によつて読み出される際にキユーシートデータに変換される。
【００７７】
報道部ＨＢでは、デスク端末１８にて作成した番組データＣ１をもとに作成した「番組」を構成する各「項目」の送出順を記したキユーシートデータに基づいて各「項目」をマスタ室４に送出する。
【００７８】
図４に示すように、報道部ＨＢより「番組」の各「項目」をマスタ室４に送出する場合、報道部員はコンソール（図示せず）にて各「項目」の送出状態をモニタしながら、各「項目」を構成する「構成」を切り換える所定のタイミングでトリガ５５のテイクスイツチ（ＴＡＫＥスイツチ）を押すようにしている。このように「構成」を切り換える所定のタイミングでのＴＡＫＥスイツチの押入力操作により、トリガ５５より送出機器制御部５の機器制御部３２に対してパルス性のコントロール信号ＳＣ１を送出するようにしている。
【００７９】
機器制御部３２は、キユーシートデータに基づいて発信されるコントロール信号ＳＣ１のタイミングトリガを受信すると、当該タイミングトリガに応じて、オンエアサーバ部２２、カメラ３８スイツチヤ／ミキサ３０等の各送出機器に対してコントロール信号ＳＣ２を送出する。
【００８０】
この結果、コントロール信号ＳＣ２に従つてオンエアサーバ部２２、カメラ３８から各「構成」に応じた「番組」の素材情報、映像素材ＳＶ１、ＳＶ３が次々とスイツチヤ／ミキサ３０に送出される。スイツチヤ／ミキサ３０は、映像素材ＳＶ１、ＳＶ３に音声情報をミキシングした後、スイツチング制御することによつて各素材情報をマスタ室４へと送出し、これにより番組を次々と進行させる。
【００８１】
このとき送出機器制御部５に設けられたキユーシート端末３９のモニタにおいては、キユーシートの項目データが上から下へ送出順で表示される。例えば最上欄の項目データ「アンタイムＣＭ１」が送出されると、「アンタイムＣＭ１」の表示が逆スクロールにより画面上から消え、以下に続く「アンタイムＣＭ２」、「確定ＣＭ１」の項目データが次々と逆スクロールにより表示される。
【００８２】
（２−２）番組構成表の作成
番組構成表は、ニユース番組制作支援部２のデスク端末１８において、番組構成表作成用のアプリケーシヨン・ソフトウエアを用いて作成される。
【００８３】
すなわち番組構成表作成用のアプリケーシヨン・ソフトウエアによつて、まずＤＢサーバ７に登録されている番組構成フアイルＦＤを読み出し、当該番組構成フアイルＦＤの番組データＣ０を番組表又は番組構成表のデータとして画面上に表示してデータを入力／変更することによつて作成する。
【００８４】
図５に示すように番組表６０は、編集用の画面６０Ａに画面表示され、番組名を表示する番組名欄６１、番組開始時刻を表示する番組開始時刻欄６２、番組終了時刻を表示する番組終了時刻欄６３、番組の放送時間を表示する放送時間欄６４が設けられている。また番組名欄６１の隣欄には、各番組名に対応させて各「番組」の放送順に付される番組番号が表示される番組番号欄６５（「NO. 」）が設けられている。
【００８５】
さらに番組表６０には、「番組」の運行モードを表示する運行モード欄６６、「番組」の責任者名を表示するデスク欄６７、ローカルＬＯＣＡＬ又はネツトＮＥＴへ送出するときの切り換え先に関する情報を表示するローカル／ネツト欄６８、オンエア済か否かを示す「状況」欄６９、コンピユータグラフイツクに関する情報を表示するＣＧ欄７０、完了パケツトに関する情報を表示する「完パケ」欄７１が設けられている。
【００８６】
番組構成表作成用のアプリケーシヨン・ソフトウエアは、画面に番組表６０を表示する際、当該番組表６０の上側の表示部６０Ｂに番組表であることを表示すると共に、番組の放送日を表示するようにしている。さらに表示部６０Ｂの下側には設定ボタン７２として、例えば登録ボタン、入力ボタン、番組起動ボタン、番組終了ボタン、リハーサルボタン等の各種設定ボタンを設けている。
【００８７】
また番組表６０と共に表示される編集用の画面６０Ａには、メニユー、フアイル、編集、表示、起動／終了又はリハーサルを選択するためのメニユーバー８０Ａ、勤務表を選択して表示するための勤務表選択ボタン８１、取材予定表を選択して表示するための取材予定表ボタン８２、取材スタツフ表を選択して表示するための取材スタツフボタン８３、原稿作成画面を選択して表示するための原稿ボタン８４、番組表を表示するための番組作成ボタン８５、取材項目をキーワードを用いて検索するための検索ボタン８６、度々オンエアされる番組を事前に番組登録するための番組登録ボタン８７、構成パターン等を事前設定するための事前設定ボタン８８等を設けている。
【００８８】
さらに画面６０Ａの最下欄には編集機能に対応したフアンクシヨンキーボタン９０として、例えば、入力データを削除するための削除ボタン、入力されたデータを複写するための複写ボタン、一つ前の処理に戻すためのアンドウボタン、入力データを登録するための登録ボタンを設けると共に、エラーメツセージ等を表示するためのメツセージ欄９２を設けている。
【００８９】
デスク端末１８においては、番組表６０を通じて「番組」を選択した後、選択した「番組」の番組データＣ０を番組構成表９５にデータ表示し、当該番組構成表８０を用いて「番組」に対して「項目」及び「構成」を設定する。
【００９０】
図５との対応部分に同一符号を符号して示す、図６において番組構成表９５は、編集用の画面９５Ａと共に画面表示され、「番組」の各項目名を表示する項目名欄９６、各項目名に対応する項目番号を表示する項目番号欄９７（「NO. 」）、各「項目」毎の開始時刻及び項目時間を表示する「開始時刻／時間」欄９８、構成の放送時間（以下、単に構成時間と呼ぶ）を表示する構成時間欄９９、「構成」情報として「構成」の映像の種類を表示する映像欄１００等の表示部を設けている。さらに番組構成表９５には、キー情報を表示する「Ｋｅｙ」欄１０１、特殊効果に関する情報を表示する効果欄１０２、音声に関する情報を表示する音声欄１０３、音声のミキシングに関する情報を表示するＭＩＸ欄１０４、字幕スーパに関する情報を表示するスーパー欄１０５が設けられている。因みに「開始時刻／時間」欄９８に設定される各「項目」毎の開始時刻及び項目の時間は、一つ前の項目の開始時刻及び構成時間より自動的に設定される。
【００９１】
また番組構成表９５の右隣には番組構成表９５の項目の表示範囲に対応した構成の開始時刻を確定するための確定時刻告知欄１０６が設けられている。
【００９２】
また番組構成表のアプリケーシヨン・ソフトウエアは、番組構成表９５を表示する際、当該番組構成表９５の上側の表示部９５Ｂに画面が番組構成表であることを表示すると共に、番組の名称、番組の放送日、運行モード、番組の送出先、編集中の確定枠の残時間を表示するようにしている。
【００９３】
さらに表示部９５Ｂの下欄には編集用の設定ボタン１０７として、例えば番組に対して設定した項目を登録するための登録ボタン、表示画面を印刷する印刷ボタン、取材項目を表示するための取材項目ボタン、没にする項目を設定するための没予備ボタン、汎用パターンを設定するための汎用パターンボタン、ＮＶ素材を設定するためのＮＶボタン、素材一覧を表示するための素材一覧ボタン、項目グループを設定するための項目グループボタン、確定項目に関する設定ボタン、コマーシヤル起動パルスに関する設定ボタン及び構成時間を調整するための「構成」を設定するための「クッション」ボタン等を設けている。
【００９４】
また番組構成表９５と共に表示される編集用の画面９５Ａには、メニユー、フアイル、編集、項目／素材、特殊指定、リハーサル又はプレビユー等の機能を選択するためのメニユーバー８０Ｂを設けると共に番組表６０と同様に、勤務表を選択して表示するための勤務表選択ボタン８１、取材予定表を選択して表示するための取材予定表ボタン８２、取材スタツフ表を選択して表示するための取材スタツフボタン８３、原稿作成画面を選択して表示するための原稿ボタン８４、番組表を表示するための番組作成ボタン８５、取材項目をキーワードを用いて検索するための検索ボタン８６、度々オンエアされる番組を事前に番組登録するための番組登録ボタン８７、構成パターン等を事前設定するための事前設定ボタン８８等を設けている。
【００９５】
さらに番組構成表９５と共に表示される画面９５Ａの最下欄には番組構成表９５の編集に用いるための機能を設定したフアンクシヨンキーボタン１０８として、番組表６０と共に表示される画面６０Ａと同様に入力データを削除するための削除ボタン、入力されたデータを複写するための複写ボタン、一つ前の処理に戻すためのアンドウボタン、入力データを登録するための登録ボタン及びメツセージ欄９１を設ける他、「項目」又は「構成」を挿入、追加するためのボタン、ＮＶ(News Video)素材を挿入、追加するためのボタンを設けている。
【００９６】
ここでデスク端末１８において番組構成表９５に「項目」及び「構成」を設定する場合、番組表８０内の編集目的の「番組」を選択した後、図７に示すように番組構成表９５を読み出して設定ボタン１０７の内、取材項目を表示するための取材項目ボタン１０７Ａをクリツクすることによつて、取材項目ポツプアツプ１１０及び構成パターンポツプアツプ１１１を表示するようにする。ここで例えば項目「２．ヘツドライン２」と項目「３．ＣＭキユーカツト」の間に「１．春便りマザー牧場」の項目構成を作成する場合、まず取材項目ポツプアツプ１１０の取材項目「１．春便りマザー牧場」１１０Ａを選択する。この場合、「春便りマザー牧場」の行をクリツクすると行が色変わりして選択行が他の行と視覚上区別される。これにより「番組」について報道部ＨＢで作成した各「項目」情報を入力することができる。
【００９７】
次に構成パターンポツプアツプ１１１により、例えば「３．カメラ＋ＮＶ」１１１Ａを選択する。この場合、「３．カメラ＋ＮＶ」１１１Ａの行をクリツクすると行が色変わりして選択行が他の行と視覚上区別される。ここで番組構成表９５の項目「２．ヘツドライン２」１１２Ａを選択すると、図８に示すように、番組構成表９５に「３．春便りマザー牧場」１１２Ｂの項目構成が入力される。この場合、項目「２．ヘツドライン２」１１２Ａの一つ後の項目「３．ＣＭキユーカツト」１１２Ｃは「４．ＣＭキユーカツト」１１２Ｄとなる。
【００９８】
このようにしてデスク端末１８において、番組構成表作成用のアプリケーシヨン・ソフトウエアを用いて番組構成表９５に「項目」及び「構成」を設定することによつて、番組データＣ０に対して「項目」情報及び「構成」情報を付加した番組データＣ１を作成することができる。番組データＣ１は、番組構成フアイルＦＤに変換されＤＢサーバ７に登録される。
【００９９】
ここで送出機器制御部５においては、ＤＢサーバ７において番組データＣ１から変換したキユーシート・データをＬＡＮ８を通じてキユーシート端末３９に読み出し、キユーシート・画面データをもとにキユーシート表示用のアプリケーシヨン・ソフトウエアを用いて、図９に示すようなキユーシート画面１１５を作成すると共に、当該キユーシート画面１１５に番組データＣ１に基づいた項目名及び「項目」の開始時刻及び終了時刻、構成時間、さらにコマーシヤル項目の開始時刻及び終了時刻等のキユーシート・データの内容を表示する。
【０１００】
（２−３）番組構成表の作成手順
ニユース番組制作送出装置１においては、マスタ室４より送出される番組データＣ０をもとにしたニユース番組の番組構成表を図１０に示すような番組構成表の作成手順に従つて作成する。
【０１０１】
まずステツプＳＰ１において、ゲートウエイ４０のもつ受信データの重複判定用のアプリケーシヨン・ソフトウエアによつて受信状態を初期設定する。次にステツプＳＰ２においてゲートウエイ４０は、マスタ室４より送出される番組データＣ０を受信するまでキユーシートの番組データＣ０の受信処理を繰り返し実行する。
【０１０２】
ゲートウエイ４０は番組データＣ０を受信すると、次のステツプＳＰ３に移つて受信した番組データＣ０による番組の放送時刻とＤＢサーバ７に既に登録されている番組の放送時刻とを比較して、放送時刻に重複があるか否かを判定する。ここでゲートウエイ４０は、後で受信した番組データＣ０による番組の放送時刻とＤＢサーバ７に既に登録されている番組の放送時刻に重複があると判定した場合、処理をステツプＳＰ４に移して、受信した番組データＣ０の放送時刻が既にＤＢサーバ７に登録されている番組の放送時刻に重複していることをランプやブザ等の所定のエラー表示手段によつてデスク端末１８に知らせる。さらにマスタ室４に対しても異常であることをランプやブザー等によつて知らせた後、ステツプＳＰ２に戻る。このようにランプやブザー等によつてエラーを知らせるようにしたことにより、例えばデスク端末１８においてモニタが動作していない場合においても、報道部員が番組データＣ０登録時の放送時刻の重複エラーを検知し得るようになされている。
【０１０３】
またゲートウエイ４０は、ステツプＳＰ３において、受信した番組データＣ０による放送時刻が既にＤＢサーバ７に登録されている番組の放送時刻に重複していないと判定された場合、処理をステツプＳＰ５に移し、以前にエラー表示が表示されている場合は、当該エラー表示を消した後、次のステツプＳＰ６に移る。
【０１０４】
ステツプＳＰ６において、ゲートウエイ４０は受信した最新の番組データＣ０が既にＤＢサーバ７に登録されている受信済の番組データＣ０と重複するか否かを番組ＩＤを比較することによつて判定する。ここで受信した番組データＣ０が受信済の番組データＣ０と重複している場合、ゲートウエイ４０の処理をステツプＳＰ７に移し、ゲートウエイ４０は受信済の番組データＣ０に受信した最新の番組データＣ０を上書きする。
【０１０５】
またステツプＳＰ６において、最新の番組データＣ０が未受信番組データであると判別した場合は、次のステツプＳＰ８において最新の番組データＣ０に基づいて新規の番組を自動作成する。
【０１０６】
ステツプＳＰ９においてゲートウエイ４０は上書きされた番組又は新規作成された番組データＣ０をもとにした番組構成フアイルＦＤをＤＢサーバ７内のデータベースに登録する。このようにして番組データＣ０の登録処理が終了すると、ゲートウエイ４０は再びステツプＳＰ２の番組データＣ０の受信状態に戻る。
【０１０７】
このようにして番組データＣ０の番組構成フアイルＦＤへの登録が完了すると、番組構成表の処理プログラムは、画面データをもとに番組構成表の画面を形成して、当該番組表内に番組データＣ０をもとにしてＣＭの開始時刻、終了時刻等を表示させる。
【０１０８】
（２−４）動作及び効果
以上の構成において、ニユース番組制作送出装置１においては、マスタ室４より送信される番組データＣ０を受信して番組構成表を作成してニユース番組を登録する場合、ニユース番組制作送出装置１においては、ゲートウエイ４０においてマスタ室４より送信される番組データＣ０を受信すると、受信した番組データＣ０がＤＢサーバ７に既に登録されている番組データＣ０の放送時刻を比較してそれぞれの放送時刻が重複しているか否かを判別する。ここで受信した番組データＣ０の放送時刻が重複していた場合はエラー表示を発して、再度番組データの受信状態に戻つて、新たな番組データＣ０の受信状態に入る。これにより簡易な方法により番組表８０に登録する番組の放送時刻の重複を未然に防止し得る。
【０１０９】
またゲートウエイ４０は、受信した番組データＣ０の放送時刻に重複がないと判定した場合は、新たに受信した番組データＣ０がＤＢサーバ７に既に登録されている番組と重複しているか否かを番組ＩＤをもとに判定する。ここで番組データＣ０の重複があつた場合は最新の番組データＣ０を既受信の番組データに上書きする。また番組データＣ０の重複がなかつた場合は受信した最新の番組データＣ０をもとに新規番組を自動作成して、この新規番組の番組データＣ０をＤＢサーバ７内の番組構成フアイルＦＤに登録する。
【０１１０】
このようにしてゲートウエイ４０がマスタ室４より送信される番組データＣ０が既に番組構成フアイルＦＤに登録されている番組データを比較して番組データの重複がないことを判定した後、新規番組を作成して番組構成フアイルＦＤに登録するようにしたことにより、番組構成フアイルＦＤを作成する際、番組データの重複した登録を未然に防止して、確実に登録することができる。
【０１１１】
図５に示すように、番組表６０には、番組名、番組開始時刻、番組終了時刻、放送時間等が表示される。ここで報道部員は、ニユース番組制作支援部２のデスク端末１８において番組表６０の内、番組名欄６１の内、「項目」を設定すべき「番組」の番組名欄６１をマウスによつてカーソル位置を移動させて指定して、クリツクすることによつて目的「番組」の番組構成表９５（図６）を表示させる。
【０１１２】
さらに報道部員が番組構成表９５上においてマウスによつてカーソル位置を移動させることによつて、項目名欄９６に表示される目的「項目」名について、「開始時刻／時間」欄９８に表示される項目開始時刻、構成時間欄９９に表示される構成時間及び映像欄１００に表示される映像の種類等の入力内容をキーボード等の入力手段を用いて設定する。これにより各「番組」情報について「項目」情報及び「構成」情報を決定することができる。報道部員は、このようにして決定した番組構成表９５のデータ（番組データＣ１）をデスク端末１８よりＤＢサーバ７に送出して番組構成フアイルＦＤに登録する。
【０１１３】
一方、送出機器制御部５においては、ＬＡＮ８を通じてＤＢサーバ７よりデスク端末１８にて作成された番組構成フアイルＦＤの番組データＣ１を読み出してキユーシート端末３９の画面上に番組構成表９５を表示する。
【０１１４】
このようにＬＡＮ８を通じて番組構成フアイルＦＤを授受することによつて番組構成表を確実かつ高速に作成し得る。
【０１１５】
ここで実際に「番組」「項目」をマスタ室４に放送する場合、送出状態をモニタしている報道部員がキユーシートの番組データＣ１に従つて所定の番組送出タイミングでトリガ５５からパルス性のコントロール信号ＳＣ１を送出機器制御部５の機器制御部３２に送出する。
【０１１６】
機器制御部３２は、キユーシート番組データＣ１に基づいたコントロール信号ＳＣ１のタイミングトリガに応じて、オンエアサーバ部２２やカメラ３８等にコントロール信号ＳＣ２を送出する。このようにして機器制御部３２は、番組データＣ１によつてスケジユールされた「番組」の各「項目」の進行順に従つて、順次番組の素材を送出させる。さらに機器制御部３２は、スイツチヤ／ミキサ３０に送出するコントロール信号ＳＣ２によつて送出する素材をスイツチング制御することによつて、報道部ＨＢからマスタ室４へと次々に番組の素材を送出させる。このようにキユーシートの番組データに従つて報道部ＨＢからマスタ室４へ番組送出をするようにしたことによつて番組送出を確実になし得る。
【０１１７】
このときキユーシート端末３９のモニタ上においては、項目データが上から下へ送出順に表示され、最上欄の項目データが送出されると、最上欄の項目データが逆スクロールによつて画面上から消え、以下に続く項目データが次々と逆スクロールされ画面表示される。これによりキユーシート端末列において、番組の送出状況を確実に把握し得る。
【０１１８】
以上の構成によれば、報道部ＨＢとマスタ室４とをゲートウエイ４０を介してＬＡＮ８によつて接続して、当該ＬＡＮ８を通じて番組データの受渡しを行うようにしたことにより、番組データを確実かつ高速に受け渡して登録することができ、番組を制作する際の効率を向上し得る。
【０１１９】
また上述の実施例によれば、ＤＢサーバ７に登録する番組データＣ０に書き込まれた番組放送時刻の重複及び番組内容とＤＢサーバ７に既に登録されている番組データＣ０との重複をゲートウエイ４０によつて比較判定するようにしたことにより、報道部ＨＢとマスタ室４間においてやりとりされる番組データＣ０が番組表に重複して登録されるのを未然に防止し得、これにより番組表の誤入力を未然に防止して番組表の作成効率を向上させることができる。
【０１２０】
またマスタ室４において番組データＣ０に設定されるコマーシヤル項目に関する情報をもとにして番組構成表作成間のアプリケーシヨン・ソフトウエアによつて、自動に作成した番組構成表にＣＭ項目の情報を表示して番組構成表を自動作成するようにしたことにより、番組構成表を作成する際の効率を格段に向上し得る。これによりマスタ室４における緊急のＣＭ項目変更があつた場合においても変更内容を番組構成表に反映することができ、オンエア事故を未然に防止し得る。
【０１２１】
（２−５）他の実施例
なお上述の実施例においては、報道部ＨＢにおいてニユース番組を制作して、制作番組をマスタ室４へ送出する場合について述べたが、本発明はこれに限らず、例えば制作部５１において制作した番組をマスタ室４へ送出する場合に適用しても良い。これにより上述の実施例と同様の効果を得ることができる。
【０１２２】
さらに上述の実施例においては、マスタ室４からニユース番組制作送出装置１に転送する番組データの重複をゲートウエイ４０において判定した場合について述べたが、本発明はこれに限らず、データ重複検出用のアプリケーシヨン・ソフトウエアを用いてＤＢサーバ７において転送データの重複を検出するようにしても良い。
【０１２３】
（３）アンタイム・コマーシヤルの設定
（３−１）ＣＭ起動パルスの設定
番組の最小単位である「構成」を順次キユーシートデータに基づいて実行していく場合、送出機器制御部５においては、図４に示すように、トリガ５５から「構成」実行のタイミングトリガであるテイクスイツチ（コントロール信号ＳＣ１）がキユーシートデータに設定された発信タイミングでクロツク３３より出力されるクロツクCLK に同期されて送出される。
【０１２４】
ここで番組の中にアンタイムＣＭがある場合、報道部ＨＢは送出機器制御部５のデスク端末１８において番組データＣ１に対してＣＭ起動パルスの出力時刻を設定する。これにより、ＣＭ起動パルスの出力時刻が設定された番組データＣ１が番組構成フアイルＦＤに変換され、ＤＢサーバ７に登録される。これにより送出機器制御部５においては、送出機器制御端末３１よりＤＢサーバ７に登録された番組データＣ１を読み出し、当該番組データＣ１に設定されたＣＭ起動パルスの出力時刻にマスタ室４に対して自動でＣＭ起動パルスを送信することができる。
【０１２５】
この場合、マスタ室４は機器制御部３２より送信されるＣＭ起動パルスを受信すると、ＣＭ送出装置５６を起動させ、その後、予め番組データＣ１に設定されているＣＭプログラムの起動からＣＭプログラム送出までの所定時間の経過後にマスタ室４のスイツチヤを報道部ＨＢからＣＭ送出装置５６に切り換え、これによりニユース番組に代えてコマーシヤルをオンエア送出する。
【０１２６】
（３−２）番組構成表によるアンタイム・コマーシヤルの設定
図１１に示すように、所定のアンタイムＣＭに対してＣＭ起動パルスＣＭ−Ｑの発信タイミングを設定する場合、番組構成表９５において、まず目的の「アンタイムＣＭ」構成の一つ前の構成をクリツク入力する。すなわち本実施例の場合、項目名欄９６においてアンタイムＣＭを設定する目的の構成「アンタイムＣＭ」９７Ａの一つ前の構成は構成「ＣＭキユーカツト」９７Ｂなので、当該構成「ＣＭキユーカツト」項目９７Ｂの内、構成時間欄９９の「１」の部分にマウス等によりカーソルを移動させてクリツク入力する。これにより構成「ＣＭキユーカツト」内の構成時間欄９９の文字の背景色が他の構成の背景色とは異なる例えばオレンジ色（図中斜線にて示す）に変えられ、これによりこの構成「ＣＭキユーカツト」９７Ｂに対して、これからアンタイムＣＭの発信タイミングを設定しようとしていることがオペレータによつて目視により認識できるようになされている。
【０１２７】
次に番組構成表９６に設けられたＣＭ−Ｑ指定ボタン１０７Ｂをクリツクすることによつて図１２に示すように、番組構成表９５の上にＣＭ−Ｑポツプアツプ１２０を表示させる。
【０１２８】
ここでＣＭ−Ｑポツプアツプ１２０中に「−３秒」、「−２秒」、「−１秒」、「０秒」として表示されている各時間設定ボタン１２１Ａ〜１２１Ｄのいずれかのボタンをオペレータが選択することによつて報道部ＨＢからマスタ室４へのＣＭ起動パルスＣＭ−Ｑの発信タイミングをアンタイムＣＭの一つ前の構成終了時刻の３秒前、２秒前、１秒前又は０秒前に指定する。その後、指定ボタン１２２をクリツクすることにより発信タイミングは設定される。
【０１２９】
この場合、番組構成表９５においては図１３に示すように、構成時間欄９９Ｂの構成時間の上に、例えば構成終了時刻の３秒前にＣＭ起動パルスＣＭ−Ｑを発信する場合には「−３Ｑ」が表示され、これによりアンタイムＣＭのＣＭ起動パルスＣＭ−Ｑの発信タイミングが、構成「ＣＭキユーカツト」９７Ｂの終了の３秒前に設定されたことを番組構成表９５にて確認することができる。このようにして番組構成表９５においてＣＭ起動パルスＣＭ−Ｑの発信タイミングを番組データＣ１に設定した後、当該番組データＣ１を番組構成フアイルＦＤに変換してＬＡＮ８を通じてＤＢサーバ７に登録する。
【０１３０】
実際に報道部ＨＢからマスタ室４にＣＭ起動パルスを発信する場合、送出機器制御部５においては送出機器制御端末３１によつてＤＢサーバ７より番組構成フアイルＦＤを読み出し、当該番組構成フアイルＦＤに登録された各構成の送出時刻情報、ＣＭ起動パルスＣＭ−Ｑの発信タイミング情報及びクロツク３３より送信される時刻情報をもとにアンタイムＣＭに入る所定時間前の発信タイミングで機器制御部３２からＣＭ起動パルスＣＭ−Ｑをマスタ室４に送信するようになされている。
【０１３１】
マスタ室４は、このＣＭ起動パルスＣＭ−Ｑを機器制御部３２より受信すると、マスタ室内部のＣＭ送出機５６を起動させ、その後時間設定ボタン１２１Ａ〜１２１Ｄによつて設定された所定時間の経過後にマスタ室４のスイツチヤ（図示せず）を報道部ＨＢからＣＭ送出機５６に切り換える。これによりマスタ室４からは、ニユース番組の構成がコマーシヤルの構成に切り換えられてオンエア送出される。
【０１３２】
（３−３）アンタイム・コマーシヤルの設定手順
目的のアンタイムＣＭに対するＣＭ起動パルスの設定は、デスク端末１８において図１４に示すようなアンタイムＣＭの設定手順に従つて実行される。
【０１３３】
アンタイムＣＭの設定手順は、まずステツプＳＰ１０において、デスク端末１８にてＤＢサーバ７より番組構成フアイルＦＤを読み出して初期設定した後、ステツプＳＰ１１において番組構成フアイルＦＤの番組データＣ１をもとにしてデスク端末１８のモニタ上に番組構成表９５を画面表示する（図６）。
【０１３４】
ここで次のステツプＳＰ１２において番組構成表９５において終了指示がされればデスク端末１８におけるアンタイムＣＭの設定手順を終了する。
【０１３５】
またステツプＳＰ１２において未だ目的のアンタイムＣＭに対して起動パルスが設定されていないと判定された場合、デスク端末１８の処理をステツプＳＰ１３に移してＣＭ−Ｑ指定ボタン１０７Ｂが押されたか否かを判定する。この場合、番組構成表９５のＣＭ−Ｑ指定ボタン１０７Ｂがオペレータによつて押されるまでの間、ステツプＳＰ１２、ＳＰ１３の処理を繰り返し実行し、ＣＭ−Ｑ指定ボタン１０７Ｂが押されると、デスク端末１８の処理はステツプＳＰ１４に移る。
【０１３６】
ここでステツプＳＰ１４においては、ＣＭ起動パルスＣＭ−Ｑ指定ボタン１０７Ｂを指定した構成（図１１における構成「ＣＭキユーカツト」９７Ｂ）の一つ後の構成が構成「アンタイムＣＭ」９７Ａであるか否かを判定する。ここでＣＭ起動パルスＣＭ−Ｑを指定した構成の一つ後の構成がアンタイムＣＭでない場合はステツプＳＰ１５に移つて「ＣＭ起動パルスの指定ができません」というエラーメツセージを番組構成表９５のメツセージ欄９２（図６）に表示してステツプＳＰ１２に戻る。また構成「ＣＭキユーカツト」９７Ｂの一つ後の構成がアンタイムＣＭであつた場合は次のステツプＳＰ１６に移り、ステツプＳＰ１５でエラーメツセージが表示されていた場合には当該エラーメツセージを消した後、次のステツプＳＰ１７において番組構成表９５上にＣＭ−Ｑポツプアツプ１２０を重ねて表示させる（図１２）。
【０１３７】
次にデスク端末１８の処理は、ステツプＳＰ１８においてＣＭ−Ｑポツプアツプ１２０内の指定ボタン１２２が押され、ＣＭ起動パルスＣＭ−Ｑが指定されたか否かを判定し、ＣＭ起動パルスＣＭ−Ｑが指定された場合は次のステツプＳＰ１９においてデフオルト値をＣＭ起動パルスの発信タイミングとして設定して、当該発信タイミングを設定した番組データＣ１を番組構成フアイルＦＤに変換してＤＢサーバ７に登録する。因みに図１２ではＣＭ起動パルスＣＭ−Ｑの発信タイミングは、構成「アンタイムＣＭ」９７Ａ終了の３秒前に設定されている。
【０１３８】
このようにステツプＳＰ１８にて指定したＣＭ起動パルスの発信タイミングを番組データＣ１としてＤＢサーバ７に登録されると、次のステツプＳＰ２０においてＣＭ−Ｑポツプアツプ１２０を閉じた後、ステツプＳＰ１２に戻つてステツプＳＰ１２以下の処理を引き続き実行する。
【０１３９】
またステツプＳＰ１８においてＣＭ起動パルスの発信タイミングを指定しない場合は、デスク端末１８の処理はステツプＳＰ２１に移つてＣＭ起動パルスに対する設定が解除ボタン１２３の指定によつて解除されたか否かを判別する。ここでＣＭ起動パルスの設定が解除された場合はステツプＳＰ１９に移つてＣＭ起動パルスの設定が解除された番組構成表９５の番組構成フアイルＦＤをＤＢサーバ７に登録する。
【０１４０】
またステツプＳＰ２１においてＣＭ起動パルスの設定を解除しなかつた場合はステツプＳＰ２２に移つて、ＣＭ起動パルスの指定が取消ボタン１２４のクリツク入力によつて取り消されたか否かを判別して、ＣＭ起動パルスの指定が取り消された場合はステツプＳＰ２０に移つてＣＭ−Ｑポツプアツプ１２０を閉じた後、ステツプＳＰ１２に戻つてステツプＳＰ１２以下の処理を引き続き実行する。
【０１４１】
またステツプＳＰ２２においてＣＭ起動パルスＣＭ−Ｑの指定が取り消されていない場合はステツプＳＰ２３に移つてＣＭ起動パルスＣＭ−Ｑの発信タイミングを各時間設定ボタン１２１Ａ〜１２１Ｄのいずれかをクリツク入力することによつて指定した後、ステツプＳＰ１８に戻つて以下の処理を引き続き実行する。
【０１４２】
ここでＣＭ起動パルスＣＭ−Ｑの発信タイミングについては、構成「アンタイムＣＭ」９７Ａの一つ前の構成「ＣＭキユーカツト」９７Ｂ構成終了の例えば３秒前、２秒前、１秒前又は０秒前等の発信タイミングを各時間設定ボタン１２１Ａ〜１２１Ｄによつて設定することができる。
【０１４３】
このようにしてステツプＳＰ１９において目的の構成「アンタイムＣＭ」９７Ａに対するＣＭ起動パルスＣＭ−Ｑの指定、解除又は取消が設定されると、ＣＭ起動パルスの発信タイミングが書き込まれた番組データＣ１を番組構成フアイルＦＤに変換してＢサーバ７に登録することによつてＣＭ起動パルスの設定手順を終了する。
【０１４４】
（３−４）動作及び効果
以上の構成において、ニユース番組制作送出装置１においては、マスタ室４より送出されてくる番組構成表９５に書き込まれている送出時刻が不定でオンエア送出必須のアンタイムＣＭに対してＣＭ起動パルスの発信タイミングを設定する場合、ニユース番組制作支援部２のデスク端末１８において、番組構成表作成用のアプリケーシヨン・ソフトウエアを用いてＤＢサーバ７より番組データＣ１を読み出して、当該番組データＣ１を画面表示される番組構成表９５にデータ表示して、画面上における入力操作によつて指定する。次に番組構成表９５に重ねてＣＭ−Ｑポツプアツプ１２０を表示させ、ＣＭ−Ｑポツプアツプ１２０内の各時間設定ボタン１２１Ａ〜１２１Ｄによつて、ＣＭ起動パルスＣＭ−Ｑの発信タイミングを指定した後、指定ボタン１２２によつてＣＭ起動パルスの発信タイミングを設定する。
【０１４５】
このようにしてデスク端末１８において、ＤＢサーバ７より読み出した番組構成フアイルＦＤをもとにして番組構成表９５上に目的の構成「アンタイムＣＭ」９７Ａを表示して、これを目視により確認しながらの容易な入力操作によつて、アンタイムＣＭに対する起動パルスＣＭ−Ｑの発信タイミングを確実に番組データＣ１として設定することができる。
【０１４６】
さらにＣＭ起動パルスの発信タイミングを設定した番組データＣ１をＤＢサーバ７に登録するようにしたことにより、送出機器制御部５において、ＤＢサーバ７より番組データＣ１をＬＡＮ８を通じて読み出し、番組データＣ１に書き込まれたＣＭ起動パルスの発信タイミングに従つて目的のアンタイムＣＭに対して機器制御部３２より、マスタ室４に対してＣＭ起動パルスＣＭ−Ｑを自動で送出することができる。マスタ室４は、このＣＭ起動パルスＣＭ−Ｑに応じてＣＭ送出機器５６をアンタイムＣＭに切り換え制御することができる。
【０１４７】
これによりオペレータによるアンタイムＣＭに対するＣＭ起動パルスの発信操作を不要として、オペレータの負担を省くことができるとともに、オペレータの誤操作によるオンエア事故を未然に防止することができる。
【０１４８】
以上の構成によれば、デスク端末１８のモニタに画面表示される番組構成表９５上における入力操作によつて、アンタイムＣＭの起動パルスＣＭ−Ｑの発信タイミングをキユーシートの番組データＣ１として容易に設定し得、番組制作及び番組送出の効率を格段に向上し得る。
【０１４９】
またアンタイムＣＭの起動パルスＣＭ−Ｑの発信タイミングを設定した番組データＣ１をＤＢサーバ７に登録することによつて、ＬＡＮ８を介して番組データＣ１を送出機器制御部５に確実に送信し得るとともに、番組データＣ１によるキユーシートデータに基づいて送出機器制御部５の機器制御部３２よりＣＭ起動パルスＣＭ−Ｑを自動でマスタ室４へ送信することができる。これによりＣＭ起動パルスＣＭ−Ｑを発信するときのオペレータの操作を省いて所定の発信タイミングにて自動で確実にＣＭ起動パルスをマスタ室４に送出することができ、かくしてアンタイムＣＭ送出時、オペレータの誤操作によるオンエア事故を未然に防止し得る。
【０１５０】
このようにアンタイムＣＭの送出時刻を番組構成表９５によつてアンタイムＣＭの一つ前の構成の終了後に確実にアンタイムＣＭが送出されるように設定し得ることにより、番組及びＣＭの放送時間を綿密に管理することができ、番組とＣＭとの切り換わりをスムーズにして番組の質を向上し得る。
【０１５１】
さらに各アンタイムＣＭ毎にＣＭ起動パルスの発信タイミングを構成「アンタイムＣＭ」の一つ前の構成に対して、例えば３秒前、２秒前、１秒前又は０秒前等、所定時間前に設定することができるようにしたことにより、アンタイムＣＭを送出するためのＣＭ送出機５６を例えばＶＴＲ(Video Tape Recorder) に限定する手間を省くことができる。これによりＶＴＲの他にＭＯ(Magneto Optical) デイスク装置、ＣＤ(Compact Disc)装置等、それぞれ異なつた発信タイミングの設定を要する各種ＣＭ送出機に応じてそれぞれ発信タイミングを簡易に設定することができ、かくしてＣＭ送出のためのＣＭ送出機の事前準備を簡略化し得る。
【０１５２】
（３−５）他の実施例
なお上述の実施例においては、ＣＭ起動パルスの発信タイミングを構成「アンタイムＣＭ」の一つ前の構成の終了時刻に対して設定した場合について述べたが、本発明はこれに限らず、例えば構成「アンタイムＣＭ」の一つ前の構成の構成時間よりも長い時間間隔を設定するような場合には構成「アンタイムＣＭ」の２つ以上前の構成においてＣＭ起動パルスの発信タイミングを設定するようにしても良い。
【０１５３】
すなわち図１５に示すように、例えば「アンタイムＣＭ」構成の一つ前の構成「構成２」１２６Ａの構成時間が７秒である場合、構成「構成２」１２６Ａの終了時刻の９秒前にＣＭ起動パルスの発信タイミングを設定するときは、構成時間が４５秒である構成「構成１」１２６Ｂのところに「−９Ｑ」を表示させ、構成２の終了時刻の９秒前にＣＭ起動パルスの発信タイミングが設定されたことを示すようにする。これにより構成「構成１」１２６Ｂに入るコントロール信号ＳＣ１を受けて43秒後にマスタ室４に対して構成「アンタイムＣＭ」１２６ＣのＣＭ起動パルスを発信するように設定し得る。要はアンタイムＣＭの一つ前の構成又は項目の終了タイミングが設定されていれば、この終了タイミングより、ＣＭ起動パルスの発信タイミングを設定することができ、これにより上述の実施例と同様の効果を得ることができる。
【０１５４】
（４）確定枠の設定
（４−１）番組構成表による確定枠の設定
ここでニユース番組制作支援部２において番組データＣ０に設定された確定枠に対して項目又は構成を設定する場合、デスク端末１８において、番組構成表作成用のアプリケーシヨン・ソフトウエアによつてＤＢサーバ７よりＬＡＮ８を通じて番組フアイルＦＤを読み出し、当該番組フアイルＦＤの番組データＣ１を番組構成表９５にデータ表示する。
【０１５５】
図６との対応部分に同一符号を付して示す図１６において、番組作成表作成用のアプリケーシヨン・ソフトウエアは、番組データＣ０に設定された所定の確定項目によつて、当該確定項目間に確定枠が存在する場合、番組構成表９５において当該確定枠の項目番号９７の左隣に確定枠の項目の表示範囲に対応させて、目印となるように帯状の確定枠帯１３０を表示するようになされている。
【０１５６】
例えば確定枠は確定枠「１」として項目「オープニング」、確定枠「２」として項目「項目１」及び「項目２」、確定枠「３」として項目「項目３」、確定枠「４」として項目「エンデイング」によつて構成され、各確定枠「１」、「２」、「３」、「４」の項目番号欄９７の左隣には確定枠の範囲を示す確定枠帯１３０Ａ〜１３０Ｄを表示している。
【０１５７】
因みに各確定枠帯１３０Ａ〜１３０Ｄは、番組構成表９５の背景色とは異なつた色によつて表示され、これにより確定枠帯１３０Ａ〜１３０Ｄに対応する確定枠を可視表示して確定項目から容易に識別し得るようになされている。さらに各確定枠帯１３０Ａ〜１３０Ｄの色をそれぞれ異なつた色、例えば背景色が白の場合、オレンジ、赤、青、緑等の表示色によつて各確定枠帯１３０Ａ〜１３０Ｄを表示することにより、各確定枠「１」、「２」、「３」、「４」を目視により容易に識別し得る。
【０１５８】
実際、確定枠の設定は、「開始時刻／時間」欄９８に項目の開始時刻及び項目の時間をテンキー入力することによつて設定するようになされている。例えば本実施例では「項目１」について、18時00分20秒を設定している。
【０１５９】
ここで番組作成表作成用のアプリケーシヨン・ソフトウエアによつて、表示部９５Ｂの残時間ボタン１３１、「残時間」をクリツクすることによつて、番組構成表９５中に表示されている各確定枠「１」、「２」、「３」、「４」に関する情報として確定枠内の残時間が示される確定枠ポツプアツプ１３２を番組構成表９５に重ねて画面表示させるようにしている。
【０１６０】
すなわち確定枠ポツプアツプ１３２によつて、確定枠欄１３５に確定枠の番号が表示されると共に、残時間欄１３６に確定枠の残時間が表示される。例えば、図１６の番組構成表９５に示されている番組の場合、確定項目「確定ＮＥＴ」１３３Ａの前にある確定枠「１」の確定枠内の残時間が既に無いことが示されている。
【０１６１】
この場合、例えば確定枠帯１３０Ｂで示される項目「項目１」１３３Ｂ及び項目「項目２」１３３Ｃから構成される確定枠「２」の構成時間は、この時点では項目「項目１」１３３Ｂの開始時刻が18時00分20秒で項目「項目１」１３３Ｂ、項目「項目２」１３３Ｃの項目時間が、それぞれ３分であることから「項目２」の終了時刻は、時刻18時06分20秒となることが判る。
【０１６２】
これに対して、確定項目「確定ＮＥＴ」１３３Ａの終了から確定項目「確定ＣＭ」１３３Ｄの開始時刻までの間に形成される確定枠「２」全体の残時間は、項目「確定ＮＥＴ」１３３Ａの終了時刻18時00分20秒から項目「確定ＣＭ」１３３Ｄの開始時刻18時10分00秒間までの９分40秒ということになり、この結果、番組構成表９５に示された現時点での確定枠「２」の残時間は、確定枠「２」全体の残時間９分40秒から現時点で入力完了した確定枠「２」の構成時間６分を引いた３分40秒ということになる。この場合、確定枠ポツプアツプ１３２の確定枠「２」に対応付けられた残時間欄１３６内には３分40秒の残時間が表示される。
【０１６３】
これによりオペレータは、確定枠ポツプアツプ１３２内に表示される確定枠欄１３５及び対応する残時間欄１３６の表示データを確認しながら、確定枠内に項目又は構成を設定することができる。
【０１６４】
ここで番組開始の所定時間前になると、キユーシート端末３９に図９に示すような番組構成フアイルＦＤに基づいたキユーシート１１５が表示される。このキユーシート１１５においては、番組中に確定枠がある場合、確定枠の項目範囲に対応した確定枠帯１３０及び当該確定枠帯１３０に番組中の確定枠番号１３４が表示される。
【０１６５】
（４−２）確定枠の設定手順
番組構成表の確定枠に対する項目設定は図１７及び図１８に示すように、ニユース番組制作支援部２のデスク端末１８において番組構成表作成用のアプリケーシヨン・ソフトウエアによる確定枠の設定手順（１）及び（２）に従つて行われる。
【０１６６】
すなわち番組構成表９５による確定枠の設定手順（１）は、まずステツプＳＰ２０において、デスク端末１８にて番組構成表作成用のアプリケーシヨン・ソフトウエアによつてＤＢサーバ７より番組フアイルＦＤを読み出して初期設定した後、ステツプＳＰ２１においてデスク端末１８のモニタに番組構成フアイルＦＤの番組データＣ１を番組構成表９５のデータとして画面表示する。
【０１６７】
ここでステツプＳＰ２２においてモニタに画面表示された番組構成表９５上で終了指示がされれば、直ちに確定枠の設定手順（１）を終了する。
【０１６８】
またステツプＳＰ２２において、番組構成表９５上で終了指示がされれば、デスク端末１８による処理はステツプＳＰ２３に移る。
【０１６９】
ここでステツプＳＰ２３では、まず番組構成表９５に系列放送局の番組の開始時刻及び終了時刻の確定されている項目確定ＮＥＴ又は放送時刻の確定されたコマーシヤルである確定ＣＭが設定されているか否かを判定する。
【０１７０】
このステツプＳＰ２３での判定の結果、番組構成表９５に確定ＮＥＴ又は確定ＣＭが設定されていた場合はステツプＳＰ２４に進む。また番組構成表９５に確定ＮＥＴ又は確定ＣＭが設定されていなかつた場合はステツプＳＰ２２に戻り、ステツプＳＰ２３からステツプＳＰ２２へと戻る処理を番組に確定ＮＥＴ又は確定ＣＭが設定されるまで繰り返し実行する。
【０１７１】
ここでステツプＳＰ２３において、番組構成表９５に確定ＮＥＴ又は確定ＣＭが設定されたと判定されると、続くステツプＳＰ２４において、確定ＮＥＴ又は確定ＣＭ間に設定される確定枠に付帯して表示する確定枠帯１３０の表示位置、表示色を設定する。
【０１７２】
続くステツプＳＰ２５においてこのようにして設定して確定枠帯１３０に関する情報をＤＢサーバ７に登録する。
【０１７３】
確定枠の設定手順（２）によつて確定枠に付帯される確定枠帯１３０に関する情報が設定されると、次に図１８に示すような確定枠の設定手順（２）に従つて確定枠内の構成を設定する。
【０１７４】
すなわち番組構成表による確定枠の設定手順（２）は、まずステツプＳＰ３０において、デスク端末１８にて番組構成表の処理プログラムによつてＤＢサーバ７より番組構成フアイルＦＤを読み出して初期設定した後、ステツプＳＰ３１においてデスク端末１８のモニタに番組構成表９５を画面表示する。
【０１７５】
ここでステツプＳＰ３２においてモニタに画面表示された番組構成表９５で終了指示がされれば、直ちに確定枠の設定手順（２）を終了する。
【０１７６】
またステツプＳＰ３２において、番組構成表９５内の所定の確定枠に未だ項目が設定されていなかつた場合、処理をステツプＳＰ３３に移す。
【０１７７】
ステツプＳＰ３３では、確定枠内に設定される構成の放送時間（以下、これを単に構成時間と呼ぶ）が変更されたか否かを判定する。このステツプＳＰ３３において、確定枠内の構成時間が変更されたと判定された場合はステツプＳＰ３４に進む。また確定枠内に設定される構成時間が変更されていない場合はステツプＳＰ３２に戻り、ステツプＳＰ３３からステツプＳＰ３２へと戻る処理を確定枠内の構成時間が変更されるまで繰り返し実行する。
【０１７８】
ここでステツプＳＰ３４においては、確定枠内設定された全体の放送時間（以下、これを単に確定枠内時間と呼ぶ）から確定枠内に設定した構成時間の合計を引くことによつて確定枠内の残時間Ａを算出する。そして次のステツプＳＰ３５において残時間Ａがゼロより小さいか否かを判定する。
【０１７９】
この結果、残時間Ａがゼロ未満であつた場合、ステツプＳＰ３６に進んで確定枠の背景色を例えば赤として表示する。これにより未だ確定枠内の残時間Ａがあることをオペレータが判別し得るようにする。またステツプＳＰ２５の判定結果により、残時間Ａがゼロ以上であつた場合、ステツプＳＰ３７に移つて確定枠の背景色を例えば青として表示する。これにより既に確定枠内の残時間Ａがないことをオペレータに判別させる。このステツプＳＰ３６又はＳＰ３７の処理が終了すると、設定された確定枠の構成時間をステツプＳＰ３８にてＤＢサーバ７に登録し、ステツプＳＰ３２の処理に移る。
【０１８０】
この場合、確定枠の残時間に関する情報は確定枠ポツプアツプ１３２内に表示することができ、オペレータは確定枠ポツプアツプ１３２の確定枠欄１３５及び残時間欄１３６の表示データを見ながら、確定枠に構成を設定することができる。
【０１８１】
このようにして確定枠内の構成時間を設定して、ステツプＳＰ３７の処理により、確定枠内に構成時間が過不足なく割り当てられたステツプＳＰ３２において判定されると確定枠の設定手順（２）を終了する。
【０１８２】
（４−３）動作及び効果
以上の構成において、ニユース番組制作支援部２のデスク端末１８において番組構成表９５を作成する場合、まずデスク端末１８においてＤＢサーバ７よりＬＡＮ８を通じて番組構成フアイルＦＤを読み出し、次に番組作成表作成用のアプリケーシヨン・ソフトウエアによつて、番組構成フアイルＦＤの番組データＣ１を番組構成表９５のデータとして画面表示する。
【０１８３】
この場合、番組作成表作成用のアプリケーシヨン・ソフトウエアは、番組データＣ０に設定された所定の確定項目の間に確定枠が存在すると判定すると、当該確定枠の項目番号９７の左隣に「番組」の確定枠の存在範囲に対応するように色別に表示される確定枠帯１３０を表示する。これによりオペレータは、番組構成表９５中の確定項目（又は構成）と確定枠とを容易に目視により確認することができるとともに、確定枠の範囲も容易に認識し得る。さらに各確定枠に付帯される確定枠帯それぞれの表示色を異なる色に設定するようにしたことにより、各確定枠を容易に識別し得る。
【０１８４】
ここでオペレータは目的「項目」の項目番号９７をクリツクして端末に画面表示される挿入ボタン、追加ボタン等を操作することにより目的「項目」に対して構成を設定すると共に、設定した構成に対して構成時間欄９９内に構成時間をテンキー入力により設定する。
【０１８５】
ここで番組構成表９５中の確定枠内に構成を設定する場合、残時間ボタン１３１をクリツク入力する。これにより番組構成表９５に重ねて確定枠ポツプアツプ１３２が画面表示される。この確定枠ポツプアツプ１３２には、番組構成表９５に示される「番組」内の確定枠に対応する番号が確定枠番号欄１３５によつて表示されるとともに、各確定枠の確定枠内残時間が残時間欄１３６に表示される。これによりオペレータは、確定枠内に構成を設定するときに、各確定枠に関する確定枠内残時間を参照しながら確実かつ容易に構成時間を設定することができる。
【０１８６】
以上の構成によれば、番組構成表９５を作成する際に確定項目間に確定枠の項目を設定するとき、確定枠の隣りに当該確定枠の範囲に応じた長さの、確定枠帯を表示させることによつて、確定枠をオペレータが視覚的に容易に識別し得るようにして確定枠の見落としを未然に防止し得る。
【０１８７】
さらに各確定枠帯の色を各確定枠毎にそれぞれ異なる色に設定するようにしたことによつて、各確定枠を可視表示してオペレータの目視によつて容易に識別し得る。
【０１８８】
さらに各確定枠それぞれに確定枠を識別するための確定枠番号を付し、各確定枠毎に確定枠内の残時間を対応付けて確定枠内ポツプアツプ１３２により表示するようにしたことにより、確定枠内に項目を設定するときに、オペレータが番組構成表９５に表示される確定枠を確定枠帯１３０によつて確認すると共に、各確定枠内の残時間を確定枠内ポツプアツプ１３２により確認しながら確実に項目設定し得る。
【０１８９】
また構成時間欄９９の表示色を、現在設定している確定枠内の構成時間の合計が確定枠内時間よりも少ないときは赤色とし、また確定枠内の構成時間の合計が確定枠内時間と同じか、あるいは多いときは青色とするようにしたことにより、確定枠内に構成を設定するときに、構成時間が確定枠内時間を越えているか否かをオペレータが容易に判別し得る。これにより確定枠に構成を設定する際に構成時間の過不足を容易に識別し得る。
【０１９０】
（４−４）他の実施例
なお上述の実施例においては、所定の確定枠に項目又は構成を割り当てる際、確定枠内の構成時間欄９９の表示色を確定枠内時間未満のときは赤色、また確定枠内時間以上のときは青色とした場合について述べたが、本発明はこれに限らず、それぞれ赤色、青色以外の色を設定するようにしても良い。
【０１９１】
さらに確定枠内時間に対する構成時間の残時間Ａが丁度、ゼロになつたときに構成時間欄９９の表示色を例えば黄色となるように設定することによつて、確定枠内時間未満及び確定枠内時間以上のときに加えて、確定枠内の構成時間の合計と確定枠内時間とが丁度、一致したときを判別し得るようにし、これにより構成時間を確定枠内に対して過不足なく、より確実に設定し得る。
【０１９２】
また上述の実施例においては、所定の確定枠に項目又は構成を割り当てる際、構成時間の残時間を確定枠内ポツプアツプ９１にて確定枠番号に対応付けて表示した場合について述べたが、本発明はこれに限らず、例えば番組構成表９５の確定枠の隣に各確定枠の確定枠内時間に対する構成時間の残時間を表示するようにしても良く、これにより構成時間と残時間とを見ながら確定枠を確実に設定し得る。
【０１９３】
また上述の実施例においては、所定の確定枠に項目又は構成を割り当てる際、確定枠内の構成時間欄９９及び確定枠帯１３０を背景部分の表示色と色別表示した場合について述べたが、本発明はこれに限らず、例えば点滅表示するようにしても良く、要は項目又は構成を割り当てる対象となる確定枠を他の項目と容易に識別し得るような表示方法により確定枠を表示すれば良い。
【０１９４】
さらに上述の実施例においては、確定枠に対応させて確定枠帯を表示するように設定した場合について述べたが、本発明はこれに限らず、例えば確定枠を色別表示したり、点滅表示させることによつて確定枠の項目自体を確定項目、確定ＣＭとは視覚的に異なる表示とするようにしても良い。これにより確定項目、確定ＣＭと確定枠とを容易に識別し得、上述の実施例と同様の効果を得ることができる。
【０１９５】
（５）番組構成表の入力変更
（５−１）番組構成表の入力変更の設定
図１９に示すように、複数のワークステーシヨン１８Ａ１〜１８Ａｎを設けたデスク端末１８において、例えばワークステーシヨン１８Ａ１において、図２０に示すような番組構成表９５内の例えば項目「ヘツドライン１」１４０Ａに対してデータの入力又は変更を実行する場合、入力／変更目的の項目「ヘツドライン１」の項目名欄９６内に設けられたロツクボタン１４１をクリツクする。この結果、ワークステーシヨン１８Ａ１のもつ番組構成表のアプリケーシヨン・ソフトウエアによつて項目「ヘツドライン１」１４０Ａに対して入力／変更アクセス禁止、すなわち入力／変更ロツクが指定され、この項目に対する入力／変更アクセスに関する情報がワークステーシヨン１８Ａ１よりＬＡＮ８を通じてＤＢサーバ７に伝達される。
【０１９６】
ＤＢサーバ７はこの入力／変更アクセスに関する情報を受信すると、番組構成表９５の項目「ヘツドライン１」１４０Ａに対して項目使用フラグをたてる。これによりＤＢサーバ７は、ワークステーシヨン１８Ａ１の他のワークステーシヨン１８Ａ２〜１８Ａｎに対して項目「ヘツドライン１」に対する入力／変更アクセスを禁止することができる。
【０１９７】
因みにワークステーシヨン１８Ａ１において項目「ヘツドライン１」１４０Ａに対して設定された入力／変更のアクセス禁止の設定は、ワークステーシヨン１８Ａ１においてロツクボタン１４１によつて解除されるまで、他端末からの入力／変更アクセスを禁止するロツク状態を維持し続けるようになされている。
【０１９８】
図２１に示すように、ワークステーシヨン１８Ａ１において項目「ヘツドライン１」１４０Ａに対する入力／変更アクセスの禁止が設定されると、項目「ヘツドライン１」のロツクボタン１４１、「Lock」の表示色は周りの背景色に対して色別に表示される。この場合、例えば背景色が白であつた場合、ワークステーシヨン１８Ａ１ではクリツクされたロツクボタン１４１、「Lock」を赤色等で表示すると共に、他のワークステーシヨン１８Ａ２〜１８Ａｎにおいて、表示される番組構成表９５中の項目「Lock」のロツクボタン１４１を黄色表示する。これにより同時並行処理中のＬＡＮ８によつて接続される複数のワークステーシヨン１８Ａ１〜１８Ａｎにおいてロツクボタン１４１、「Lock」の色が赤色であるか黄色であるかに応じて、番組構成表９５に表示されている所定の項目に対して他端末にて入力／変更中であるか否か、すなわち自端末で入力／変更アクセスが可能か否かを容易に識別することができる。
【０１９９】
（５−２）番組構成表の入力／変更手順
実際、デスク端末１８の各ワークステーシヨン１８Ａ１〜１８Ａｎにおいて番組構成表９５に表示されている項目データに対して入力／変更するときの、入力／変更項目に対する他端末からの入力／変更の禁止は、図２２に示すような番組構成表の入力／変更手順に従つて実行される。
【０２００】
番組構成表の入力／変更手順は、まずステツプＳＰ４０において、デスク端末１８の所定のワークステーシヨン１８Ａ１にてＤＢサーバ７より番組構成フアイルＦＤを読み出して初期設定した後、ステツプＳＰ４１においてワークステーシヨン１８Ａ１のもつ番組構成表作成用のアプリケーシヨン・ソフトウエアによつて番組構成表９５を番組登録画面９５Ａに画面表示する。
【０２０１】
ここでステツプＳＰ４２において番組構成表９５で終了指示がされれば、ワークステーシヨン１８Ａ１での番組構成表の入力／変更手順を終了する。またステツプＳＰ４２において終了指示がされなければ処理をステツプＳＰ４３に移す。
【０２０２】
この場合、ステツプＳＰ４２において番組構成表９５にて終了指示がされるまでの間、ステツプＳＰ４２、ＳＰ４３の処理を繰り返す。
【０２０３】
ここで番組構成表９５において入力／変更を目的とする項目が指定されると、処理はステツプＳＰ４４に移つて、選択された入力／変更目的の項目が既に他の端末において入力／変更アクセスが禁止設定された項目であるか否かを判定する。ここで指定項目が既に入力／変更ロツクが設定されている項目の場合はステツプＳＰ４５に移つて「入力／変更項目として選択することができません」というエラーメツセージを番組構成表９５のメツセージ欄９２に表示した後、ステツプＳＰ４２の処理に戻る。
【０２０４】
またステツプＳＰ４４において、入力／変更を指定した項目が他の端末により入力／変更ロツクが禁止設定されていないと判定された場合は、ステツプＳＰ４６に移る。ここでメツセージ欄９２にエラーメツセージが表示されていた場合には当該エラーメツセージを消した後、次のステツプＳＰ４７に移る。
【０２０５】
ステツプＳＰ４３においては、ＤＢサーバ７にて指定した目的「項目」に対してワークステーシヨン１８Ａ１にて入力／変更アクセスが設定されたことを示す項目使用フラグをたてアクセスし、ワークステーシヨン１８Ａ１の他のワークステーシヨン１８Ａ２〜１８Ａｎに対して目的「項目」に対していずれかのワークステーシヨンにおいて入力／変更アクセスがなされたという情報を反映させる。
【０２０６】
これによりワークステーシヨン１８Ａ１の他のワークステーシヨン１８Ａ２〜１８Ａｎにおいて画面表示される番組構成表９５においては、ワークステーシヨン１８Ａ１にて入力／変更アクセスの禁止が設定された目的「項目」に対して入力／変更アクセスができなくなる。
【０２０７】
次にステツプＳＰ４８にて、目的「項目」のデータ内容を入力／変更して、続くステツプＳＰ４９において入力／変更した項目データを登録するか否かを判断する。ここで入力／変更した項目データを登録しない場合は、再びステツプＳＰ４８の処理に戻る。また変更した項目データを登録する場合は、次のステツプＳＰ５０に移つて番組構成表９５にて入力／変更した番組データＣ１を番組構成フアイルＦＤに変換してＤＢサーバ７に登録する。
【０２０８】
このようにしてステツプＳＰ５０において入力／変更した項目データを登録した後、次のステツプＳＰ５１において入力／変更ロツクを解除するか否かに応じて、再度、目的の項目データの入力／変更を実行することを選択した場合には入力／変更ロツクを解除しないでステツプＳＰ４８の項目データ内容の入力／変更処理に戻る。
【０２０９】
またステツプＳＰ５１において、項目データを変更しないでロツク解除する場合は、ステツプＳＰ５２に移つてＤＢサーバ７において、入力／変更アクセスの禁止を設定したことを示す項目使用フラグの解除を設定する。これに応じてＤＢサーバ７は、入力／変更ロツクのフラグ解除を設定する。これにより入力／変更ロツクを解除したことが全ワークステーシヨン１８Ａ１〜１８Ａｎに反映される。そしてワークステーシヨン１８Ａ１の処理はステツプＳＰ４２の処理に戻り、当該ステツプＳＰ４２以下の処理を引き続き実行する。
【０２１０】
このようにして目的「項目」のデータに対する入力／変更処理が終了すると、番組構成表９５にて項目データの内容が入力又は変更された番組データＣ１を番組構成フアイルＦＤに変換してＤＢサーバ７に登録し、番組構成表の入力／変更手順を終了する。
【０２１１】
（５−３）動作及び効果
以上の構成において、ニユース番組制作送出装置１においては、番組構成表９５に表示されている項目に対してデスク端末１８内のワークステーシヨン１８Ａ１〜１８Ａｎより入力／変更作業する場合、まず所定のワークステーシヨン１８Ａ１においてＤＢサーバ７より番組構成フアイルＦＤを読み出して、当該番組構成フアイルＦＤに記録されている番組データＣ１を番組構成表９５のデータとしてモニタの画面に表示する。ここで、報道部員が入力／変更を目的とする番組構成表９５の所定項目をロツクボタン１４１をクリツク入力することにより、入力／変更ロツクを設定して、入力／変更ロツクの情報をＬＡＮ８を通じてＤＢサーバ７によつて他のワークステーシヨン１８Ａ２〜１８Ａｎに反映し、これにより他のワークステーシヨン１８Ａ２〜１８Ａｎからの所定項目に対する入力／変更アクセスを禁止することができる。
【０２１２】
これにより、例えば図２３に示すように端末Ａにおいて入力／変更アクセスの禁止設定した項目３（又は構成３）に対しては他の端末Ｂからは入力／変更アクセスができなくなり、従つて目的「項目」に対する項目データの入力／変更を、入力／変更アクセスを禁止設定してロツクをかけた端末Ａにおいてのみし得るように設定される。
【０２１３】
因みに入力／変更ロツクの設定された目的「項目」のロツクボタン１４１、「Lock」は色別表示されることにより、ワークステーシヨン１８Ａ１以外の他のワークステーシヨン１８Ａ２〜１８Ａｎにおいて、入力／変更アクセスの禁止が設定された「項目」を容易に識別し得る。
【０２１４】
ここでワークステーシヨン１８Ａ１においては、目的「項目」に対する入力／変更作業を終了して、入力／変更した項目データをＤＢサーバ７の番組構成フアイルＦＤに登録し終えると、入力／変更アクセス禁止の解除を設定する。
【０２１５】
これにより全てのワークステーシヨン１８Ａ１〜１８Ａｎにおいて、再び入力／変更アクセスの禁止が設定されていない全ての「項目」に対して新たな項目データの入力／変更処理を実行することができる。
【０２１６】
以上の構成によればデスク端末１８内のネツトワーク接続された複数のワークステーシヨン１８Ａ１〜１８Ａｎにおいて番組構成表９５に対して同時並行に入力／変更処理する場合、複数端末の内、例えばワークステーシヨン１８Ａ１においてモニタに画面表示される番組構成表９５上にて入力／変更を目的とする「項目」に対して入力／変更アクセスを設定して、その目的「項目」に対して他のワークステーシヨン１８Ａ２〜１８Ａｎ端末からの入力／変更アクセスを禁止することができる。
【０２１７】
このように複数のワークステーシヨン１８Ａ１〜１８Ａｎでの同時並行処理によつて番組構成表９５の項目データに対して入力／変更を実行する際、１つの作業ワークステーシヨン１８Ａ１において目的「項目」に対して入力／変更ロツクを設定するようにしたことにより、入力／変更作業中の項目データに対する他のワークステーシヨン１８Ａ２〜１８Ａｎからの入力／変更アクセスを禁止して目的「項目」に対する入力／変更処理を他端末からの干渉を防いで完了し得る。
【０２１８】
またこのように各ワークステーシヨン１８Ａ１〜１８Ａｎにおいて、入力／変更作業の対象となる項目毎に入力／変更ロツクを指定するようにしたことにより、複数のワークステーシヨン１８Ａ２〜１８Ａｎにてそれぞれ独立して同時並行で項目データの入力／変更作業をすることができる。
【０２１９】
かくしてネツトワーク接続されたワークステーシヨン１８Ａ１〜１８Ａｎにおいて番組構成表９５を同時並行処理によつて作成することができ、番組構成表９５を作成するときの作業効率を格段に向上し得る。
【０２２０】
（５−４）他の実施例
なお上述の実施例においては、複数のワークステーシヨン１８Ａ１〜１８Ａｎによつて同時並行処理によつて番組構成表９５の項目データの入力／変更する際、ワークステーシヨン１８Ａ１にて入力／変更ロツクを設定した目的「項目」に対して他のワークステーシヨン１８Ａ２〜１８Ａｎ端末からの入力／変更アクセスを禁止した場合について述べたが、本発明はこれに限らず、単に他のワークステーシヨン１８Ａ２〜１８Ａｎ端末に対して所定の「項目」に対して入力／変更が実行されていることを作業中の項目を識別表示等によつて知らせるだけでも良い。これによりワークステーシヨン１８Ａ２〜１８Ａｎにおいてワークステーシヨン１８Ａ１にて作業中の項目を認識することができ、当該「項目」に対する複数の端末からの入力／変更の同時アクセスを未然に防止し得る。
【０２２１】
また上述の実施例においては、デスク端末１８内の複数のワークステーシヨン１８Ａ１〜１８Ａｎ間において項目に対する入力／変更を設定した場合について述べたが、本発明はこれに限らず、ＬＡＮ８によつてネツトワーク接続されている端末間であれば良く、これにより上述の実施例と同様の効率を得ることができる。
【０２２２】
（６）構成単位の運行モード
（６−１）構成単位の運行モードの選択及び表示
図２４及び図２５に示すように、モード切換手段としてのサブ内入力端末３４が表示する番組構成表や、キユーシート端末３９が表示するキユーシートには、キユーシートの番組データＣ１に従つて、番組の最小単位であるそれぞれの「構成」が送出順に上より下に向かつて表示される。また番組構成表及びキユーシートには、「番組」全体の運行モードが第１のモードとしての手動テイク運行モードに設定されているとき、テイクスイツチを押す必要があるか否か（「構成」の送出タイミング信号としてのコントロール信号ＳＣ１が第２のモードとしての自動テイク運行モードで自動生成されるか否か）が番組データＣ１に従つて「構成」毎に表示される。
【０２２３】
すなわち、「構成」を送出する期間としての時間（以下、これを構成時間と呼ぶ）を確定すると、番組構成表上の構成時間を示す数字には、自動テイク運行モードを選択したことを示す下線が表示される。またキユーシート上の構成時間を示す数字の下部には、自動テイク運行モードを選択したことを示す帯（斜線で示す）が表示される。この「構成」に入ると、機器制御部３２は、放送局内の基準時計データに同期してカウントを開始する。確定した構成時間が経過すると、次の「構成」は、機器制御部３２が自動生成したコントロール信号ＳＣ１により自動テイク運行される。
【０２２４】
一方、構成時間を確定しない場合、番組構成表の構成時間を示す数字には、下線が表示されない。またキユーシート上の構成時間を示す数字の下部には帯が表示されない。この「構成」に入つて構成時間が経過すると、次の「構成」はオペレータがテイクスイツチを押して生成したコントロール信号ＳＣ１により手動テイク運行される。
【０２２５】
例えば、18:00:00にテイクスイツチを押して「構成１」を手動テイク運行すると、「構成１」の構成時間である５秒後の18:00:05にコントロール信号ＳＣ１が自動生成されて、「構成２」は自動テイク運行される。「構成２」も構成時間が確定されていることにより、５秒後の18:00:10にコントロール信号ＳＣ１が自動的に生成されて、「構成３」は自動テイク運行される。「構成３」の構成時間が確定されていないことにより、１分後の18:01:10に、オペレータはテイクスイツチを押して「構成４」を手動テイク運行する必要がある。
【０２２６】
このようにして、機器制御部３２は、それぞれの「構成」を自動テイク運行又は手動テイク運行のコントロール信号ＳＣ１によつて順次送出して番組を次々に進行させると共に、新しいキユーシートの番組データＣ１（番組の「構成」が１つ進行したデータ）をキユーシートに表示させることになる。
【０２２７】
（６−２）構成時間の確定及び解除の手順
次に、全体として手動テイク運行される「番組」の「項目」及び「構成」は、図２６に示す構成時間の確定及び解除の手順に従つて構成時間を確定することによつて、運行方法を自動テイク運行に任意に変更することができる。また構成時間を確定された「項目」及び「構成」は、図２６に示す手順で構成時間の確定を解除される。
【０２２８】
すなわち、サブ内入力端末３４は、ステツプＳＰ６０から入りステツプＳＰ６１において初期設定してステツプＳＰ６２に移る。ステツプＳＰ６２において、サブ内入力端末３４は、タツチパネル方式の表示画面上に例えば図２７に示す番組構成表１４５を表示してステツプＳＰ６３に移り、画面表示の終了ボタンが押されたか否かを判断する。
【０２２９】
ステツプＳＰ６３において否定結果を得ると、サブ内入力端末３４は、画面表示の終了ボタンが押されていないと判断してステツプＳＰ６４に移り、番組構成表１４５の確定ＤＵＲ（Duration）ボタン１４６が押されたか否かを判断する。ステツプＳＰ６４において否定結果を得ると、サブ内入力端末３４は、ステツプＳＰ６３に戻つて上述の手順を繰り返す。
【０２３０】
オペレータが番組構成表１４５の「項目」ナンバー又は「構成」ナンバーを選択すると、サブ内入力端末３４は、選択した「項目」や「構成」の発光色を変更して、選択状態であることをオペレータに報知する。続いて、オペレータが選択状態で確定ＤＵＲボタン１４６を押すと、サブ内入力端末３４は、ステツプＳＰ６４において肯定結果を得てステツプＳＰ６５に移り、図２８に示すポツプアツプ１４７を番組構成表１４５上に重ねて表示する。このときの表示状態を図２９に示す。
【０２３１】
続いて、サブ内入力端末３４は、ステツプＳＰ６６に移り、ポツプアツプ１４７内の指定ボタン１４８が押されたか否かを判断する。ステツプＳＰ６６において否定結果を得ると、サブ内入力端末３４は、指定ボタン１４８が押されていないと判断してステツプＳＰ６７に移り、ポツプアツプ１４７内の解除ボタン１４９が押されたか否かを判断する。
【０２３２】
ステツプＳＰ６７において否定結果を得ると、サブ内入力端末３４は、解除ボタン１４９が押されていないと判断してステツプＳＰ６８に移り、ポツプアツプ１４７内の取消ボタン１５０が押されたか否かを判断する。ステツプＳＰ６８において否定結果を得ると、サブ内入力端末３４は、取消ボタン１５０が押されていないと判断してステツプＳＰ６９に移り、選択された「項目」を送出する時間（以下、これを項目時間と呼ぶ）又は「構成」の構成時間をポツプアツプ１４７内の時間表示窓１５１に表示する。
【０２３３】
例えば、図２９の項目名「ヘツドライン１」のナンバー１の「構成」が選択されている場合、図２８に示すように、時間表示窓１５１には00分10秒と表示される。この後、サブ内入力端末３４は、ステツプＳＰ６６に戻り、上述の手順を繰り返す。因みに、ステツプＳＰ６９において、オペレータは、時間表示窓１５１付近の三角形の時間調節ボタン１５２を押したり、キーボードから入力して項目時間又は構成時間を調節することができる。
【０２３４】
この後、オペレータが指定ボタン１４８を押すと、サブ内入力端末３４は、ステツプＳＰ６６において肯定結果を得てステツプＳＰ７０に移り、選択された「項目」又は「構成」の構成時間を確定する。これにより、図３０に示すように、番組構成表１４５の「ヘツドライン１」のナンバー１の「構成」の構成時間の数字「 00:10」に下線が表示される。続いて、サブ内入力端末３４は、ステツプＳＰ７１に移り、選択された「構成」を含むある「項目」内の全構成時間が確定されたか否かを判断する。
【０２３５】
ステツプＳＰ７１において肯定結果を得ると、サブ内入力端末３４は、この「項目」内の全構成時間が確定されたと判断してステツプＳＰ７２に移り、項目時間を確定する。これにより、図３０に示すように、番組構成表１４５の「ヘツドライン１」の項目時間の数字「 00:10」に下線が表示される。続いて、サブ内入力端末３４は、ステツプＳＰ７３に移る。一方、ステツプＳＰ７１において否定結果を得ると、サブ内入力端末３４は、この「項目」内の一部の構成時間が確定されたと判断してステツプＳＰ７３に移る。
【０２３６】
ステツプＳＰ７３において、サブ内入力端末３４は、構成時間が確定された「項目」又は「構成」の情報をＤＢサーバ７に登録してステツプＳＰ７４に移り、ポツプアツプ１４７を閉じて番組構成表１４５のみを表示する。このときの番組構成表１４５を図３１に示す。この後、サブ内入力端末３４は、ステツプＳＰ６３に戻り上述の手順を繰り返す。これにより、構成時間が確定された「項目」又は「構成」の次の「項目」又は「構成」は自動テイク運行されることになる。
【０２３７】
ここで、オペレータがポツプアツプ１４７内の解除ボタン１４９を押すと、サブ内入力端末３４は、ステツプＳＰ６７において肯定結果を得てステツプＳＰ７５に移り、選択された「項目」又は「構成」の構成時間の確定を解除してステツプＳＰ７６に移る。ステツプＳＰ７６において、サブ内入力端末３４は、確定を解除された「構成」を含む「項目」の項目時間が確定されていたか否かを判断する。
【０２３８】
ステツプＳＰ７６において肯定結果を得ると、サブ内入力端末３４は、この項目時間が確定されていたと判断してステツプＳＰ７７に移り、この「項目」の項目時間の確定を解除してステツプＳＰ７３に移る。一方、ステツプＳＰ７６において否定結果を得ると、サブ内入力端末３４は、この項目時間が確定されていなかつたと判断してステツプＳＰ７３に移る。これにより、選択された「項目」又は「構成」の構成時間は確定を解除されて、手動テイク運行されることになる。
【０２３９】
オペレータがポツプアツプ１４７内の取消ボタン１５０を押すと、サブ内入力端末３４は、ステツプＳＰ６８において肯定結果を得てステツプＳＰ７４に移る。このようにして、項目時間又は構成時間の確定又は解除を済ませて、オペレータが画面表示の終了ボタンを押すと、サブ内入力端末３４は、ステツプＳＰ６３において肯定結果を得る。これにより、サブ内入力端末３４は、ステツプＳＰ７８に移つて番組構成表１４５の表示を終了する。
【０２４０】
因みに、項目時間や構成時間の確定及び解除において、オペレータは、任意数の「項目」ナンバー又は「構成」ナンバーを選択することができる。「番組」を放送する場合、構成時間を確定した「構成」へテイクスイツチを押して入つて構成時間が経過すると、次の「構成」は自動テイク運行される。一方、予め全構成時間が確定されている「番組」の「項目」及び「構成」は、必ず自動テイク運行される。さらに広告時間及びネツトワークに送出する時間の「構成」は、構成時間が自動的に確定されて必ず自動テイク運行される。
【０２４１】
（６−３）動作
以上の構成において、例えば図３２に示すように、実況映像の「構成」を含むニユース番組「Wrap Up Today 」を送出中の状態を考える。キユーシート端末３９は、18時０分０秒から18時25分０秒迄送出するニユース番組「Wrap Up Today 」のうち18時０分０秒から送出開始した最初の項目名「ヘツドライン１」から４番目の項目名「ＣＭキユーカツト」までのキユーシートを表示画面上に表示している。
【０２４２】
現在、キユーシート端末３９は、「ヘツドライン２」が送出中であることにより、「ヘツドライン２」の「構成」を上から２段めに表示していると共に、開始時刻から５秒が経過したことにより、1996年５月10日18時０分15秒を示す文字「1996/05/10 18:00:15 」を現在時刻表示欄に表示している。このニユース番組「Wrap Up Today 」全体は、それぞれの構成時間をデスク端末１８で決定された際に、手動テイク運行に設定されていた。従つて、運行モード表示欄には手動テイク運行を指示する文字「ＴＡＫＥ運行」が表示されている。
【０２４３】
毎日、同じようなパターンでオンエアする部分であることにより、「ヘツドライン１」から項目名「神奈川県節水対策」の最初の「構成」までを自動テイク運行することが決定されると、サブ内入力端末３４において、「ヘツドライン１」及び「ヘツドライン２」の「構成」の構成時間が確定される。これにより、キユーシート上の「ヘツドライン１」及び「ヘツドライン２」の「構成」の構成時間のそれぞれの文字「00:10 」の下部には帯が表示される。
【０２４４】
従つて、送出担当のオペレータは、この帯が最初に表示された「ヘツドライン１」で番組を送出開始すると、「神奈川県節水対策」が送出されるまでの20秒間に２回のテイクスイツチを押す煩雑な操作から開放されることになる。結果として、「番組」を送出する際の手動操作が簡略化されてオペレータの負担が軽減され、手動操作誤りを一段と低減することができる。
【０２４５】
（６−４）効果
以上の構成によれば、キユーシート上で連続して配置された２つの「構成」のうち後側の「構成」のコントロール信号ＳＣ１を、手動テイク運行モードと自動テイク運行モードとを切り換えて生成可能とし、「番組」全体の運行モードが手動テイク運行モードに設定されたとき後側の「構成」のコントロール信号ＳＣ１を自動テイク運行モードで生成すると共に、オペレータによるテイクスイツチを押す操作を必要とするか否かをキユーシート画面上に表示することにより、キユーシートに従つて複数の「構成」を順次送出する際のオペレータの手動操作誤りを一段と低減することができる。
【０２４６】
また全体を手動テイク運行モードに設定した新しい番組構成表による「番組」を送出する場合も、短時間内に連続する複数の「構成」のコントロール信号ＳＣ１を自動テイク運行モードに切り換えて生成することにより、この「構成」を送出する際の手動操作の誤りを無くして確実に送出することができる。
【０２４７】
（６−５）他の実施例
なお上述の実施例においては、映像及び音声を送出する場合について述べたが、本発明はこれに限らず、例えば音声だけを送出する場合にも適用できる。
【０２４８】
（７）構成単位の開始時刻
（７−１）構成単位の開始時刻の確定及び表示
図３３に示すように、モード切換手段としてのサブ内入力端末３４が表示する番組構成表１５５には、キユーシートの番組データＣ１に従つて、番組の最小単位であるそれぞれの「構成」が送出順に上より下に向かつて表示される。また「番組」の運行モードが全体として第１のモードとしての手動テイク運行モードに設定されているとき番組構成表１５５には、任意の「構成」の開始時刻が確定されているか否か（確定されている任意の時刻にこの「構成」の送出タイミング信号としてのコントロール信号ＳＣ１を自動生成する第２のモードとしての自動テイク運行モードで生成するか否か）が表示される。
【０２４９】
すなわち、図３４に示すように、任意の「構成」の映像及び音声の少なくとも１つの開始時刻を確定すると、番組構成表１５５で上下方向に配置された確定時刻告知欄１０６には、所定の記号（ここではダイヤモンド形枠付き数字）１５７が表示される。この記号１５７は、確定時刻告知欄１０６のうち確定された任意の時刻に対応した位置に表示される。また図３５に示すように、この開始時刻を確定すると、キユーシート１５８の確定時刻告知欄１５９には、所定の記号（ここでは矩形及びダイヤモンド形枠付き数字）１６０が表示される。この記号１６０も確定時刻告知欄１５９のうち確定された任意の時刻に対応した位置に表示される。
【０２５０】
オペレータは、この「構成」に予め設定されていた開始時刻に関わりなく映像及び音声の開始時刻を任意の時刻で確定することができる。機器制御部３２は、放送局内の基準時計データに従つてカウントしており、確定した開始時刻に達するとコントロール信号ＳＣ１を自動的に生成してこの「構成」の映像や音声を自動テイク運行する。一方、「構成」の送出時刻を確定しない場合、確定時刻告知欄１０６及び１５９には記号１５７及び１６０が表示されない。因みに、オペレータは、「番組」毎に例えば最大５つの「構成」の開始時刻を確定することができる。
【０２５１】
（７−２）開始時刻の確定手順
次に、全体として手動テイク運行される「番組」の「構成」は、図３６に示す開始時刻の確定手順に従つて開始時刻が確定される。すなわち、サブ内入力端末３４は、ステツプＳＰ８０から入りステツプＳＰ８１において初期設定してステツプＳＰ８２に移る。ステツプＳＰ８２において、サブ内入力端末３４は、表示画面上に例えば図３３に示す番組構成表１５５を表示してステツプＳＰ８３に移り、画面表示の終了ボタンが押されたか否かを判断する。
【０２５２】
ステツプＳＰ８３において否定結果を得ると、サブ内入力端末３４は、画面表示の終了ボタンが押されていないと判断してステツプＳＰ８４に移り、番組構成表１５５の確定時刻告知欄１０６及び１５９の上端部に配置されている確定時刻告知欄が押されたか否かを判断する。ステツプＳＰ８４において否定結果を得ると、サブ内入力端末３４は、ステツプＳＰ８３に戻つて上述の手順を繰り返す。
【０２５３】
オペレータが確定時刻告知欄１０６及び１５９を押すと、サブ内入力端末３４は、ステツプＳＰ８４において肯定結果を得てステツプＳＰ８５に移り、図３７に示す設定用ポツプアツプ１６２を表示する。続いて、サブ内入力端末３４は、ステツプＳＰ８６に移り、ポツプアツプ１６２内の閉ボタン１６３が押されたか否かを判断する。ステツプＳＰ８６において否定結果を得ると、サブ内入力端末３４は、閉ボタン１６３が押されていないと判断してステツプＳＰ８７に移る。ステツプＳＰ８７において、サブ内入力端末３４は、開始時刻、送出する映像及び音声素材が入力される。
【０２５４】
例えば図３７において18時24分45秒からオーデイオフアイル（ＡＦ）を15秒間送出する場合は、ポツプアツプ１６２にて開始時刻と送出する素材を入力する。ステツプＳＰ８７において入力された開始時刻、送出する映像及び音声素材をポツプアツプ１６２内にそれぞれ表示すると、サブ内入力端末３４はステツプＳＰ８６に戻つて上述の手順を繰り返す。
【０２５５】
この後、ポツプアツプ１６２内の閉ボタン１６３が押されると、サブ内入力端末３４は、ステツプＳＰ８６において肯定結果を得てステツプＳＰ８８に移る。ステツプＳＰ８８において、サブ内入力端末３４は、開始時刻が正しく入力されたか否かを判断する。例えば「番組」の送出時間外の時刻が入力されていると、サブ内入力端末３４は、ステツプＳＰ８８において否定結果を得て開始時刻が正しく入力されていないと判断し、ステツプＳＰ８９に移る。ステツプＳＰ８９において、サブ内入力端末３４は、ポツプアツプ１６２内の正しく入力されていない部分の表示色を変えてステツプＳＰ８６に戻り、上述の手順を繰り返す。
【０２５６】
開始時刻が正しく入力されていると、サブ内入力端末３４は、ステツプＳＰ８８において肯定結果を得てステツプＳＰ９０に移る。ステツプＳＰ９０において、サブ内入力端末３４は、ポツプアツプ１６２内を通常の色で表示してステツプＳＰ９１に移り、入力された開始時刻、映像及び音声のデータをＤＢサーバ７に登録する。これにより、入力された映像及び音声の開始時刻が確定されたことになる。
【０２５７】
続いて、サブ内入力端末３４は、ステツプＳＰ９２に移つてポツプアツプ１６２を閉じる。また図３４に示すように、サブ内入力端末３４は、記号１５７を確定時刻告知欄１０６の確定された時刻に対応した位置に表示する。この後、サブ内入力端末３４は、ステツプＳＰ８３に戻つて上述の手順を繰り返す。
【０２５８】
このようにして、任意の「構成」の開始時刻を確定して、オペレータが画面表示の終了ボタンを押すと、サブ内入力端末３４は、ステツプＳＰ８３において肯定結果を得る。これにより、サブ内入力端末３４は、ステツプＳＰ９３に移つて開始時刻の確定手順を終了する。開始時刻に達すると、開始時刻を確定した「素材」は、自動で送出されることになる。
【０２５９】
因みに、ステツプＳＰ８７においてオペレータは、空スタートの指定をすることによつて、この開始時刻に指定された素材を空スタートさせることができる。従つて、確定された開始時刻に達すると機器制御部３２は、指定された素材をスタートさせ、音声のフエーダ制御は、行わないようにする。
【０２６０】
ポツプアツプ１６２が表示されているとき、オペレータは、所望の「構成」の映像や音声を選択して削除ボタン（図示せず）を押すことによつて、この「構成」の開始時刻の確定を解除することができる。またポツプアツプ１６２が表示されているとき、オペレータは、操作取消ボタン（図示せず）を押すことによつて開始時刻の確定を取り消すことができる。
【０２６１】
（７−３）動作
以上の構成において、例えば図３５に示すように、実況映像の「構成」を含むニユース番組「Wrap Up Today 」を送出する場合を考える。キユーシート端末３９は、18時０分０秒から18時25分０秒迄送出するニユース番組「Wrap Up Today 」のうち18時０分０秒直前の空の「構成」（ここでは「START 」）から最初の項目名「ヘツドライン１」を経て４番目の項目名「ＣＭキユーカツト」までのキユーシートを表示画面上に表示している。
【０２６２】
現在、キユーシート端末３９は、「ヘツドライン１」が送出中であることにより、「ヘツドライン１」の「構成」を上から２段めに表示していると共に、送出開始から５秒が経過したことにより、1996年５月10日18時０分05秒を示す文字「1996/05/10 18:00:05 」を現在時刻表示欄に表示している。このニユース番組「Wrap Up Today 」全体の運行モードは、それぞれの構成時間をデスク端末１８で決定された際に、手動テイク運行モードに設定されていた。従つて、運行モード表示欄には手動テイク運行モードを指示する文字「ＴＡＫＥ運行」が表示されている。
【０２６３】
ここで、サブ内入力端末３４において、確定時刻告知欄１５９を押してポツプアツプ１６２を表示させ、素材を入力すると、キユーシート上の確定時刻告知欄１５９の開始時刻に対応した位置には、記号１６０が表示される。
【０２６４】
また送出担当のオペレータは、手動テイク運行によつて送出をしていても確定時刻告知欄に入力されている素材が、その開始時刻に確実に送出される。結果として、確定時刻に送出しなければならない素材の送出忘れが無く、送出する際の手動操作が簡略化されてオペレータの負担が軽減され、手動操作誤りを一段と低減することができる。
【０２６５】
（７−４）効果
以上の構成によれば、「番組」の最小単位であるそれぞれの「構成」のコントロール信号ＳＣ１を、手動テイク運行モードと自動テイク運行モードとを切り換えて生成可能とし、「番組」全体の送出モードが手動テイク運行モードに設定されたとき任意の「構成」の開始時刻を任意の時刻に確定してコントロール信号ＳＣ１を自動で生成することにより、キユーシートに従つて複数の「構成」を手動操作で順次送出する際に、任意の「構成」を任意の時刻に正確に送出することができる。
【０２６６】
また「番組」を送出中の作業数が減少すると共に、開始時刻を確定した「素材」をキユーシート画面上の確定時刻告知欄１５９に記号１６０で表示することにより、送出担当のオペレータは本来の送出作業に専念することができる。
【０２６７】
（７−５）他の実施例
なお上述の実施例においては、映像及び音声を送出する場合について述べたが、本発明はこれに限らず、例えば音声だけを送出する場合にも適用できる。
【０２６８】
（８）ネクスト構成の変更
（８−１）構成の順序変更及び表示
図９に示すように、送出順序変更手段としてのキユーシート端末３９が表示するキユーシート１１５上には、番組データＣ１に従つて、番組の最小単位であるそれぞれの部分番組としての「構成」が送出順に上より下に向かつて表示される。このとき、送出中の「構成」は、表示中の複数の「構成」のうち上から２段目に表示される。
【０２６９】
キユーシート端末３９の表示画面には、オペレータのタツチ操作を検出するタツチパネル装置が設けられている。キユーシート端末３９は、オペレータの操作によつて、送出済であるか否かに関わらずキユーシート１１５上の「項目」及び「構成」を任意の順序に変更することができる。このときキユーシート端末３９は、オペレータの操作に応じて「構成」のキユーシート情報を複写又は移動してキユーシート記録再生手段としてのＤＢサーバ７内の番組データＣ１を書き換える。
【０２７０】
これにより、制御手段としての機器制御部３２は、書き換えられた番組データＣ１に基づいて、それぞれの「構成」を順次送出して番組を進行させると共に、新しいキユーシートの番組データＣ１をキユーシート１１５上に表示させる。また機器制御部３２は、書き換えられた番組データＣ１に含まれるスイツチング情報に基づいて、「構成」の映像／音声データＳＶ１をスイツチヤ／ミキサ３０へ送出開始するよう番組再生手段としてのオンエアサーバ部２２に命令する。オンエアサーバ部２２は、ランダムアクセスすることができることにより、書換え後の目的の「構成」の映像／音声データＳＶ１をこの命令に応じて直ちに送出開始する。
【０２７１】
ここで、任意の「構成」を、送出中の「構成」の次に送出する「構成」（以下、これをネクスト構成と呼ぶ）に指定するときのキユーシート１１５上の表示状態を説明する。図３８（Ａ）に示すように、現在のキユーシート１１５上には、第１〜第５の「構成」の素材マーク１６６〜１７０が表示されている。また第２の「構成」の素材マーク１６７は、矩形赤枠１７１が表示されて第２の「構成」が送出中であることをオペレータに告知している。
【０２７２】
さらに第３の「構成」の素材マーク１６８は、矩形緑枠１７２が表示されて第３の「構成」がネクスト構成に設定されていることをオペレータに告知している。素材の送出準備が完了しているとき、それぞれの表示ボタン１６６〜１７０の枠内は、白色で表示される。素材の送出準備が未了であるとき、それぞれの表示ボタン１６６〜１７０の枠内は、灰色で表示される。
【０２７３】
図３８（Ｂ）に示すように、例えば第５の「構成」を選択して、図９のキユーシート１１５下部に表示された「ＮＥＸＴ指定」設定ボタン１７３が押されると、キユーシート端末３９は、第５の「構成」を第３の「構成」の前に入れ換えて第５の「構成」をネクスト構成に指定する。これにより、図３８（Ｂ）の３段目には、緑枠１７２をもつ第５の「構成」の素材マーク１７０が第３の「構成」の素材マーク１６８に代えて表示される。第５の「構成」を除く第３の「構成」以降の「構成」の素材マーク１６８及び１６９は、繰り下げられて４段目以下に順次表示される。続いて、第５の「構成」の素材の送出準備が始まり、送出準備が完了すると、表示ボタン１７０の枠内の表示色は、灰色から白色に切り換えられる。
【０２７４】
次に図３８（Ｃ）に示すように、例えば第５の「構成」を選択して、「ＮＥＸＴ指定」設定ボタンを押すと第３及び第４の「構成」を削除し、第５の「構成」をネクスト構成にするという動作も考えられる。これにより、図３８（Ｃ）の３段目には、緑枠１７２をもつ第５の「構成」の素材マーク１７０が表示される。第６及び第７の「構成」以降の「構成」の素材マーク１７５及び１７６は、４段目以下に順次表示される。続いて、第５の「構成」の素材の送出準備が始まり、送出準備が完了すると、素材マーク１７０の枠内の表示色は、灰色から白色に切り換えられる。
【０２７５】
次に図３８（Ｄ）に示すように、例えば直前に送出した第１の「構成」を選択して、設定ボタン１７３が押されると、キユーシート端末３９は、第１の「構成」を第３の「構成」の直前に挿入複写して第１の「構成」をネクスト構成に指定する。これにより、図３８（Ｄ）の３段目には、緑枠１７２をもつ第１の「構成」の素材マーク１６６が表示される。第３の「構成」以降の素材マーク１６８及び１６９は、繰り下げられて４段目以下に順次表示される。続いて、第１の「構成」の素材の送出準備が再び始まり、送出準備が完了すると、３段目の表示ボタン１６６の枠内の表示色は、灰色から白色に切り換えられる。
【０２７６】
任意の「項目」を、送出中の「項目」の次に送出する「項目」（以下、これをネクスト項目と呼ぶ）に指定するときには、上述の「構成」を「項目」と読み換える。任意の「項目」をネクスト項目に指定すると、この「項目」に含まれる全ての「構成」はグループ化されて移動する。「項目」を選択する際には、キユーシート１１５上の項目一覧表１７７に表示された「項目」が選択される。所望の「項目」が項目一覧表１７７に表示されていない場合は、項目一覧表１７７下部のスクロールボタン１７８及び１７９でスクロールして、所望の「項目」が表示される。
【０２７７】
因みに、「項目」や「構成」の順序は、キユーシート１１５下部の最後へボタン１８０、入れ替えボタン１８１、移動ボタン１８２を使用して変更することもできる。「項目」や「構成」の選択、順序変更の操作は、アンドウボタン１８３を押して取り消すことができる。
【０２７８】
（８−２）構成の順序変更手順
任意の「構成」をネクスト構成に指定する際、キユーシート端末３９は、図３９に示す構成の順序変更手順に従つて動作する。キユーシート端末３９は、ステツプＳＰ９５から入り、ステツプＳＰ９６において初期設定してステツプＳＰ９７に移る。ステツプＳＰ９７において、キユーシート端末３９は、タツチパネル方式の表示画面上に例えば図９に示すキユーシート１１５を表示してステツプＳＰ９８に移り、画面表示の終了ボタンが押されたか否かを判断する。
【０２７９】
ステツプＳＰ９８において否定結果を得ると、キユーシート端末３９は、画面表示の終了ボタンが押されていないと判断してステツプＳＰ９９に移り、「項目」又は「構成」を選択してキユーシート１１５上の設定ボタン１７３が押されたか否かを判断する。ステツプＳＰ９９において否定結果を得ると、キユーシート端末３９は、ステツプＳＰ９８に戻つて上述の手順を繰り返す。
【０２８０】
オペレータが「項目」又は「構成」を選択すると選択された「項目」又は「構成」の表示ボタンの背景色が切り換えられて選択されたことをオペレータに告知する。この後設定ボタン１７３が押されると、キユーシート端末３９は、ステツプＳＰ９９において肯定結果を得てステツプＳＰ１００に移り、送出中又は送出済の「項目」や「構成」が選択されたか否かを判断する。ステツプＳＰ１００において否定結果を得ると、キユーシート端末３９は、未送出の「項目」や「構成」が選択されたと判断してステツプＳＰ１０１に移る。
【０２８１】
ステツプＳＰ１０１において、キユーシート端末３９は、「構成」が選択されたか否かを判断する。ステツプＳＰ１０１において肯定結果を得ると、キユーシート端末３９は、「構成」が選択されたと判断してステツプＳＰ１０２に移る。ステツプＳＰ１０２において、キユーシート端末３９は、選択された「構成」のデータをネクスト構成の位置に移動した新しい番組データＣ１を生成すると共に、この「構成」の表示ボタンをネクスト構成の位置に表示してステツプＳＰ１０３に移る。
【０２８２】
ステツプＳＰ１０３において、キユーシート端末３９は、選択された「構成」をネクスト構成に指定した番組データＣ１によつてＤＢサーバ１７１内の番組データＣ１を書き換える。この後、キユーシート端末３９は、ステツプＳＰ９８に戻つて上述の手順を繰り返す。
【０２８３】
ステツプＳＰ１０１において否定結果を得ると、キユーシート端末３９は、「項目」が選択されたと判断してステツプＳＰ１０４に移る。ステツプＳＰ１０４において、キユーシート端末３９は、選択された「項目」の全ての「構成」のデータをネクスト項目の位置に移動した新しい番組データＣ１を生成すると共に、この「項目」の表示ボタンをキユーシート１１５上のネクスト項目の位置に表示してステツプＳＰ１０３に移る。
【０２８４】
ステツプＳＰ１００において肯定結果を得ると、キユーシート端末３９は、送出中又は送出済の「項目」や「構成」が選択されたと判断してステツプＳＰ１０５に移る。ステツプＳＰ１０５において、キユーシート端末３９は、「構成」が選択されたか否かを判断する。ステツプＳＰ１０５において肯定結果を得ると、キユーシート端末３９は、「構成」が選択されたと判断してステツプＳＰ１０６に移る。ステツプＳＰ１０６において、キユーシート端末３９は、選択された「構成」のデータをネクスト構成の位置に複写した新しい番組データＣ１を生成すると共に、この「構成」の表示ボタンをネクスト構成の位置に表示してステツプＳＰ１０３に移る。
【０２８５】
ステツプＳＰ１０５において否定結果を得ると、キユーシート端末３９は、「項目」が選択されたと判断してステツプＳＰ１０７に移る。ステツプＳＰ１０７において、キユーシート端末３９は、選択された「項目」の全ての「構成」のデータをネクスト項目の位置に複写した新しい番組データＣ１を生成すると共に、この「項目」の表示ボタンをキユーシート１１５上のネクスト項目の位置に表示してステツプＳＰ１０３に移る。
【０２８６】
このようにして、任意の「項目」をネクスト項目に指定したり、「構成」をネクスト構成に指定して、オペレータが画面表示の終了ボタンを押すと、キユーシート端末３９は、ステツプＳＰ９８において肯定結果を得る。これにより、キユーシート端末３９は、ステツプＳＰ１０８に移つて構成の順序変更手順を終了する。
【０２８７】
（８−３）動作
以上の構成において、図９に示すナンバー３ｂの「項目（神奈川県節水対策）」の第１の「構成（ＶＦ合成バツク）」を予定時刻（18:01:30）に送出することができなくなつた場合を考える。図４０（Ａ）に示すように、この場合、オペレータは、ナンバー３ａの「項目（神奈川県節水対策）」のＮＶ（相模湖の水）を送出中に、例えば３ｂ「項目」内の第２の「構成（ＮＶ住民の声）」をネクスト構成に指定する。
【０２８８】
キユーシート端末３９が第２の「構成（ＮＶ住民の声）」を第１の「構成（ＶＦ合成バツク）」の前に移動するようにＤＢサーバ７内の番組データＣ１を書き換えると、送出準備は完了する。これにより、図４０（Ｂ）に示すように、キユーシート端末３９は、「構成（ＮＶ住民の声）」を「構成（ＶＦ合成バツク）」と入れ換えて表示する。この後、18:01:30にオペレータが手動テイク操作すると、オンエアサーバ部２２は、ランダムアクセスして、書換え後の第２の「構成（ＮＶ住民の声）」の映像／音声データＳＶ１を直ちに送出開始することができる。
【０２８９】
（８−４）効果
以上の構成によれば、ランダムアクセスするＤＢサーバ７内の番組データＣ１をキユーシート端末３９で書き換えて「項目」や「構成」の順序を変更し、書換え後の番組データＣ１に従つて、ランダムアクセスするオンエアサーバ部２２より所望の「項目」や「構成」の映像／音声データＳＶ１を送出することにより、キユーシートに従つて複数の「構成」を順次送出中に、任意の「構成」を所望の順序に短時間で変更して送出することができる。
【０２９０】
また「項目」や「構成」の順序変更操作が簡単になり、オペレータの負担が軽減されて、操作ミスによるオンエア事故がなくなる。さらに「構成」を短時間で任意に入れ替えて送出することができることにより、番組の急な組み替えが可能となる。例えば突発的に発生した事件事故の番組への変更にも柔軟にかつ素早く対応してオンエアすることができる。さらに一度オンエアした素材を再度オンエアする場合も、早く対応することができる。
【０２９１】
（８−５）他の実施例
なお上述の実施例においては、映像及び音声を送出する場合について述べたが、本発明はこれに限らず、音声のみを送出する場合にも適用し得る。
【０２９２】
また上述の実施例においては、番組データＣ１及び映像／音声データＳＶ１をハードデイスク構成のＤＢサーバ７及びオンエアサーバ部２２にそれぞれ記録する場合について述べたが、本発明はこれに限らず、番組のキユーシート情報や番組内容をランダムアクセス可能な任意の記録媒体、例えばメモリに記録する場合にも適用できる。
【０２９３】
（９）リハーサルの設定
（９−１）番組表によるリハーサルの設定
ここで送出機器制御部５において番組のリハーサルを行う場合、サブ内入力端末３４において、番組作成表のアプリケーシヨン・ソフトウエアによつてまず、ＤＢサーバ７よりＬＡＮ８を通じて番組構成フアイルＦＤの番組データＣ１を番組表６０のデータとして読み出す。ここで図４１に示すように、サブ内入力端末３４のモニタに画面表示した番組表６０において、リハーサル目的の番組「夕方のニユース」１８８Ａをクリツク入力することによつて、番組「夕方のニユース」１８８Ａが色別表示される。これによりリハーサル目的の項目を識別し得る。
【０２９４】
次にサブ内入力端末３４において番組表６０のメニユーバー８０Ａからリハーサル指定ボタン１８９、「リハーサル」を選択してクリツクすることによつて、番組「夕方のニユース」１８８Ａがリハーサル項目としてＤＢサーバ７に登録される。この場合、図４２に示すように、番組「夕方のニユース」１８８Ａには「（リハ）」が表示され、これにより番組「夕方のニユース」１８８Ａに対してリハーサル設定がなされたことを番組表６０より確認することができる。
【０２９５】
（９−２）番組構成表によるリハーサル設定
番組表によつて所定の番組に対するリハーサルが設定されると、次に番組構成表によるリハーサル設定が行なわれる。すなわち、まずサブ内入力端末３４においては、番組作成表のアプリケーシヨン・ソフトウエアによつてＤＢサーバ７よりＬＡＮ８を通じて読み出した番組構成フアイルＦＤの番組データＣ１を番組構成表９５にデータ表示する。
【０２９６】
次にサブ内入力端末３４において番組構成表９５のメニユーバー８０Ｂ（図６）からリハーサル指定ボタン１９０（「リハーサル」）を選択してクリツクすることによつて、図４３に示すように、番組構成表９５に重ねてリハーサルポツプアツプ１９２を表示させる。
【０２９７】
ここでサブ内入力端末３４において、まず、リハーサルポツプアツプ１９２内の項目番号欄１９３（図中「項目Ｎｏ．」に示す）に番組構成表９５に表示されている項目中からリハーサルを目的とする項目の項目番号をテンキー入力するとともに、開始時刻欄１９４（「開始時刻」）に項目番号欄１９３に指定した項目のリハーサル開始時刻をテンキー入力する。本実施例において例えば、リハーサル開始時刻を17時30分とし、リハーサル目的項目を「ヘツドライン１」、「ヘツドライン２」、「神奈川県節水対策」として、項目番号欄１９３には項目１から項目３迄を指定している。
【０２９８】
ここで報道部員がリハーサルポツプアツプ１９２の実行ボタン１９６（図中「実行」に示す）をクリツクすることによつて、リハーサルポツプアツプ１９２において設定されたリハーサル項目及び開始時刻の情報がＤＢサーバ７に登録される。
【０２９９】
これによりリハーサル開始時刻の所定時間前になると、キユーシート端末３９においてリハーサル指定された項目に関する情報が表示されたキユーシート１１５が表示され、同時に機器制御部３２の制御によつて各送出機器がスタンバイ状態に設定される。この場合、リハーサルを途中で中止するときは、リハーサルポツプアツプ１９２の中止ボタン１９７をクリツクする。
【０３００】
（９−３）番組表によるリハーサル設定
実際、番組のリハーサルの設定はサブ内入力端末３４において、図４４に示すような番組表によるリハーサル設定手順に従つて実行する。
【０３０１】
番組表６０によるリハーサル設定手順が開始されると、まずステツプＳＰ１１０において、サブ内入力端末３４にて番組表管理プログラムによつてＤＢサーバ７より番組構成フアイルＦＤを読み出して初期設定した後、ステツプＳＰ１１１においてサブ内入力端末３４のモニタに番組表６０を画面表示する。そして次のステツプＳＰ１１２において終了指示がされた場合は、サブ内入力端末３４による番組表によるリハーサル設定手順を終了する。
【０３０２】
またステツプＳＰ１１２において、終了指示がされていなかつた場合、サブ内入力端末３４による処理はステツプＳＰ１１３に移る。ここでステツプＳＰ１１３において番組表６０のリハーサル指定ボタン１８９がクリツクされたか否かを判定し、当該判定結果に応じてリハーサル指定ボタン１８９がクリツクされた場合はステツプＳＰ１１４に進み、またリハーサル指定ボタン１８９がクリツクされていなかつた場合はステツプＳＰ１１２に戻る。このステツプＳＰ１１３からステツプＳＰ１１２へと戻る処理は、番組表６０においてリハーサル指定ボタン１８９「リハーサル」がクリツクされるまで繰り返し実行される。
【０３０３】
ここで番組表６０においてリハーサル指定ボタン１８９がクリツクされると、サブ内入力端末３４による処理はステツプＳＰ１１４に移つてリハーサル対象となる目的「番組」に対応する番組名欄６１中の番組番号６５をクリツクする。このときに選択した「番組」がリハーサル指定されていない「番組」であつた場合、ステツプＳＰ１１５に移つて選択した「番組」の番組名欄６１の中にリハーサルであることを示す「リハーサル」の略語である「リハ」を表示する。これにより番組表６０内においてリハーサルが指定された「番組」を容易に識別し得る。
【０３０４】
またステツプＳＰ１１４において、選択した「番組」が既にリハーサル指定されていた「番組」であつた場合、ステツプＳＰ１１６に移つてステツプＳＰ１１４において選択した「番組」の番組名欄６１の中に表示されている「リハ」の略語を消す。
【０３０５】
このようにしてステツプＳＰ１１５又はＳＰ１１６により、「番組」のリハーサル指定を完了させると、サブ内入力端末３４の処理はステツプＳＰ１１７に移つて目的「番組」に対してリハーサル設定したことをＤＢサーバ７に登録する。これにより番組表による番組のリハーサル設定を完了する。
【０３０６】
（９−４）番組構成表によるリハーサルの設定
上述したようにリハーサル対象の目的「番組」に対してリハーサル設定が完了すると、続いてサブ内入力端末３４においては、図４５及び図４６に示すような番組構成表によるリハーサル設定手順に従つて項目単位でのリハーサル設定が実行される。
【０３０７】
すなわち番組構成表によるリハーサル設定手順が開始されると、まずステツプＳＰ１２０において、サブ内入力端末３４にて番組構成表のアプリケーシヨン・ソフトウエアによつてＤＢサーバ７より番組構成表フアイルＦＤを読み出し、初期設定する。次にステツプＳＰ１２１において、番組構成表９５を表示すると共に、番組構成表フアイルＦＤの番組データＣ１を番組構成表９５のデータとして表示する。そして次のステツプＳＰ１２２において終了指示がされたか否かを判定して、画面表示された番組構成表９５上で終了指示がされた場合は、直ちにリハーサル設定手順を終了する。
【０３０８】
またステツプＳＰ１２２において、終了指示がされていないと判定された場合、サブ内入力端末３４による処理はステツプＳＰ１２３に移る。
【０３０９】
ステツプＳＰ１２３では、番組構成表９５のリハーサル指定ボタン１８９がクリツクされたか否かを判定する。ここでリハーサル指定ボタン１８９がクリツクされた場合はステツプＳＰ１２４に進み、またリハーサル指定ボタン１８９がクリツクされていなかつた場合はステツプＳＰ１２２に戻る。このステツプＳＰ１２３からステツプＳＰ１２２へと戻る処理は、番組構成表９５においてリハーサル指定ボタン１８９がクリツクされるまで繰り返し実行される。
【０３１０】
次にステツプＳＰ１２４において、リハーサル対象となる目的「項目」に対応する項目名欄９６に対応する項目番号９７を選択してクリツクしたとき、この選択した「項目」がリハーサル指定されていない番組の「項目」であつた場合、ステツプＳＰ１２５に移つて「リハーサル指定されていません」というエラーメツセージをメツセージ欄９２中に表示し、ステツプＳＰ１２２に戻る。
【０３１１】
またステツプＳＰ１２４において、選択した「項目」がリハーサル指定されている番組の「項目」であつた場合、ステツプＳＰ１２６に移る。ここでメツセージ欄９２にエラーメツセージが表示されているときは、当該エラーメツセージを消した後、ステツプＳＰ１２７に移つて番組構成表９５に重ねてリハーサルポツプアツプ１９２を表示する。
【０３１２】
次にサブ内入力端末３４の処理はステツプＳＰ１２８において、リハーサルを指定した「番組」に対してリハーサルの実行を、又はリハーサルを設定した「番組」に対してリハーサルの中止を選択する。
【０３１３】
この場合、まずステツプＳＰ１２８におけるリハーサルの実行、ステツプＳＰ１２９におけるリハーサル中止を選択せず、かつステツプＳＰ１３０にてリハーサルポツプアツプ１９２を閉じることを選択しなかつたときは、ステツプＳＰ１３１にてリハーサルの目的「項目」の項目番号及び開始時刻をリハーサルポツプアツプ１９２の項目番号欄１９３及び開始時刻欄１９４にそれぞれ入力してステツプＳＰ１２８に戻る。
【０３１４】
またステツプＳＰ１２８においてリハーサルの実行を選択せず、ステツプＳＰ１２９においてリハーサル中止を選択せず、かつステツプＳＰ１３０にてリハーサルポツプアツプ１９２を閉じることを選択した場合は、ステツプＳＰ１４２に移つて、直ちにリハーサルポツプアツプ１９２を閉じた後、ステツプＳＰ１２２の処理に戻る。
【０３１５】
またステツプＳＰ１２８においてリハーサルの実行を選択せず、かつステツプＳＰ１２９においてリハーサル中止を選択した場合は、ステツプＳＰ１３２に移つてステツプＳＰ１２９にてリハーサル中止を指定した項目が現在リハーサル実行中の「番組」のものであるか否かを判定する。ここでリハーサル中止を指定した項目が現在、実行中の「番組」のものでなかつた場合はステツプＳＰ１３３に移つて「実行中ではありません」というエラーメツセージをメツセージ欄９２に表示した後、ステツプＳＰ１２８の処理に戻る。
【０３１６】
またステツプＳＰ１３２にて中止を指定した「項目」が現在、実行中の「番組」のものであつた場合はステツプＳＰ１３４に移る。ここでメツセージ欄９２中にエラーメツセージが表示されていた場合は、当該エラーメツセージを消してステツプＳＰ１４１に移る。そしてステツプＳＰ１２９において指定したリハーサル中止をＤＢサーバ７に登録する。
【０３１７】
またステツプＳＰ１２８においてリハーサルの実行を選択した場合、ステツプＳＰ１３５に移つてリハーサル実行を指定した「項目」のリハーサル開始時刻又は終了時刻が本番のオンエア送出の時間帯と重複しているか否かを判定する。ここでリハーサル実行を指定した「項目」のリハーサル開始時刻又は終了時刻が本番のオンエア送出の時間帯と重複していた場合は、ステツプＳＰ１３６に移つて「時間が重複しています」というエラーメツセージをメツセージ欄９２中に表示してステツプＳＰ１２８に戻る。
【０３１８】
またリハーサル実行を指定した「項目」のリハーサル開始時刻又は終了時刻が本番のオンエア送出の時間帯と重複していなかつた場合は、ステツプＳＰ１３７に進む。ここでメツセージ欄９２中にエラーメツセージが表示されていた場合は、当該エラーメツセージを消してステツプＳＰ１３８に移る。そしてステツプＳＰ１３８においてリハーサル実行を指定した「項目」が現在、実行中の「項目」か否かを判定し、ここでリハーサル実行を指定した「項目」が現在、リハーサル実行中の「番組」のものであるであつた場合はステツプＳＰ１３９の処理に移つて「すでに実行中です」というエラーメツセージをメツセージ欄９２中に表示してステツプＳＰ１２８に戻る。
【０３１９】
またリハーサル実行を指定した「項目」が現在、リハーサル実行中の「番組」のものでなかつた場合はステツプＳＰ１４０の処理に移る。ここでメツセージ欄９２中にエラーメツセージが表示されていた場合は、当該エラーメツセージを消してステツプＳＰ１４１に移る。そしてステツプＳＰ１４１において、「項目」単位でのリハーサル指定をＤＢサーバ７に登録した後、ステツプＳＰ１４２においてリハーサルポツプアツプ１９２を閉じ、ステツプＳＰ１２２の処理に戻る。
【０３２０】
ここでリハーサル対象となる目的「項目」に対するリハーサル設定が全て完了していれば、番組構成表によるリハーサル設定を完了することができる。
【０３２１】
このようにして番組構成表９５上にて目的とする単数又は複数の「項目」に対して「項目」単位でのリハーサル実行の設定又は実行中のリハーサル中止を設定し、この設定内容をＤＢサーバ７に登録する。以上により番組構成表によるリハーサル設定手順を終了する。
【０３２２】
（９−５）動作及び効果
以上の構成において、番組の項目に対してリハーサルを設定する場合、サブ内入力端末３４において、ＤＢサーバ７よりＬＡＮ８を通じて読み出す番組構成フアイルＦＤの番組データＣ１を番組表６０のデータとしてモニタ上に画面表示し、番組表６０において、リハーサル目的の項目をクリツク入力した後、番組表６０のリハーサル指定ボタン１８９をクリツク入力することによつて番組に対してリハーサル設定することができる。
【０３２３】
続いてこのようにしてリハーサル設定が完了した番組に対して、番組構成表によりリハーサル設定を行う。すなわち、サブ内入力端末３４において、番組構成フアイルＦＤの番組データＣ１を番組構成表７０のデータとして画面表示し、番組構成表９５のリハーサル指定ボタン１８９を選択してクリツクすることによつて、番組構成表９５に重ねてリハーサルポツプアツプ１９２を表示させる。
【０３２４】
これによりリハーサルポツプアツプ１９２を用いた簡易な方法により、リハーサル目的とする「項目」の指定を連続する項目番号を入力することによつて指定し、さらにリハーサルの開始時刻を入力することによつて、リハーサルを目的とする項目及び開始時刻の情報をＤＢサーバ７に登録することができる。
【０３２５】
かくして「番組」のリハーサルを、画面表示された番組構成表９５に対する簡易な入力操作によつて、リハーサルしたい部分を「項目」単位で指定して設定し得る。
【０３２６】
これにより本番の「番組」オンエア放送前の限られた時間内においても、リハーサルをしたい部分を「番組」の「項目」単位で設定して実行させることができる。
【０３２７】
さらにリハーサルポツプアツプ１９２を用いてリハーサル目的の「項目」のリハーサル開始時刻を設定して番組データＣ１としてＤＢサーバ７に登録するようにしたことによつて、送出機器制御部５の送出機器制御端末３１によつて番組データＣ１をＬＡＮ８を通じて読み出し、当該番組データＣ１に基づいて番組のリハーサルを設定した時刻に自動でリハーサルを実行させることができる。かくして番組制作及び番組送出の作業効率を一段と向上し得る。
【０３２８】
（９−６）他の実施例
なお上述の実施例においては、連続する１つグループの複数の「項目」に対してリハーサル実行を設定した場合について述べたが、本発明はこれに限らず、例えば項目１から項目４までの連続した項目グループに対するリハーサル実行と、その他の例えば項目６から項目９までの連続する項目グループに対してリハーサルの実行を同時に設定するようにしても良い。
【０３２９】
また上述の実施例においては、リハーサルポツプアツプ１９２内に表示される項目番号欄１９３、開始時刻欄１９４においてリハーサルを目的とする項目番号及びリハーサル開始時刻を設定した場合について述べたが、本発明はこれに限らず、例えば画面表示された番組構成表９５の項目名欄９６を直接クリツク入力して指定することによつて、目的項目に対してリハーサルを設定するようにしても良い。要はキユーシートデータに対してアクセスできる端末上において、ＬＡＮ８を通じて表示されたＤＢサーバ７内に登録されたキユーシートデータに基づいてリハーサル項目を選択するようにすれば良く、これにより簡易な入力操作によつて項目単位のリハーサル設定がなし得、上述の実施例と同様の効果を得ることができる。
【０３３０】
さらに上述の実施例においては、番組に対して項目単位でリハーサルを設定した場合について述べたが、本発明はこれに限らず、番組の「構成」単位でリハーサルを設定するようにしても良い。これにより上述の実施例と同様の効果を得ることができる。
【０３３１】
（１０）取材決定表等の画面表示
（１０−１）取材決定表等の画面表示
ニユース番組制作支援部２内に設けられた勤務予定入力端末１０において、入力担当者はニユース素材を取材する記者やカメラマンの勤務予定に関する勤務予定情報を勤務予定表の所定入力欄に入力することにより、当該勤務予定表を作成する。続いて勤務予定入力端末１０は、この勤務予定表を勤務予定フアイルＦＷに変換した後、ＬＡＮ８を介してＤＢサーバ７に格納する。
【０３３２】
実際上、この勤務予定表は図４７に示すようにモニタ上に画面表示される。この場合、1996年４月における「カメラ」業務に携わる取材担当者（カメラマン）は３人であり、1996年４月１日（月）から４月16日（火）までの半月間における３人の勤務予定情報がモニタに画面表示されるようになされている。具体的には、「山田」、「成田」及び「上島」の３氏名の勤務予定情報として、それぞれ「休み」、「早出」、「出張」及び「遅番」等の情報が１日毎に表示されている。
【０３３３】
またニユース番組制作支援部２内に設けられた取材管理端末１１の機材予定端末１１Ａにおいて、入力担当者は支局／支社／クラブ端末６からＬＡＮ８を介して供給される取材管理フアイルＦＳに基づいて、カメラ等の機材及び機材運搬用の自動車等の管理状態に関する機材管理情報を読み出した後、当該機材管理情報の内容を目視確認しながら取材決定表を作成する。また取材管理端末１１の取材予定端末１１Ｂ及び取材スタツフ端末１１Ｃにおいて、入力担当者は支局／支社／クラブ端末６からＬＡＮ８を介して供給される取材管理フアイルＦＳに基づいて、取材予定の種々の内容に関する取材予定情報の内容を読み出した後、当該取材予定情報の内容を目視確認しながら取材決定表を作成する。
【０３３４】
続いて取材管理端末１１（機材予定端末１１Ａ、取材予定端末１１Ｂ及び取材スタツフ端末１１Ｃ）は、機材管理情報及び取材予定情報（以下、これらを取材決定情報と呼ぶ）に基づいて取材決定表を完成し、当該取材決定表を取材管理フアイルＦＳに変換した後、ＬＡＮ８を介してＤＢサーバ７に格納する。
【０３３５】
実際上、この取材決定表は図４８に示すようにモニタ上に画面表示される。この場合、全登録件数24件のうち1996年４月14日（日）に取材予定のある表示項目件数は２件であり、これら２件分の取材決定情報がモニタに画面表示されるようになされている。具体的には、第１及び第２の取材決定情報として、それぞれ「取材項目」、「内容」、「取材場所」、「出発／帰社時刻」、「現地時刻」、「記者」、「カメラ」、「ＶＥ」、「照明」、「バイト」及び「機材」等の情報（以下、これを時変情報と呼ぶ）で構成されている。この取材決定表では、第２の取材決定情報のうち「カメラ」及び「機材」の各時変情報が空欄となつているが、このことは現時点では未だカメラマン及び機材がそれぞれ選定されていないことを表している。
【０３３６】
この取材決定表における各取材決定情報の空欄部分を埋める場合、入力担当者は当該空欄部分に割り当てる時変情報についての一覧を目視確認する必要がある。このため取材決定表の表示画面上の一部に、空欄部分である時変情報に割り当てる現時点の時変情報についての一覧（以下、これを候補情報群と呼ぶ）を重畳して表示（以下、これをポツプアツプ表示と呼ぶ）するようになされている。
【０３３７】
例えば図４８に示すような取材日が４月14日（日）の取材決定表において、第２の取材決定情報のうち「カメラ」を表す時変情報が空欄となつている場合に、当該空欄である時変情報をポツプアツプ表示する方法について説明する。まず図４７に示す勤務予定表のうち担当業務が「カメラ」であるものの候補情報群を図４９のように取材決定表の表示画面上の一部にポツプアツプ表示させる。この候補情報群には、各カメラマンの取材日（４月14日）の前後３日間の予定がそれぞれ表示される（但し、月末になると当月の最終日が右側に固定して表示される）ようになされている。
【０３３８】
入力担当者は、取材決定表の表示画面上にポツプアツプ表示された候補情報群を目視しながら各カメラマンの出勤日を取材日と対照し、さらに出勤可能なカメラマンの勤務時間を取材日の取材時間と対照することにより、取材日に取材可能なカメラマンを選定する。このとき入力担当者は、ポツプアツプ表示された候補情報群のうち選定したカメラマン名をマウスを用いてクリツク入力すると、当該選定されたカメラマン名（図４９の場合には「成田」氏）が取材決定表における第２の取材決定情報の「カメラ」を表す時変情報の空欄部分に記入されるようになされている。
【０３３９】
（１０−２）動作
勤務予定入力端末１０及び取材管理端末１１を有するニユース番組制作支援部２は、入力担当者によつて入力される指令信号に基づいて図５０に示す処理プログラムＲＴ０に従つて処理することにより、取材決定表をモニタに画面表示しながら当該取材決定表を完成させた後、ＤＢサーバ７に登録する。
【０３４０】
この実施例の場合、ニユース番組制作支援部２における勤務予定入力端末１０及び取材管理端末１１にはそれぞれマウス等の情報入力手段によつてクリツク入力し得るモニタが設けられ、当該モニタ上に表示された取材決定表に対して、マウス等の情報入力手段によつて所定の指令信号を入力し得るようになされている。
【０３４１】
図５０に示す処理プログラムＲＴ０において、ニユース番組制作支援部２はステツプＳＰ１２０から取材決定表の作成処理手順に入る。まずステツプＳＰ１２１において、ニユース番組制作支援部２内の各端末は入力担当者の入力操作によつて初期設定状態にされた後、ステツプＳＰ１２２に移つてモニタ上に取材決定表が画面表示される（図４７）。続いてステツプＳＰ１２３においてニユース番組制作支援部２は、取材決定表の作成を終了するか否かを判断する。
【０３４２】
このステツプＳＰ１２３において肯定結果が得られたときには、終了指示がされたためニユース番組制作支援部２はそのままステツプＳＰ１２５に移つてＤＢサーバ７に登録する。
【０３４３】
これに対してステツプＳＰ１２３において否定結果が得られたとき、このことは終了指示がされなかつたことを表している。この場合ニユース番組制作支援部２は、ステツプＳＰ１２４に移つて当該空欄部分の時変情報に割り当てる現時点の候補情報群（例えば「カメラマン」の勤務予定表）が選択されたか否かを判断する。
【０３４４】
このステツプＳＰ１２４において肯定結果が得られたときには、ニユース番組制作支援部２はステツプＳＰ１２６に移つて、勤務予定が入力されている取材担当者（例えばカメラマン）か否かを判断し、当該判断結果が肯定的である場合にはステツプＳＰ１２７に移つて当該勤務予定表に基づく候補情報群を取材決定表の一部にポツプアツプ表示する（図４９）。
【０３４５】
この後、ニユース番組制作支援部２は、ステツプＳＰ１２８において入力担当者が勤務予定表に基づく候補情報群から取材日に勤務可能な取材担当者（カメラマン）を選定したか否かを判断する。このステツプＳＰ１２８において否定結果が得られたときには再度ステツプＳＰ１２８に戻つて取材担当者が選定されるまで待つようにする。これに対してステツプＳＰ１２８において肯定結果が得られたときには、そのままステツプＳＰ１２９に移つて取材日における取材時間と取材担当者の勤務時間とが重複するか否かを判断する。
【０３４６】
続いてこのステツプＳＰ１２９において肯定結果が得られたときには、ニユース番組制作支援部２は取材決定表の所定欄にエラーメツセージ（例えば「時間が重複しています」等）を表示した後、ステツプＳＰ１３１に移つて取材決定表に表示されているポツプアツプ表示を画面から消去する。一方、ステツプＳＰ１２９において否定結果が得られたときには、ニユース番組制作支援部２はそのままステツプＳＰ１３１に移つて取材決定表に表示されているポツプアツプ表示を画面から消去する。
【０３４７】
この後、ニユース番組制作支援部２はステツプＳＰ１３２に移つて取材決定表に表示されているエラーメツセージを消去した後、そのままステツプＳＰ１３３に移つてＤＢサーバ７に登録し、再度ステツプＳＰ１２３に戻つて上述した処理手順を実行する。
【０３４８】
ところで、ステツプＳＰ１２６において否定結果が得られたとき、このことは選択された取材担当者に勤務予定がはいつていないことを表しており、ニユース番組制作支援部２はステツプＳＰ１３４に移つて、図５１に示すように、候補情報群を取材決定表の一部にポツプアツプ表示する。
【０３４９】
続いてニユース番組制作支援部２は、ステツプＳＰ１３５において入力担当者が担当者を表す候補情報群から担当者を選定したか否かを判断する。このステツプＳＰ１３５において否定結果が得られたときには再度ステツプＳＰ１３５に戻つて担当者が選定されるまで待つようにする。これに対してステツプＳＰ１３５において肯定結果が得られたときには、そのままステツプＳＰ１３６に移つて取材決定表に表示されているポツプアツプ表示を画面から消去した後、ステツプＳＰ１３２に移つて上述と同様の処理を実行する。
【０３５０】
このように取材決定表に表示された各取材決定情報について当該空欄部分の時変情報に割り当てる現時点の候補情報群を取材決定表の一部にポツプアツプ表示することにより、取材決定表を作成する入力担当者は当該ポツプアツプ表示に基づいて取材日に勤務可能な取材担当者や取材日に使用可能な機材等を選定することができると共に、取材決定表の作成時に取材担当者の勤務時間や機材等の使用時間に変更があつたときでも容易に当該変更後の内容を入力担当者に認識させることができる。
【０３５１】
また取材決定表において、空欄部分の時変情報に割り当てる現時点の候補情報群からは、取材日に勤務可能な取材担当者や取材日に使用可能な機材等が確保し得ない場合であつても、当該候補情報群とは別個又は同時に上述のような空欄部分の時変情報に割り当てる現時点の他の候補情報群をポツプアツプ表示するようにしたことにより、臨時の取材担当者や予備の機材等を確保することができる。
【０３５２】
さらにポツプアツプ表示に基づいて選定された取材担当者や機材等が既に別の取材のために選定され、当該別の取材における取材担当者の勤務時間又は機材等の使用時間が、予定していた取材日における取材時間と重複しているときには、取材決定表の所定欄にエラーメツセージ等のマークを表示することにより、選定不可である旨を自動的に入力担当者に認識させることができる。
【０３５３】
（１０−３）効果
以上の構成によれば、取材決定表に表示された各取材決定情報について当該未定の時変情報に割り当てる現時点の候補情報群を必要に応じて取材決定表の一部にポツプアツプ表示するようにしたことより、取材決定表の作成段階での内容に変更があつても当該変更後の内容がポツプアツプ表示されるため、誤つた時変情報が選定されるのを回避することができ、かくして常に最新の情報を伝達して業務効率を向上させることができる情報表示方法を実現し得る。
【０３５４】
（１０−４）他の実施例
なお上述の実施例においては、このような情報表示方法をニユース番組を制作するためのニユース番組制作装置１に適用した場合について述べたが、本発明はこれに限らず、その他種々のイベントや年中行事等を広報するための番組制作方法に用いるようにしても良い。要は、放送局や新聞社等の報道機関が取材予定内容を決めるための取材決定表を作成するときに用いるようにすれば良い。
【０３５５】
また上述の実施例においては、第１の一覧表（取材決定表）に表示された各行事決定情報（取材決定情報）について当該未定の時変情報に割り当てる現時点の候補情報群を第２の一覧表としてポツプアツプ表示するようにした場合について述べたが、本発明はこれに限らず、未定の時変情報に割り当てる現時点の候補情報群としては、記者やカメラマン等の勤務状態を表す勤務予定情報、及び車やカメラ等の使用状態を表す機材予定情報のみならず、その他種々の取材に携わる人や物等の予定情報に広く適用し得る。
【０３５６】
（１１）取材予定表の画面表示
（１１−１）取材予定表の画面表示
ニユース番組制作支援部２内に設けられた取材管理端末１１の取材予定端末１１Ｂにおいて、担当記者はニユース素材としてのイベントや年中行事等の取材予定情報を、支局／支社／クラブ端末６からＬＡＮ８を介して供給される取材管理フアイルＦＳに基づいて読み出した後、当該取材予定情報を取材予定表の所定入力欄に入力することにより、当該取材予定表を作成する。
【０３５７】
担当記者は、取材管理端末１１の取材予定端末１１Ｂを用いて、この取材予定情報の内容を変更し又は追加入力した後、取材管理フアイルＦＳを更新して書き込み、当該取材管理フアイルＦＳをＬＡＮ８を介してＤＢサーバ７に格納する。
【０３５８】
実際上、この取材予定表は図５２に示すようにモニタ上に画面表示される。この場合、全登録件数1293件のうち1996年４月14日（日）から４月20日（土）までの１週間に取材予定のある表示項目件数は５件であり、これら５件分の取材予定情報がモニタに画面表示されるようになされている。
【０３５９】
具体的には、第１〜第５の取材予定情報として、それぞれ「登録者」、「取材項目」、「内容」、「取材日」、「現地時刻」、「取材場所」及び「連絡先」等の情報で構成されている。また各「登録者」の前段には、この取材項目が採用されているか否かを表す「採」情報が表示されている。さらに第１〜第５の取材予定情報の各最端位置には、当該各取材予定情報が年中行事であるか否かを表す「年中」情報が表示されている。
【０３６０】
（１１−２）動作
ニユース番組制作支援部２内に設けられた取材管理端末１１の取材予定端末１１Ｂは、担当記者によつて入力される指令信号に基づいて図５３に示す処理プログラムＲＴ０に従つて処理することにより、取材予定表をモニタに画面表示すると共に、当該取材予定表をＤＢサーバ７に登録する。
【０３６１】
この実施例の場合、取材予定端末１１Ｂにはマウス等の情報入力手段によつてクリツク入力し得るモニタが設けられ、当該モニタ上に取材予定表が画面表示されたとき、マウス等の情報入力手段によつて所定の指令信号を入力し得るようになされている。
【０３６２】
図５３に示す処理プログラムＲＴ０において、取材予定端末１１ＢはステツプＳＰ１４０から取材予定表の作成処理手順に入る。まずステツプＳＰ１４１において、取材予定端末１１Ｂは担当記者の入力操作によつて初期設定状態にされた後、ステツプＳＰ１４２に移つてモニタ上に取材予定表が画面表示される。続いてステツプＳＰ１４３において取材予定端末１１Ｂは、取材予定表の作成を終了するか否かを判断する。
【０３６３】
このステツプＳＰ１４３において否定結果が得られたときには、取材予定端末１１ＢはステツプＳＰ１４４に移つて取材予定表における複数の取材予定情報のうち「年中」情報に○が付いているものがあるか否かを判断する。一方、ステツプＳＰ１４３において肯定結果が得られたときには、取材予定端末１１ＢはステツプＳＰ１４５に移つて当該処理手順を終了する。
【０３６４】
次いでこのステツプＳＰ１４４において肯定結果が得られたときには、取材予定端末１１ＢはステツプＳＰ１４６に移つて「年中」情報に○が付いている取材予定情報の「取材日」の日付が本日から過去１年以内であるか否かを判断する。具体的に図５２に示す取材予定表には、第５の取材予定情報のみ「年中」情報に○が付いており、第１〜第４の取材予定情報における各「年中」情報に○は付いていない。
【０３６５】
このステツプＳＰ１４６において肯定結果が得られたときには、取材予定端末１１ＢはステツプＳＰ１４７に移つて「取材日」の日付に１年分を加算した取材予定情報を作成した後、ステツプＳＰ１４８に移つてＤＢサーバ７に登録する。具体的には図５２に示す取材予定表における第５の取材予定情報（取材項目：「飯山桜祭り」）について、「取材日」情報の西暦を１年分加算した後（「96.04.14〜96.04.21」を「97.04.14〜97.04.21」に変更する）、この取材予定情報を図５４に示すように新たな取材予定表として作成する。
【０３６６】
一方ステツプＳＰ１４６において否定結果が得られたときには、未だその年中行事が終了していないため、取材予定端末１１ＢはそのままステツプＳＰ１４８に移つてＤＢサーバ７に登録する。
【０３６７】
これに対して、ステツプＳＰ１４４において否定結果が得られたときには、取材予定端末１１Ｂは取材予定情報のうち「年中」情報に○が付いているものがないと判断した後、ステツプＳＰ１４９に移つてさらに複数の取材予定情報のうち「年中」情報に付いている○が全て消えたか否かを判断する。このステツプＳＰ１４９において肯定結果が得られたときには、取材予定端末１１ＢはステツプＳＰ１５０に移つて「年中」情報に○が付いていない取材予定情報の「取材日」の日付が本日から過去１年以内であるか否かを判断する。
【０３６８】
このステツプＳＰ１５０において肯定結果が得られたときには、取材予定端末１１ＢはステツプＳＰ１５１に移つて当該取材予定情報を取材予定表から削除した後、ステツプＳＰ１４８に移つてＤＢサーバ７に登録する。具体的には図５４に示す取材予定表における項目「飯山桜祭り」を取材予定表から削除する。
【０３６９】
一方ステツプＳＰ１５０において否定結果が得られたときには、未だその年中行事指定が解除されていないため、取材予定端末１１ＢはそのままステツプＳＰ１４８に移つてＤＢサーバ７に登録する。
【０３７０】
これに対して、ステツプＳＰ１４９において否定結果が得られたときには、取材予定端末１１Ｂは取材予定情報のうち「年中」情報に○が付いているものがあると判断した後、ステツプＳＰ１４３に戻つて上述した処理手順を再度実行する。
【０３７１】
因みに、「年中」情報に○を付けた時点が「取材日」情報の時点又は期間の最終時点よりも前であるときには、当該「取材日」情報の時点又は期間の最終時点が経過した後に、その取材予定情報の「取材日」情報の西暦を１年分加算し、その後、この取材予定情報を新たな取材予定表として作成するようになされている。
【０３７２】
このように取材予定表における複数の取材予定情報のうち、毎年同じ時期に行われると共に、来年以降も取材対象となるイベントや年中行事等については、取材予定情報として設けられた年中行事指定欄に年中行事指定しておくことにより、毎年自動的に取材日の西暦のみ繰り下げた取材予定情報を取材予定表に登録することができる。これと共に、年中行事指定欄に年中行事指定されない取材予定情報は自動的に来年以降の取材予定表から削除することができる。
【０３７３】
（１１−３）効果
以上の構成によれば、取材予定表における複数の取材予定情報のうち、来年以降も毎年同じ時期に取材対象となるイベントや年中行事等に相当する取材予定情報のみを、毎年自動的に取材日の西暦のみを繰り下げて新規取材対象として更新するようにしたことにより、毎年毎年同じ情報を最初から取材予定表に入力し直す手間が省けると共に、入力し忘れてしまうのを回避することができ、かくして情報入力の作業効率を向上させることができる。
【０３７４】
（１１−４）他の実施例
なお上述の実施例においては、表示画面上に一覧表（取材予定表）として表示される複数の行事予定情報が行われる第１の期間を、1996年４月14日（日）から４月20日（土）までの１週間とした場合について述べたが、本発明はこれに限らず、第１の期間としては１週間以外にも３日、２週間及び１か月等種々の期間を自由に設定するようにしても良い。
【０３７５】
また上述の実施例においては、行事予定情報（取材予定情報）のうち指定した（すなわち「年中」情報に○を付けた）行事予定情報の時定情報（すなわち「取材日」情報）を第２の期間（１年間）経過後に繰り下げてＤＢサーバ７に更新するようにした場合について述べたが、本発明はこれに限らず、第２の期間としては１年間以外にも行事予定情報の定期性に応じて６か月間や２年間等種々の期間を自由に設定するようにしても良い。
【０３７６】
さらに上述の実施例においては、このような情報更新方法をニユース番組を制作するためのニユース番組制作送出装置１に適用した場合について述べたが、本発明はこれに限らず、その他種々のイベントや年中行事等を広報するための番組制作装置（図示せず）に用いたり、また放送局以外にも新聞社等の他の報道機関が取材予定のために用いるようにしても良い。
【０３７７】
さらに上述の実施例においては、行事予定情報として、イベントや年中行事等における取材項目名、取材場所及び取材日等の取材予定情報を適用した場合について述べたが、本発明はこれに限らず、定まつた日時に行なわれる事を表す予定情報であればその他種々の予定情報に広く適用しても良い。
【０３７８】
（１２）オンエア原稿
（１２−１）オンエア原稿の作成
オンエア原稿は、記者端末１５においてオンエア原稿作成用のアプリケーシヨンソフトウエアを用いて「項目」内の「構成（映像素材）」ごとに作成される。
【０３７９】
図５５に示すように、記者端末１５が報道部員（記者）によつて立ち上げられるとモニタ画面上に初期設定画面２２０を表示し、当該初期設定画面２２０の上部に表示した勤務表ボタン２２１、取材予定ボタン２２２、取材スタツフボタン２２３、原稿ボタン２２４〜事前設定ボタン２２８でなる各種メニユーボタンの中から原稿ボタン２２４が報道部員によつて選択されると、メニユーボタンの下部に原稿一覧２３０を表示する。
【０３８０】
記者端末１５において初期設定画面２２０は原稿一覧２３０の下部に取材原稿一覧２３１とオンエア原稿一覧２３２に分かれて表示されている。
【０３８１】
ここで、取材原稿一覧２３１は現地で取材した報道部員が作成した取材原稿のデータ一覧であり、オンエア原稿一覧２３２は編集者が報道部員によつて作成された取材原稿をチエツクし、当該取材原稿に手を加えて最終的にオンエアできる状態にしたオンエア原稿のデータ一覧である。
【０３８２】
取材原稿一覧２３１の項目欄２３１Ａにおいては「取材項目／タイトル」２３４……「読み時間」２３５……「取材原稿ＩＤ」２３６等の各項目ごとに分かれてデータが表示されており、オンエア原稿一覧２３２の項目欄２３２Ａにおいても「項目No./オンエア項目」２３７、「項目時間」２３８……「読み時間」２３９……「ＯＡ原稿ＩＤ」２４０等の各項目ごとに分かれてデータが表示されている。
【０３８３】
ところで、報道部員が現地で取材したことに基づいて原稿を作成しようとする場合、取材原稿一覧２３１に表示されている項目欄２３１Ａの中から所望の項目例えば「小学校入学式××××」にカーソルを合わせてクリツクすることにより、記者端末１５は項目「小学校入学式××××」に登録された「構成」ごとに原稿を作成するための原稿作成画面を次に開く。
【０３８４】
ちなみに、編集者が報道部員によつて作成された取材原稿をチエツクして最終的なオンエア原稿をＤＢサーバ７に登録する場合、オンエア原稿一覧２３２に表示されている項目欄２３２Ａの中から所望の項目例えば「小学校入学式××××」にカーソルを合わせてクリツクすればよい。このとき、記者端末１５は報道部員によつて作成された「小学校入学式××××」の原稿画面をモニタ上に開くようになされている。
【０３８５】
図５６に示すように、この原稿作成画面２４５においては、表示欄２４６に項目ナンバ／項目名（ナンバ１、「小学校入学式××××」）が表示され、表示欄２４７に項目時間が５０「秒」として表示され、表示欄２４８に番組名が「昼ニユース××××」として表示され、表示欄２４９に項目「小学校入学式××××」においてアナウンサが読み上げる原稿の読み時間が４４「秒」として表示される。なお、表示欄２５０にはオンエア原稿が編集者によつて修正あるいは変更されてプリントアウトした場合の版の回数が「１」として（この場合「１」なので修正あるいは変更されて再度プリントアウトされてはいない）表示される。
【０３８６】
続いて、記者端末１５においては報道部員が原稿入力枠２５１の上部分に設けられた素材マーク入力欄２５２にカーソルを合わせてクリツクすると、ＤＢサーバ７からキユーシート情報すなわち番組構成表のデータから構成されたポツプアツプ２５３を読み出して原稿入力欄２５８上にウインドウ画面として表示し、項目「小学校入学式××××」に登録されている各「構成」を構成ナンバ２５４、構成時間２５５及び素材マーク２５６及び２５７として表示する。
【０３８７】
素材マーク２５６及び２５７は各「構成」の映像素材ごとに分けられており、各映像素材ごとの映像の内容を分かり易く絵や文字等で示されると共に、オンエア時間が表示されている。ここで、ポツプアツプ２５３は報道部員のマウス操作により位置を自在に移動し得、原稿作成上の邪魔にならない箇所に自由に移動させられるようになされている。
【０３８８】
記者端末１５は報道部員によつてナンバ「１」の「１カメ吉田アナウンサ」のカメラシヨツト映像を表す素材マーク２５６がクリツクされると、素材マーク入力欄２５２に素材マーク２５６を貼り付けて表示すると共に、１／２ページの原稿入力欄２５８のデータが入力された位置にカーソルを移動させて入力準備状態に移行するようになされている。
【０３８９】
これにより、報道部員は素材マーク入力欄２５２に表示させた「１カメ吉田アナウンサ」の素材マーク２５６を確認しながら、この素材マーク２５６のときにアナウンサが読み上げる原稿を入力して、素材マーク２５６と１／２ページに入力した原稿とを１対１に対応付けることができる。
【０３９０】
ちなみに、記者端末１５は素材マーク入力欄２５２の上部にメツセージ欄２５９が設けられており、必要に応じて「リード」あるいは「ここからＮＶ」等の簡単なメツセージを報道部員によるキー操作によつて表示するようになされている。これにより、アナウンサは素材マーク２５６とメツセージ欄２５９のメツセージ（「リード」）を確認することによつてオンエア中の放送映像の内容を容易に認識しながらオンエア原稿を読み上げることができる。
【０３９１】
続いて、記者端末１５は報道部員によつて１／２ページに原稿が入力された後、先程と同様に２／２ページの上の部分に設けられた構成用マーク入力欄２６０がクリツクされるとポツプアツプ２５３を２／２ページの原稿入力欄２６１上に開く。
【０３９２】
記者端末１５は報道部員によつてポツプアツプ２５３の「ＮＶ：市内小学校」の映像素材を表す素材マーク２５７がクリツクされると、素材マーク入力欄２６０に素材マーク２５７を貼り付けて表示すると共に、２／２ページの原稿入力欄２６１のデータが入力された位置にカーソルを移動させて入力準備状態に移行する。
【０３９３】
この後、報道部員は素材マーク入力欄２６０に表示させた「ＮＶ：市内小学校」の素材マーク２５７を確認しながら、この素材マーク２５７の映像素材がオンエアしている間にアナウンサが読み上げる原稿を入力し、素材マーク２５７と２／２ページのオンエア原稿とを１対１に対応付けるようにしている。
【０３９４】
ここで、１／２ページに設けられた文字数欄２６３は２ページ分全体の文字数（この場合２１８文字）のうち当該１／２ページの原稿入力欄２５８に入力された文字数（８９文字）を表し、読み時間欄２６４は２ページ分全体の読み時間（４４秒）のうち当該１／２ページのオンエア原稿を読み上げる読み時間（１０秒）を表示している。
【０３９５】
この場合、読み時間欄２６４に表示された読み時間（４４秒）はアナウンサの原稿を読み上げる速さ（例えば吉田アナウンサは１分間に３００文字読み上げることができる）に応じて算出されるように予めプログラムされており、担当のアナウンサによつて読み上げられる速さの文字数に応じて報道部員がオンエア原稿の文章を入力するようになされている。
【０３９６】
ところで、記者端末１５はオンエア原稿をアナウンサが間違いなく正確に読めるようにするために、表示欄２４６の上部に横指定ボタン２６７、及び表示欄２４７の上部にルビボタン２６８を備えている。
【０３９７】
従つて、記者端末１５は報道部員によつて１／２ページの３行目に縦に並んで入力されている数字「１２３」が指定され横指定ボタン２６７がクリツクされることにより、数字「１２３」を横に見易く表示するようになされている。また、記者端末１５は例えば報道部員によつて１／２ページの８行目に入力された「満開」という漢字が指定されルビボタン２６８がクリツクされることにより、「満開」という漢字の横に振り仮名（「まんかい」）をふつて読み易く表示するようになされている。
【０３９８】
さらに、原稿作成画面２４５は下部の「Ｆ１」キー２５１Ａに削除機能を、「Ｆ２」キー２５１Ｂに挿入機能を、「Ｆ４」キー２５１Ｃに移動機能を、「Ｆ５」キー２５１Ｄに複写機能を、「Ｆ７」キー２５１Ｅにアンドウ機能を、「Ｆ８」キー２５１Ｆに登録機能を持たせている。
【０３９９】
従つて、報道部員は原稿を入力する際に「Ｆ１」キー２５１Ａを用いて不要な文章を削除したり、「Ｆ２」キー２５１Ｂを用いて文章中に必要な言葉を挿入して加えたり、「Ｆ４」キー２５１Ｃを用いて指定した文章を所望の箇所に移動したり、「Ｆ５」キー２５１Ｄを用いて指定した文章を複写したり、「Ｆ７」キー２５１Ｅを用いて直前の処理を取り消して一度前の状態に戻したり、「Ｆ８」キー２５１Ｆを用いて入力した原稿を登録する処理を実行し得るようになされている。
【０４００】
一方、報道部員はこのようにして入力した原稿の全ページにおける文字数及び読み時間を確認したい場合、表示欄２４９の上部に設けられた全体情報ボタン２６９にカーソルを合わせてクリツクする。
【０４０１】
これにより、記者端末１５は図５７に示すように原稿作成画面２４５上に重ねて全ページにおける文字数及び読み時間に関する情報を表示したポツプアツプ（ウインドウ画面）２６９Ａを開いて各ページ毎の情報を提供するようになされている。
【０４０２】
報道部員はポツプアツプ２６９Ａを全て確認した後に間違いがないと判断すると、原稿作成画面２４５上に開いたポツプアツプ２５３を閉じて最後に登録ボタン２６５をクリツクする。これにより、記者端末１５は入力された原稿をオンエア原稿フアイルＯＦとしてＬＡＮ８を介してＤＢサーバ７に登録するようになされている。
【０４０３】
また、記者端末１５は報道部員によつて印刷ボタン２６６がクリツクされるとＤＢサーバ７に登録したオンエア原稿フアイルＯＦに基づいてオンエア原稿をプリントアウトするようになされている。かくして、アナウンサはプリントアウトしたオンエア原稿の素材マーク２５６及び２５７を確認することにより、オンエア中の映像素材を確認しながらオンエア原稿を間違いなく正確に読み上げることができる。
【０４０４】
なお、ニユース番組制作送出装置１においては記者端末１５の原稿作成画面２４５で１／２ページ及び２／２ページの各原稿入力欄２５８及び２６１ごとに各「構成」の素材マークをそれぞれ対応させた状態で原稿を入力した後、サブ内入力端末３４で番組構成表内の「構成」が変更される場合がある。
【０４０５】
このような場合でも、ニユース番組制作送出装置１は記者端末１５によつて作成されたオンエア原稿フアイルＯＦ及び番組構成表のデータがＬＡＮ８を介してＤＢサーバ７に登録されてネツトワークが構築されていることにより、番組構成表内の「構成」の変更に応じて原稿作成画面２４５上に表示されるポツプアツプ２５３の各「構成」ごとの構成時間や素材マークもリアルタイムで変更される。これにより、報道部員は番組構成表の変更に連係して変更された構成時間に合わせて原稿を正確に入力し得るようになされている。
【０４０６】
（１２−２）オンエア原稿の作成手順
次に、実際に番組構成表の項目に含まれる各「構成」をポツプアツプ２５３で参照してオンエア原稿を作成する処理手順を図５８のフローチヤートを用いて説明する。
【０４０７】
記者端末１５においては、ステツプＳＰ１６１の開始ステツプから入つてステツプＳＰ１６２に移る。ステツプＳＰ１６２において記者端末１５は報道部員の操作によつてオンエア原稿作成のためのアプリケーシヨンソフトウエアが立ち上げられて初期設定画面２２０（図５５）をモニタ上に表示する。
【０４０８】
ステツプＳＰ１６３において、記者端末１５は報道部員によつて取材原稿一覧２３１の項目欄２３１Ａの中から項目「小学校入学式××××」がクリツクされると、初期設定画面２２０から原稿作成画面２４５（図５６）に切り換えてモニタ画面上に表示してステツプＳＰ１６４に移る。
【０４０９】
ステツプＳＰ１６４において、記者端末１５は原稿作成画面２４５において報道部員の操作によつて他の処理に移行して当該原稿作成画面２４５の処理を終了させるか否かを判定する。ここで肯定結果が得られると、これは既に原稿作成画面２４５においてオンエア原稿の作成が終了して他の画面に移行することを表しており、このときステツプＳＰ１６５に移つて処理を終了する。
【０４１０】
これに対してステツプＳＰ１６４で否定結果が得られると、これは原稿作成画面２４５においてオンエア原稿の作成が終了していないことを表しており、このときステツプＳＰ１６６に移る。
【０４１１】
ステツプＳＰ１６６において、記者端末１５は原稿作成画面２４５の１／２ページの素材マーク入力欄２５２が報道部員によつてクリツクされたか否かを判定する。ここで否定結果が得られると、これは未だ素材マーク入力欄２５２がクリツクされていないことを表しており、このときステツプＳＰ１６４に戻つて再度処理を繰り返す。
【０４１２】
これに対してステツプＳＰ１６６で肯定結果が得られると、これは既に構成用マーク入力欄２５２が報道部員によつてクリツクされたことを表しており、このときステツプＳＰ１６７に移る。
【０４１３】
ステツプＳＰ１６７において、記者端末１５はＬＡＮ８を介してＤＢサーバ７からポツプアツプ２５３を読み出し、当該ポツプアツプ２５３を原稿作成画面２４５の原稿入力欄２５８上に重ねて表示してステツプＳＰ１６８に移る。
【０４１４】
ステツプＳＰ１６８において、記者端末１５は報道部員によつてポツプアツプ２５３の中から所望の素材マーク２５６がクリツクされると、ＳＰ１６９に移つて素材マーク入力欄２５２にクリツクされた素材マーク２５６を貼り付けて表示し、１／２ページのデータが入力された位置に原稿入力できる状態にカーソルを移動する。このとき、素材マーク２５６には構成時間もマーク内に表示されていることにより、報道部員はポツプアツプ２５３を見なくても構成時間を確認できる。
【０４１５】
ステツプＳＰ１６９において、記者端末１５は報道部員によつて１／２ページに原稿が入力される。
【０４１６】
同様に、記者端末１５は原稿作成画面２４５の素材マーク入力欄２６０が報道部員によつてクリツクされると、ポツプアツプ２５３を原稿入力欄２６１上に重ねて表示し、当該ポツプアツプ２５３の素材マーク２５７が選択されると素材マーク入力欄２６０に素材マーク２５７を貼り付けて表示し、２／２ページのデータが入力された位置に原稿入力できる状態にカーソルを移動し、報道部員によつて２／２ページまで全て原稿が入力される。
【０４１７】
これにより、原稿作成画面２４５においては「構成」毎に分かれた各原稿入力欄２５８及び２６１に素材マーク２５６及び２５７をそれぞれ対応させた状態で原稿が入力され、原稿と素材マークとが１対１に対応したアナウンサにとつて読み易いオンエア原稿が入力されたことになる。
【０４１８】
ステツプＳＰ１７０において、記者端末１５は報道部員によつて登録ボタン２６５がクリツクされたか否かを判定する。ここで否定結果が得られると、これは未だ登録ボタン２６５がクリツクされていないことを表しており、このときステツプＳＰ１７０に戻つて登録ボタン２６５がクリツクされるまで待ち続ける。
【０４１９】
これに対して、ステツプＳＰ１７０において肯定結果が得られると、これは報道部員によつて登録ボタン２６５がクリツクされたことを表しており、このときステツプＳＰ１７１に移る。
【０４２０】
ステツプＳＰ１７１において、記者端末１５は報道部員によつて入力された原稿をオンエア原稿フアイルＯＦとしてＬＡＮ８を介してＤＢサーバ７に登録してステツプＳＰ１６４に戻る。
【０４２１】
（１２−３）動作及び効果
以上の構成において、ニユース番組制作送出装置１はオンエア原稿を入力するための記者端末１５と番組構成表を作成しているデスク端末１８及びオンエア原稿や番組構成表に関する情報を登録したＤＢサーバ７を全てＬＡＮ８を介して接続し、ネツトワークを構築するようにしたことにより、記者端末１５の原稿作成画面２４５においてアナウンサが読み上げるときのオンエア原稿を作成する際に、「構成」毎の構成時間及び構成内容を表した素材マーク２５６及び２５７の表示されたポツプアツプ２５３をＤＢサーバ７から読み出して参照することができる。
【０４２２】
これにより、記者端末１５は原稿作成画面２４５において「構成」ごとの映像素材を表す「構成」マークと報道部員によつて入力される原稿とを１対１に対応付けられ、オンエア原稿フアイルＯＦとしてＤＢサーバ７に登録することができる。従つて、記者端末１５はＤＢサーバ７に登録したオンエア原稿をプリントアウトすることにより、アナウンサはオンエア原稿に表示されている素材マークを確認しながらオンエア原稿を読み上げることができる。
【０４２３】
また、ニユース番組制作送出装置１は他の端末例えばサブ内入力端末３４による操作で番組構成表に関するデータ例えば「構成」のオンエア時間が変更された場合でも、オンエア原稿と番組構成表に関するデータとはＬＡＮ８を介して連係されているために、オンエア原稿を作成するときに参照するポツプアツプ２５３に記載されている「構成」のオンエア時間もリアルタイムで変更される。これにより、報道部員は原稿作成画面２４５において常に正確な情報を得ることができ、各「構成」に合わせた正確なオンエア原稿を作成することができる。
【０４２４】
以上の構成によれば、ニユース番組制作送出装置１はオンエア原稿を入力する記者端末１５と番組構成表を作成するデスク端末１８及びオンエア原稿や番組構成表に関する情報を登録したＤＢサーバ７を全てＬＡＮ８を介して接続し、ネツトワークを構築したことにより、データをそれぞれ連係させることができ、かくして、報道部員は原稿作成画面２４５においてＤＢサーバ７から読み出したポツプアツプ２５３を参照しながら各「構成」ごとに原稿を入力することができる。
【０４２５】
（１２−４）他の実施例
なお上述の実施例においては、記者端末１５がオンエア原稿をプリントアウトし、当該オンエア原稿をアナウンサに読み上げてもらうようにした場合について述べたが、本発明はこれに限らず、アナウンサのデスク上にモニタの表示画面を設けておき、当該表示画面に映し出したオンエア原稿をアナウンサに見せるようようにしても良い。
【０４２６】
また、上述の実施例においては、オンエア原稿の作成を記者端末１５を用いて実行するようにした場合について述べたが、本発明はこれに限らず、オンエア原稿を作成するためのアプリケーシヨンソフトウエアがプログラムされた端末であればデスク端末１８や他の任意の端末においてオンエア原稿を作成するようにしても良い。この場合にも上述の実施例と同様の効果を得ることができる。
【０４２７】
（１３）ＯＡ尺表示
（１３−１）ＯＡ尺を用いた映像データの収録方法
ニユース番組制作送出装置１において、報道部員がオンエアサーバ管理端末２５を用いて各「項目」ごとの映像素材に関する情報（項目名、素材名、ＯＡ尺、進捗状況及びＩＤナンバ等）をＤＢサーバ７からオンエアサーバコントローラ端末９を介して読み出し、リニア編集機２０によつて編集されたビデオテープをＶＴＲ２１に装填することにより読み出した映像素材名に応じた映像データを再生し、素材名（タイトル）と映像データとを１対１に対応させた状態でオンエアサーバ部２２（ハードデイスク）に収録するようになされている。
【０４２８】
ここで、図５９に示すようにオンエアサーバ部２２に収録する時のテープフオーマツトは定められており、プログラム開始点及びプログラム終了点で区切られたデータ領域に放送映像時間のプログラム映像データが記録され、このデータ領域をＯＡ尺として定めている。
【０４２９】
このＯＡ尺の前に設けられた前カツトは、収録開始点から「ＸＸ」秒後のプログラム開始点までのデータ領域であり、ＯＡ尺の後ろに設けられた捨てカツトはプログラム終了点から「ＹＹ」秒後の収録終了点までのデータ領域である。
【０４３０】
また、前カツトにおいては収録開始点からＣｕｅＵｐ点までの間にカラーバー信号や文字情報等が記録されており、ＣｕｅＵｐ点はプログラム開始点の「Ｚ」秒前（通常は１秒前）に設定されており、テープに記録された映像を再生し始めたときに再生映像がＯＡ尺のプログラム開始点までに落ち着くように設けられている。さらに、捨てカツトは何らかの原因によつて放送時間を延長したいときに放送するプログラム映像データの延長部分であり、通常１５秒〜２０秒程度の余裕を持つてオンエアサーバ部２２に収録しておくようになされている。
【０４３１】
従つて、オンエアサーバ管理端末２５においては報道部員によつて収録したい編集済みのビデオテープをＶＴＲ２１に装填してＰＧＭ開始点さえ頭出ししておけば、収録開始点は予め決まつているのでプログラム開始点の「ＸＸ」秒前の位置から再生を開始してオンエアサーバ部２２のハードデイスクに映像データを収録し、報道部員の停止操作によつて収録終了点で収録を終了するようになされている。
【０４３２】
このときの収録開始点から収録終了点までの映像データ範囲を収録尺と呼び、タイムコードとしてオンエアサーバ管理端末２５の収録画面上に表示するようになされている。
【０４３３】
次に図６０に示すように、オンエアサーバ管理端末２５はＯＡ尺及び収録尺等の時間情報を用いて収録するためのアプリケーシヨンソフトウエアによつてモニタ画面上に収録画面２７０を表示する。
【０４３４】
この収録画面２７０は、最上部に画面上で操作し得る画面操作子群を有し、当該画面操作子群として収録ボタン２７１、送出ボタン２７２、一本化ボタン２７３、素材管理ボタン２７４、事前設定ボタン２７５からなる各種メニユーボタンを有し、当該各種メニユーボタンの中から収録ボタン２７１が報道部員によつてクリツクされると収録する番組の各項目における情報（項目名、素材名、ＯＡ尺、進捗状況及びＩＤナンバ等）を一覧表として表示するようになされている。
【０４３５】
実際上、オンエアサーバ管理端末２５は報道部員によつて収録画面２７０上の番組素材ボタン２７８がクリツクされると現在時刻から最も近い時刻に放送される予定の番組（この場合、番組表示部２７６に「Wrap Up Today 」、送出予定日時表示部２７７に「４月１６日（火）18:00:00〜18:25:00」が表示される）の各項目毎の映像素材に関する情報（項目名、素材名、ＯＡ尺、進捗状況及びＩＤナンバ等）をニユースビデオ素材表示部２８１に表示する。
【０４３６】
ここで、プール素材ボタン２７９はオンエアサーバ部２２に収録しておきたいプール用の映像素材を選択する場合に用いられ、汎用素材ボタン２８０は頻繁にオンエアする機会の多い映像素材をオンエアサーバ部２２に収録しておきたい場合に用いられるボタンであり、本実施例の場合には番組素材ボタン２７８を選択した場合についてのみ説明する。
【０４３７】
ニユースビデオ素材表示部２８１は「項目No. ／項目名」欄２８２、「構成No. ／素材名」欄２８３、「ＯＡ尺」欄２８４、「画」欄２８５、「収録尺」欄２８６、「進捗」欄２８７、「区分」欄２８８、「一本化」欄２８９、「ＩＤナンバ」欄２９０に分けられ、それぞれ各種情報を表示する。
【０４３８】
オンエアサーバ管理端末２５は、収録画面２７０上のニユースビデオ素材表示部２８１で報道部員によつて収録すべき映像素材名（例えば項目ナンバ「１」、項目名「ヘツドライン」、構成ナンバ「１」、素材名「相模川鮎解禁」）がクリツクされると、当該クリツクされた映像素材名の横一列全てを赤色で表示して現在選択されていることを示すようになされている。
【０４３９】
この状態で報道部員によつて収録ボタン２９１がクリツクされると、オンエアサーバ管理端末２５はＤＢサーバ７からＬＡＮ８を介して読み出した供給元選択ポツプアツプを収録画面２７０上に重ねて表示する。
【０４４０】
図６１に示すように、収録画面２７０上に重ねた状態で開かれた供給元選択ポツプアツプ３００は、接続されたＶＴＲ２１（この場合２台分）を「Ｖ１」及び「Ｖ２」として表示すると共に、放送局外から映像素材を取り込むための複数の回線を「Ｒ１」〜「Ｒ４」として表示する。
【０４４１】
報道部員は予めリニア編集機２０を用いて編集しておいたビデオテープをビデオテープレコーダＶ１に装填してあるので、供給元選択ポツプアツプ３００上の第１のビデオテープレコーダ「Ｖ１」を選択して実行ボタン３０１をクリツクする。これにより、オンエアサーバ管理端末２５は供給元選択ポツプアツプ３００を閉じると共に収録を開始し、選択された映像素材（「相模川鮎解禁」）の収録状況を確認できるようにニユースビデオ素材表示部２８１の下部に設けられたステータス表示部２９２に収録状況を表示し得るようになされている。
【０４４２】
ちなみに、供給元選択ポツプアツプ３００の取消ボタン３０２は収録を中止して当該供給元選択ポツプアツプ３００を閉じるためのものである。
【０４４３】
また、オンエアサーバ管理端末２５はＶＴＲ２１（Ｖ１及びＶ２）及び、放送局外から回線（Ｒ１〜Ｒ４）を介して取り込んだ映像素材を同時並列して収録することも可能であり、それぞれの収録状況をステータス表示部２９２のステータス表示２９３〜２９９に表示するようになされている。
【０４４４】
また、収録画面２７０の右下部に設けられたメツセージ欄２７０Ｍは、例えば収録する際に指定したＶＴＲ２１がオンエアサーバ部２２と接続されておらず、収録不可能である等の状況をエラー情報として表示するようになされている。
【０４４５】
実際上、図６２（Ａ）に示すように、例えば収録画面２７０のステータス表示２９３においては、報道部員によつて供給元選択ポツプアツプ３００の実行ボタン３０１がクリツクされる前の状態を示している。この場合、各種操作ボタンＢＴＮにはマスクがかけられて操作できないようになされている。
【０４４６】
図６２（Ｂ）に示すように、ステータス表示２９３においては、報道部員によつて供給元選択ポツプアツプ３００の実行ボタン３０１がクリツクされると、表示欄３０３に「収録１」として収録ラインＮＯ．を表示し、タイムコード欄３０４にこれからカウントする収録尺のタイムコード「00:00:00:00 」を表示すると共に、ＯＡ尺欄３０５に映像素材のＯＡ尺「00:10 」を表示する。
【０４４７】
また、ステータス表示２９３は素材名欄３０６に「相模川鮎解禁」の映像素材名を表示し、収録処理を行つている報道部員に一目で収録中の映像素材名を認識させるようになされている。タイムコード欄３０４及びＯＡ尺欄３０５の左隣には長方形状のスタンプ画枠３０７が設けられ、収録中になると実行枠部分が赤色で表示されると共に、ＯＡ尺のプログラム開始点のフアーストカツト映像がスタンプ画（図５９）として表示される。
【０４４８】
ステータス表示２９３の最下段にはメツセージ欄３０８が設けられ、「Ｖ１素材ＳＴ−ＢＹ中」を表示する。これにより、報道部員はＶＴＲ２１の「第１のビデオテープレコーダＶ１」において収録準備中であることを認識し得るようになされている。
【０４４９】
この場合も、まだ収録が開始されていないため、各種操作ボタンＢＴＮには全てマスクがかけられて操作できないままの状態である。
【０４５０】
続いて、図６２（Ｃ）に示すように、ステータス表示２９３においてはＶＴＲ２１の「第１のビデオテープレコーダＶ１」が準備終了すると自動的に収録が開始され、メツセージ欄３０８の表示が「Ｖ１から収録中」に変わる。この場合、タイムコード欄３０４のタイムコードがカウントアツプすると共に、プログラム開始点になるとＯＡ尺欄３０５の値がプログラム終了点に向かつて「00:10 」から「00:09 」、「00:08 」〜「00:00 」へとカウント結果をカウントダウン表示する。
【０４５１】
このときスタンプ画３０７には実行枠の中にオンエアサーバ部２２に収録中の映像データのフアーストカツト映像がスタンプ画として表示されると共に、実行枠が赤色で表示される。これにより、報道部員はステータス表示２９３を確認することにより、「第１のビデオテープレコーダＶ１」において現在収録中であることを容易に認識し得るようになされている。
【０４５２】
このとき、オンエアサーバ管理端末２５はニユースビデオ素材表示部２８１の「進捗」欄２８７（図６０）に「収録中」を表示し、「画」欄２８５の中にもスタンプ画３０７の実行枠に表示されたフアーストカツト映像と同じスタンプ画を表示する。
【０４５３】
ここで、オンエアサーバ管理端末２５においては、ＶＴＲ２１の再生動作と同時にオンエアサーバ部２２への収録を自動的に開始するが、収録の終了については前カツト（ＸＸ秒）＋ＯＡ尺＋捨てカツト（ＹＹ秒）秒後の収録終了点で報道部員の停止操作によつて収録を終了するようにシステム設定されている。すなわち、オンエアサーバ管理端末２５においてはキユーシート情報（番組構成表のデータ）に急な変更があつたときに収録終了点を早めて収録時間を短縮しなければならず、このようなときに報道部員の停止操作によつて収録終了点を変更する必要がある。
【０４５４】
従つて、各種操作ボタンＢＴＮ（図６２）は操作に必要なストツプボタン３０９及びエンドボタン３１０を除いて全てマスクがかけられており、ストツプボタン３０９及びエンドボタン３１０だけが操作できるようになされている。
【０４５５】
つまり、報道部員がＯＡ尺よりも早めに収録を終了したい場合、ストツプボタン３０９をクリツクすればよい。
【０４５６】
この場合、オンエアサーバ管理端末２５はストツプボタン３０９がクリツクされるとＶＴＲ２１の「第１のビデオテープレコーダＶ１」による再生及びオンエアサーバ部２２の収録を終了し、「進捗」欄２８７の表示を「収録済」に変えて実際に収録した時間を「収録尺」欄２８６に秒単位で表示する。
【０４５７】
また、報道部員が収録中に収録を中止したい場合、エンドボタン３１０をクリツクすればよい。この場合、オンエアサーバ管理端末２５は収録画面２７０上に図６３に示すような収録中止ポツプアツプ３１１を開く。
【０４５８】
従つて、オンエアサーバ管理端末２５は報道部員によつて実行ボタン３１２がクリツクされるとＶＴＲ２１の「第１のビデオテープレコーダＶ１」による再生及びオンエアサーバ部２２の収録を中止し、フアイルをクローズしてしまう。このとき、ニユースビデオ素材表示部２８１の「進捗」欄２８７は「未収録」になり、「ＩＤナンバ」欄２９０のＩＤナンバは消えると共に、ステータス表示２９３も空欄状態に戻る。また、収録中止ポツプアツプ３１１において取消しボタン３１３がクリツクされると収録を中止することなく当該収録中止ポツプアツプ３１１を閉じる。
【０４５９】
図６３（Ｄ）に示すように、オンエアサーバ管理端末２５はステータス表示２９３のＯＡ尺欄３０５の値が「00:00 」になると警告音を鳴らしてＯＡ尺分の映像データを収録し終わつたことを報道部員に知らせると共に、引き続いて捨てカツトの映像を収録し始める。このときＯＡ尺欄３０５は捨てカツトの映像時間をマイナス表示例えば「-00:01」、「-00:02」、「-00:03」〜「-00:30」（収録終了点）と表示する。
【０４６０】
従つて、報道部員はＯＡ尺欄３０５の捨てカツトの値が「-00:30」（収録終了点）になつた時点でストツプボタン３０９をクリツクする。これにより、オンエアサーバ管理端末２５は収録を終了し、ニユースビデオ素材表示部２８１の「進捗」欄２８７を「収録済」に変えると共に、「収録尺」欄２８６に収録尺を秒単位で表示する。
【０４６１】
図６３（Ｅ）に示すように、ステータス表示２９３においては報道部員の停止操作によつて捨てカツトの映像まで収録が終了すると、タイムコード欄３０４の値が収録尺分の時間として表示されると共に、ＯＡ尺欄３０５の値が「-00:30」と表示される。これにより、報道部員は捨てカツトの映像データを30「秒」間収録したことを認識する。また、メツセージ欄３０８は表示内容が「Ｖ１収録済」に変わり、スタンプ画３０７の実行枠も赤色表示が消える。
【０４６２】
（１３−２）ＯＡ尺を用いた映像データの収録手順
次に、実際にオンエアサーバ管理端末２５において項目ごとの各映像素材をオンエアサーバ部２２に収録するまでの処理手順を図６４及び図６５のフローチヤートを用いて説明する。
【０４６３】
オンエアサーバ管理端末２５においては、ステツプＳＰ１８１の開始ステツプから入つてステツプＳＰ１８２に移る。
【０４６４】
ステツプＳＰ１８２においてオンエアサーバ管理端末２５はアプリケーシヨンソフトウエアによつて、ＬＡＮ８を介してＤＢサーバ７から収録画面２７０を表示するための初期設定を行つてステツプＳＰ１８３に移る。
【０４６５】
ステツプＳＰ１８３において、オンエアサーバ管理端末２５は報道部員によつて収録ボタン２７１がクリツクされることによつて収録画面２７０をモニタ上に表示してステツプＳＰ１８４に移る。
【０４６６】
ステツプＳＰ１８４において、オンエアサーバ管理端末２５は報道部員による収録画面２７０の終了指示がされたか否かを判定する。ここで肯定結果が得られると、これは既に収録画面２７０における収録が終了して他の処理画面に移行することを表しており、このときステツプＳＰ１８５に移つて収録の処理を終了する。これに対してステツプＳＰ１８４で否定結果が得られると、これはオンエアサーバ管理端末２５が報道部員によつて指定された映像素材の映像データをオンエアサーバ部２２に収録し終わつていないことを表しており、このときステツプＳＰ１８６に移る。
【０４６７】
ステツプＳＰ１８６において、オンエアサーバ管理端末２５は報道部員によつて収録すべき映像素材が選択され、収録ボタン２９１がクリツクされたか否かを判定する。ここで否定結果が得られると、これは未だ収録すべき映像素材の選択及び収録ボタン２９１がクリツクされていないことを表しており、このときステツプＳＰ１８４に戻つて収録指示がなされるまで上述の処理を繰り返す。
【０４６８】
これに対してステツプＳＰ１８６で肯定結果が得られると、これは収録すべき映像素材が選択され、収録ボタン２９１がクリツクされたことを表しており、このときオンエアサーバ管理端末２５はステツプＳＰ１８７に移る。
【０４６９】
ステツプＳＰ１８７において、オンエアサーバ管理端末２５は選択した映像素材をオンエアサーバ部２２に収録するように指示し、指示したことをＬＡＮ８を介してＤＢサーバ７に登録してデータを更新する。
【０４７０】
ステツプＳＰ１８８において、オンエアサーバ管理端末２５は取込み機器として指定されたＶＴＲ２１の「第１のビデオテープレコーダＶ１」及びオンエアサーバ部２２に収録準備を行うように指示を出してステツプＳＰ１８９に移る。
【０４７１】
ステツプＳＰ１８９において、オンエアサーバ管理端末２５はＶＴＲ２１の「第１のビデオテープレコーダＶ１」及びオンエアサーバ部２２に収録の準備をさせると共に、収録準備中であることをステータス表示２９３のメツセージ欄３０８に「Ｖ１素材ＳＴ−ＢＹ中」（図６２（Ｂ））を表示し、ＬＡＮ８を介してＤＢサーバ７に登録してデータを更新する。
【０４７２】
ステツプＳＰ１９０において、オンエアサーバ管理端末２５はＶＴＲ２１の「第１のビデオテープレコーダＶ１」及びオンエアサーバ部２２の収録準備ができたか否かを判定する。ここで否定結果が得られると、これはＶＴＲ２１が正確に接続されていない等の何らかの原因によつて収録準備ができない状況にあることを表しており、このときステツプＳＰ１９１に移る。
【０４７３】
ステツプＳＰ１９１において、オンエアサーバ管理端末２５は収録画面２７０のメツセージ欄２７０Ｍに収録準備ができない原因をエラーメツセージとして表示し、ステツプＳＰ１９２に移る。
【０４７４】
ステツプＳＰ１９２において、オンエアサーバ管理端末２５はエラーメツセージをＬＡＮ８を介してＤＢサーバ７に登録してデータを更新し、ステツプＳＰ１８４以降の処理を再度やり直す。
【０４７５】
これに対してステツプＳＰ１９０で肯定結果が得られると、これはＶＴＲ２１の「第１のビデオテープレコーダＶ１」及びオンエアサーバ部２２の収録準備ができたことを表しており、このときステツプＳＰ１９３に移る。
【０４７６】
ステツプＳＰ１９３において、オンエアサーバ管理端末２５は、収録準備ができたので、収録画面２７０のメツセージ欄２７０Ｍにエラーメツセージが表示されていた場合には当該エラーメツセージを消してステツプＳＰ１９４に移る。
【０４７７】
ステツプＳＰ１９４において、オンエアサーバ管理端末２５は、報道部員によつて指定された映像素材の映像データをオンエアサーバ部２２に収録する指示をサーバ制御端末２３及びリニア編集機２０に送出してステツプＳＰ１９５に移る。ステツプＳＰ１９５において、オンエアサーバ管理端末２５は指定された映像素材の映像データをオンエアサーバ部２２に収録開始すると共に、ステータス表示２９３のメツセージ欄３０８に「Ｖ１から収録中」を表示し、ＬＡＮ８を介してＤＢサーバ７に登録してデータを更新すると共に、ニユースビデオ素材表示部２８１の「進捗」欄２８７を「未収録」から「収録中」に変更してステツプＳＰ１９６に移る。
【０４７８】
ステツプＳＰ１９６において、オンエアサーバ管理端末２５は報道部員によつてステータス表示２９３のストツプボタン３０９がクリツクされたか否かを判定する。ここで否定結果が得られると、これは報道部員によつてストツプボタン３０９がクリツクされていないことを表しており、このときオンエアサーバ管理端末２５はステツプＳＰ１９７に移る。
【０４７９】
ステツプＳＰ１９７において、オンエアサーバ管理端末２５は映像データの収録がＯＡ尺のプログラム開始点に到達するとステータス表示２９３のＯＡ尺欄３０５に１秒ずつカウントダウンしたカウント結果を順次表示し、捨てカツトの映像データが終了する収録終了点になるまで表示し続けてステツプＳＰ１９８に移る。
【０４８０】
ステツプＳＰ１９８において、オンエアサーバ管理端末２５はＯＡ尺の値から１秒ずつカウントダウンしたカウント結果をＯＡ尺欄３０５に順次表示すると共に、ＬＡＮ８を介してＤＢサーバ７に登録してデータを更新し、ステツプＳＰ１９９に移る。ステツプＳＰ１９９において、オンエアサーバ管理端末２５はカウントダウンしたＯＡ尺欄３０５の値が「０」になつたか否かを判定する。ここで肯定結果が得られると、これはＯＡ尺欄３０５の値が「０」になつたことを表しており、このときオンエアサーバ管理端末２５はステツプＳＰ２００に移る。
【０４８１】
ステツプＳＰ２００において、オンエアサーバ管理端末２５はＯＡ尺欄３０５の値が「０」になつたことを警告音として鳴らすことにより報道部員に知らせてステツプＳＰ２０２に移る。
【０４８２】
これに対してステツプＳＰ１９９で否定結果が得られると、これはＯＡ尺欄３０５の値が未だ「０」にならずカウントダウン中であることを表しており、このときオンエアサーバ管理端末２５はステツプＳＰ２０１に移る。
【０４８３】
ステツプＳＰ２０１において、オンエアサーバ管理端末２５はＯＡ尺欄３０５の値が「正」か否かを判定する。ここで肯定結果が得られると、これはＯＡ尺欄３０５の値が「正」であり、すなわちＯＡ尺の映像データを今だ収録中であることを表しており、このときオンエアサーバ管理端末２５はステツプＳＰ１９６に戻つて上述の処理を繰り返す。
【０４８４】
これに対してステツプＳＰ２０１で否定結果が得られると、これはＯＡ尺欄３０５の値が「負」になり、すなわちＯＡ尺欄３０５の値がマイナス表示に変わり、既に捨てカツトの映像データを収録中であることを表しており、このときオンエアサーバ管理端末２５はステツプＳＰ２０２に移る。
【０４８５】
ステツプＳＰ２０２において、オンエアサーバ管理端末２５はＯＡ尺欄３０５のカウント結果を赤色で表示すると共に、捨てカツトの映像データを収録中であることをＬＡＮ８を介してＤＢサーバ７に登録し、データを更新してステツプＳＰ１９６に戻る。
【０４８６】
ステツプＳＰ１９６において、オンエアサーバ管理端末２５は捨てカツトの映像データまで全ての収録が終了したときに、報道部員によつてストツプボタン３０９がクリツクされるとオンエアサーバ部２２に収録終了の指示を出し、このときステツプＳＰ２０３に移る。
【０４８７】
ステツプＳＰ２０３において、オンエアサーバ管理端末２５は収録が終了したことをＬＡＮ８を介してＤＢサーバ７に登録してデータを更新し、ステツプＳＰ１８４に戻る。
【０４８８】
ステツプＳＰ１８４において、オンエアサーバ管理端末２５は報道部員によつて指定された項目の映像データをオンエアサーバ部２２に収録し終わつたので収録画面２７０における処理を終了し、ステツプＳＰ１８５に移つて収録処理を全て終了する。
【０４８９】
（１３−３）動作及び効果
以上の構成において、ニユース番組制作送出装置１はオンエアサーバ管理端末２５のモニタ上に番組を構成する「項目」の各映像素材に関する情報（項目名、素材名、ＯＡ尺、進捗状況及びＩＤナンバ）をオンエアサーバコントローラ端末９を介してＤＢサーバ７から読み出して収録画面２７０上に表示する。
【０４９０】
オンエアサーバ管理端末２５においては、報道部員によつて収録画面２７０上で収録したい項目の映像素材が指定されると、サーバ制御端末２３及び機器制御部２４を介してオンエアサーバ部２２に収録準備をさせると共に、リニア編集機２０で編集したビデオテープをＶＴＲ２１に装填して指定された映像素材の映像データを再生する準備を行つて、それぞれ準備が終了すると自動的にオンエアサーバ部２２に収録を開始する。
【０４９１】
このとき、オンエアサーバ管理端末２５はステータス表示２９３のＯＡ尺欄３０５にＯＡ尺の値をカウントダウン表示させてカウント結果が「00:00 」になつたときに警告音を発生することにより、報道部員にＯＡ尺分の映像データの収録が終了したことを知らせることができる。
【０４９２】
続いて、オンエアサーバ管理端末２５はステータス表示２９３のＯＡ尺欄３０５に捨てカツトの映像データを収録中であることを示すために「 -00:01 」、「 -00:02 」、〜「 -00:YY 」とカウントダウン表示し、報道部員によつて収録停止の指示が出されることを待ち受ける。
【０４９３】
報道部員は警告音を聞いてＯＡ尺分の映像データの収録が終了したことを確認した後、ＯＡ尺欄３０５のマイナスのカウントダウン表示を見ながら所望のタイミングでストツプボタン３０９をクリツクすることにより、オンエアサーバ管理端末２５によつて指定された映像素材の映像データを所望の収録時間分だけ正確にオンエアサーバ部２２に収録することができる。
【０４９４】
また、ニユース番組制作送出装置１はオンエアサーバ管理端末２５において収録画面２７０上のステータス表示２９３でＯＡ尺のカウント結果が「00:00 」になつたときに警告音を発生するようにしたことにより、報道部員は映像データの収録中にＯＡ尺の値が「00:00 」になることを見逃さないように見張る必要が無くなり、警告音が発生してから収録停止の操作をするための注意を収録画面２７０に向ければ良く、停止の操作タイミングを間違うことなく収録終了点で確実に停止操作を行うことができる。
【０４９５】
また、ニユース番組制作送出装置１はオンエアサーバ管理端末２５とＤＢサーバ７をＬＡＮ８を介して接続し、ネツトワークを構築するようにしたことにより、ステータス表示２９３における収録操作により収録状況が「収録中」から「収録済」に変わると、それらの情報がＬＡＮ８を介してＤＢサーバ７に登録されてデータが更新し、ニユースビデオ素材表示部２８１の「進捗」欄２８７をリアルタイムでかつ自動的に表示を切り換えて、収録画面２７０上に常に正確で新しい収録状況を表示することができる。
【０４９６】
これにより、報道部員は収録画面２７０において表示された情報によつて指定した映像素材の収録状況を正確に認識することができる。
【０４９７】
以上の構成によれば、ニユース番組制作送出装置１はオンエアサーバ管理端末２５のモニタ上にＤＢサーバ７から読み出した「項目」の各映像素材に関する情報を表示し、報道部員によつて指定された映像素材の映像データをオンエアサーバ部２２に収録開始すると共に、ＯＡ尺の値及び捨てカツトの値をカウントダウンし、当該カウント結果を収録画面２７０上のステータス表示２９３のＯＡ尺欄３０５に表示することにより、報道部員はＯＡ尺欄３０５のカウントダウン表示を確認して収録を停止するタイミングを計りながらストツプボタン３０９をクリツクすることができるので、所望の収録時間分の映像データを正確に収録することができる。
【０４９８】
（１３−４）他の実施例
なお上述の実施例においては、オンエアサーバ管理端末２５においてＯＡ尺欄３０５のカウントダウン表示が「00:00 」になつた時点で警告音を発生して告知するようにした場合について述べたが、本発明はこれに限らず、例えばストツプボタン３０９を点滅させて告知する等の他の種々の方法によつてＯＡ尺分の映像データの収録が終わつたことを告知するようにしても良い。この場合にも上述の実施例と同様の効果を得ることができる。
【０４９９】
また、上述の実施例においては、オンエアサーバ管理端末２５において報道部員によつて指定された映像素材の収録停止操作をストツプボタン３０９をクリツクするというマニユアル操作によつて実行するようにした場合について述べたが、本発明はこれに限らず、停止操作も所定の収録終了点で自動的に終了させるようにシステム設定するようにしても良い。この場合、報道部員は収録画面２７０のステータス表示２９３〜２９９を確認しているだけで良く、また必要に応じて収録終了点を任意に設定することにより映像データの収録時間を自在に制御することができる。
【０５００】
さらに、上述の実施例においては、オンエアサーバ管理端末２５において収録中にＯＡ尺欄３０５の値を「00:00 」になるまでカウントダウン表示し、捨てカツトの値をマイナス表示するようにした場合について述べたが、本発明はこれに限らず、捨てカツトの値を「00:00 」になるまでカウントダウン表示し、ＯＡ尺分の映像を収録し終わつた時点で警告音を発生するようにしても良い。
【０５０１】
さらに、上述の実施例においては、オンエアサーバ管理端末２５を用いて映像データを収録するようにした場合について述べたが、本発明はこれに限らず、ＯＡ尺等の時間情報を用いて収録するためのアプリケーシヨンソフトウエアを用いることができれば例えばデスク端末１８や他の端末を用いて映像データを収録するようにしても良い。
【０５０２】
さらに、上述の実施例においては、オンエアサーバ管理端末２５を用いて映像素材の映像データ及び音声データを収録するようにした場合について述べたが、本発明はこれに限らず、音声データのみを収録するようにしても良い。これにより、ラジオ番組においても適用することができる。
【０５０３】
（１４−１）ニユース素材作成管理部の構成
図１との対応部分に同一符号を付して示す図６６において、ニユース素材作製管理部３には、オンエアサーバ部２２が設けられている。このオンエアサーバ部２２には、オンエアサーバ２２Ａ、第１のクレジツト書込装置２２Ｂ及び第２のクレジツト書込装置２２Ｃが設けられている。このオンエアサーバ部２２を制御する制御部としてオンエアサーバ管理端末２５が設けられている。このオンエアサーバ管理端末２５には、端末本体（図示せず）が設けられており、ニユース素材作成管理の各種アプリケーシヨンソフトを制御する。この端末本体には、モニタ（図示せず）が設けられており、当該端末本体から入力された情報を表示する。またこの端末本体には、キーボード及びマウスが設けられており、報道部員が当該キーボード又はマウスを操作することにより、所望のデータを入力することができる。
【０５０４】
このオンエアサーバ管理端末２５は、ニユース素材作成管理のアプリケーシヨンソフトを立ち上げて、ＤＢサーバ７からＬＡＮ８を介してキユーシートの番組データＣ１を読み込むことにより、このキユーシートの番組データＣ１に基づいてモニタに収録画面を表示する。
【０５０５】
この場合オンエアサーバ管理端末２５は報道部員がキーボード又はマウスを操作することにより、所望のデータを入力すると、その入力に基づいてニユース素材としての映像／音声データＳＶＯのオンエアサーバ収録指示データを生成し、これを収録指示データＤ１としてＬＡＮ８を介してサーバ制御端末２３及びＤＢサーバ７に送出する。ＤＢサーバ７は収録指示データＤ１を、映像／音声データＳＶ０の収録状況データとして格納する。
【０５０６】
ここでＤＢサーバ７は、文字データＰ１が予め登録されており、オンエアサーバ管理端末２５のモニタ３２１（図６７に示す）の表示画面上に文字を表示し得る。
【０５０７】
一方、サーバ制御端末２３は、収録指示データＤ１に基づいて機器制御データＤＳ１を生成し、機器制御部２４に送出し当該機器制御部２４を制御すると共に、収録指示データＤ１に対応する文字データＰ１をＤＢサーバ７からＬＡＮ８を介して読み込むことにより、これを第１のクレジツトデータＣＬ１として機器制御部２４を介して第１のクレジツト書込装置２２Ｂに送出する。
【０５０８】
次いで、機器制御部２４は、機器制御データＤＳ１に従つてＶＴＲ制御信号ＳＭ１、第１のクレジツト書込装置制御信号ＳＭ２及びオンエアサーバ制御信号ＳＭ３を生成し、ＶＴＲ制御信号ＳＭ１をＶＴＲ２１に送出することにより、当該ＶＴＲ２１を制御し、第１のクレジツト書込装置制御信号ＳＭ２を第１のクレジツト書込装置２２Ｂに送出し、当該第１のクレジツト書込装置２２Ｂを制御し、オンエアサーバ制御信号ＳＭ３をオンエアサーバ２２Ａに送出することにより、当該オンエアサーバ２２Ａを制御する。
【０５０９】
因に、ＶＴＲ２１には第１のビデオテープレコーダＶ１及び第２のビデオテープレコーダＶ２が設けられており、報道部員がどちらか一方にビデオテープをいれる。ここでは例えば第１のビデオテープレコーダＶ１にビデオテープを入れる。
【０５１０】
ＶＴＲ２１はリニア編集機２１（図１に示す）によつて一連のニユース素材が収録されたビデオテープからＶＴＲ制御信号ＳＭ１に従つて映像／音声データＳＶ０を再生し第１のクレジツト書込装置２２Ｂに送出する。
【０５１１】
第１のクレジツト書込装置２２Ｂは、第１のクレジツト書込装置制御信号ＳＭ２に従つて映像／音声データＳＶ０の所定の部分に第１のクレジツトデータＣＬ１を付加し、第１のクレジツトデータの付加された映像／音声データＳＶ２としてオンエアサーバ２２Ａに収録する。
【０５１２】
ここで図５９に示すように、ＶＴＲ２１に装填されているビデオテープには、予めフオーマツトが設定されている。このフオーマツトには前カツトの収録開始点からCue Up点までの部分にカラーバー信号や文字情報等のデータを付加するクレジツト書込部分ＣＴが設定されている。
【０５１３】
従つて第１のクレジツト書込装置２２Ｂは、オンエアサーバ管理端末２５に収録指示された映像／音声データＳＶ０に素材情報として第１のクレジツトデータＣＬ１を記録し得る。
【０５１４】
因に映像／音声データＳＶ０の先頭には、予め当該映像／音声データＳＶ０のスタンプ画が記録されている。
【０５１５】
またオンエアサーバ管理端末２５は、ＤＢサーバ７からＬＡＮ８を介してキユーシートの番組データＣ１を読み込むことにより、キユーシートの番組データＣ１に基づいてオンエアサーバ管理端末２５のモニタに送出画面を表示する。
【０５１６】
この場合オンエアサーバ管理端末２５は報道部員がキーボード又はマウスを操作することにより、所望のデータを入力すると、その入力に基づいてニユース素材としての映像／音声データＳＶ１のオンエアサーバ送出指示データを生成し、これを送出指示データＤ２としてＬＡＮ８を介して送出機器制御端末３１及びＤＢサーバ７に送出する。ＤＢサーバ７は送出指示データＤ２を、映像／音声データＳＶ２の送出状況データとして格納する。
【０５１７】
ここでＤＢサーバ７は、文字データＰ２が予め登録されており、送出機器制御端末３１のモニタ３２１（図６７（Ｂ）に示す）の表示画面上に文字を表示し得る。
【０５１８】
一方、送出機器制御端末３１は、送出指示データＤ２に基づいて機器制御データＤＳ２を生成し、機器制御部３２に送出し、当該機器制御部３２を制御すると共に、送出指示データＤ２に対応する文字データＰ２をＤＢサーバ７からＬＡＮ８を介して読み込むことにより、これを第２のクレジツトデータＣＬ２として機器制御部３２を介して第２のクレジツト書込装置２２Ｃに送出する。
【０５１９】
次いで、機器制御部３２は、機器制御データＤＳ２に従つてオンエアサーバ制御信号ＳＭ４及び第２のクレジツト書込装置制御信号ＳＭ５を生成し、オンエアサーバ制御信号ＳＭ４をオンエアサーバ２２Ａに送出することにより、当該オンエアサーバ２２Ａを制御し、第２のクレジツト書込装置制御信号ＳＭ５を第２のクレジツト書込装置２２Ｃに送出することにより、当該第２のクレジツト書込装置２２Ｃを制御する。
【０５２０】
続いてオンエアサーバ２２Ａは、格納された映像／音声データＳＶ２をオンエアサーバ制御信号ＳＭ４に従つて第２のクレジツト書込装置２２Ｃに送出する。
【０５２１】
第２のクレジツト書込装置２２Ｃは、第２のクレジツト書込装置制御信号ＳＭ５に従つて映像／音声データＳＶ１のクレジツト書込部分に第２のクレジツトデータＣＬ２を付加し、第２のクレジツトデータＣＬ２が付加された映像／音声データＳＶ３として送出機器制御部５に送出する。
【０５２２】
従つて第２のクレジツト書込装置２２Ｃは、オンエアサーバ管理端末２５に送出指示された映像／音声データＳＶ２に素材情報として第２のクレジツトデータＣＬ２を記録し得る。
【０５２３】
（１４−２）オンエアサーバ管理端末における収録操作
オンエアサーバ管理端末２５によつて収録操作を行う場合、図６０に示すように、オンエア管理端末２５は立上げられるとオンエアサーバ管理端末２５のモニタの表示画面に収録画面２７０を表示する。この収録画面２７０は画面上で操作し得る画面操作子群を有し、当該操作子として最上部に収録ボタン２７１、送出ボタン２７２、一本化ボタン２７３、素材管理ボタン２７４、事前設定ボタン２７５からなる各種メニユーボタンを有する。ここで報道部員がマウスを用いて当該各種メニユーボタンの中から収録ボタン２７１をクリツクすると、端末本体は収録する番組の各項目における情報（項目名、素材名及び進捗状況等）を一覧表としてオンエアサーバ管理端末２５のモニタの表示画面に表示する。
【０５２４】
実際上、オンエアサーバ管理端末２５は、報道部員によつて収録画面２７０上の番組ボタン２７８をクリツクされると現在時刻から最も近い時刻に放送される番組（この場合番組表示部２７６に「Wrap Up Today 」、送出予定日時表示部２７７に放送日時：４月１６日（火）18:00 〜18:25:00）の各項目毎のニユース素材に関する情報（項目名、素材名及び進捗状況等）を一覧表として表示する。
【０５２５】
ここで、プール素材ボタン２７９はオンエアサーバ２２Ａに収録しておきたいプール用のニユース素材を項目表示欄２８１に表示して選択する場合に用いられ、汎用素材ボタン２８０は頻繁にオンエアする機会の多いニユース素材をオンエアサーバ２２Ａに収録しておきたい汎用素材を項目表示欄２８１に表示して選択する場合に用いられるボタンである。ここでは番組素材ボタン２７８を選択した状態について説明する。
【０５２６】
オンエアサーバ管理端末２５は、収録画面２７０上の項目表示欄２８１で報道部員によつて収録すべきニユース素材（例えば項目ナンバ「１」、項目名「ヘツドライン」、構成ナンバ「１」、素材名「相模川鮎解禁」）がクリツクされると、当該クリツクされた項目の横一列全てを赤色で表示して、現在選択されていることを示す。
【０５２７】
この状態で報道部員によつて収録ボタン２９１がクリツクされると、オンエアサーバ管理端末２５は収録画面２７０上に重ねて供給元選択ポツプアツプ３００を表示する。
【０５２８】
図６１に示すように、収録画面２７０上に重ねた状態で開かれた供給元選択ポツプアツプ３００は、接続されたＶＴＲ２１を構成する２台のＶＴＲ（第１のビデオテープレコーダＶ１及び第２のビデオテープレコーダＶ２）をそれぞれ表示記号「Ｖ１」及び表示記号「Ｖ２」を用いて表示すると共に、放送局側からニユース素材を取り込むための複数の電話回線（この場合４回線）を表示記号「Ｒ１」〜「Ｒ２」を用いて表示する。
【０５２９】
因に、この状態において第１のビデオテープレコーダＶ１に装填されたビデオテープには、番組「Wrap Up Today 」の素材名「相模川鮎解禁」に対応するニユース素材が記録されている。
【０５３０】
従つて、報道部員が例えば第１のビデオテープレコーダＶ１を選択して実行ボタン３０１をクリツクすると、オンエアサーバ管理端末２５は供給元選択ポツプアツプ３００を閉じると共に、項目表示欄２８１の下部にステータス画面２９３〜２９９を表示することにより、選択された項目（「相模川鮎解禁」）のニユース素材の収録状況が視覚的に確認し得る。
【０５３１】
また、収録画面２７０上の右下に設けられたメツセージ欄２７０Ｍは、例えば収録する際に指定したＶＴＲ２１がオンエアサーバ２２Ａと接続されておらず、収録不可能である場合等の状況をエラー情報として文字で表示する。
【０５３２】
図６８（Ａ）に示すように、例えば収録画面２７０のステータス画面２９３においては、供給元選択ポツプアツプ３００の実行ボタン３０１がクリツクされる前の状態を示している。
【０５３３】
また、図６８（Ｂ）に示すように、ステータス画面２９３においては供給元選択ポツプアツプ３００の実行ボタン３０１がクリツクされると、表示欄３２７に「収録」として収録の順番を表示する。
【０５３４】
また、ステータス画面２９３においてはタイトル表示欄３２５に「相模川鮎解禁」の素材名を表示することにより、作業を行つている報道部員に一目で収録中の素材名を認識し得る。
【０５３５】
タイムコード欄３２３及びＯＡ尺欄３２４の左隣には長方形状のスタンプ画枠３２６が設けられ、収録中になると実行枠部分が赤色で表示されると共に、ＯＡ尺の映像／音声データ開始点の映像がスタンプ画として表示される。
【０５３６】
ステータス画面２９３においては再下段にメツセージ欄３２７が設けられ、「Ｖ１  ＳＴ−ＢＹ中」を表示する。これにより、報道部員はＶＴＲ２１の第１のビデオテープレコーダＶ１において準備中であることを認識し得る。
【０５３７】
続いて、図６８（Ｃ）に示すように、ステータス画面２９３においてはＶＴＲ２１の「Ｖ１」が準備終了すると共に第１のクレジツト書込装置２２Ｂが第１のクレジツトデータＣＬ１を受け取るとメツセージ欄３２７の表示が「Ｖ１  ＳＴ−ＢＹ終了」に変わり、これにより、報道部員はＶＴＲ２１の第１のビデオテープレコーダＶ１において準備終了であることを認識し得る。
【０５３８】
このときスタンプ画３２６は実行枠の中にオンエアサーバ２２Ａに収録した映像のフアーストカツトをスタンプ画として表示すると共に、実行枠を赤色で表示する。
【０５３９】
次いで、図６８（Ｄ）に示すように、ステータス画面２９３においてはＶＴＲ２１の第１のビデオテープレコーダＶ１が準備終了されると、メツセージ欄３２７の表示が「Ｖ１から収録中」に変わり、自動的に収録を開始する。
【０５４０】
このときスタンプ画３２６は実行枠の中にオンエアサーバ２２Ａに収録した映像のフアーストカツトをスタンプ画として表示すると共に、実行枠を赤色で表示する。このとき、項目表示欄２８１の「進捗」表示欄２８７には「収録中」が表示され、「画」表示欄２８５Ｄの中にもスタンプ画３２６の実行枠に表示されたフアーストカツトと同じスタンプ画が表示される。
【０５４１】
図７（Ｅ）に示すように、ステータス画面２９３においては報道部員の停止操作によつて収録が終了すると、メツセージ欄３２７の表示が「Ｖ１  収録済」に変わり、スタンプ画３２６の実行枠も赤色表示が消える。
【０５４２】
（１４−３）オンエアサーバ管理端末における収録処理手順
次に、実際にオンエアサーバ管理端末２５において項目毎に分けられたニユース素材をオンエアサーバ２２Ａに収録するまでの処理手順を図６９のフローチヤートを用いて説明する。
【０５４３】
図６９に示すように、オンエアサーバ管理端末２５における処理手順はＲＴ１の開始ステツプから入つてステツプＳＰ２１０に移る。
【０５４４】
ステツプＳＰ２１０において、オンエアサーバ管理端末２５はアプリケーシヨンソフトウエアを立ち上げて収録画面２７０を表示するためのデータをＬＡＮ８を介してＤＢサーバ７から読み出せるように初期設定してステツプＳＰ２１１に移る。
【０５４５】
ステツプＳＰ２１１において、オンエアサーバ管理端末２５の収録ボタン２７１の選択によつて収録画面２７０をモニタ３２１の表示画面に表示してステツプＳＰ２１２に移る。
【０５４６】
ステツプＳＰ２１２において、オンエアサーバ管理端末２５は収録画面２７０における収録処理を終了したか否かを判定する。ここで肯定結果が得られると、このことは既に収録画面２７０における終了指示がされていることを表しており、オンエアサーバ管理端末２５はステツプＳＰ２１３に移つて収録の処理を終了して、他の処理画面に移行する。
【０５４７】
これに対してステツプＳＰ２１２で否定結果が得られると、このことは収録画面２７０において指定されたニユース素材データをオンエアサーバ２２Ａに収録し終わつていないことを表しており、オンエアサーバ管理端末２５はステツプＳＰ２１４に移る。
【０５４８】
ステツプＳＰ２１４において、オンエアサーバ管理端末２５は報道部員によつて収録すべきニユース素材が選択され、収録ボタン２９１がクリツクされたか否かを判定する。ここで否定結果が得られると、このことは未だ収録すべきニユース素材の選択及び収録ボタン２９１のクリツクが行われていないことを表しており、オンエアサーバ管理端末２５はステツプＳＰ２１２に戻つて収録指示がなされるまで上述の処理を繰り返す。
【０５４９】
これに対してステツプＳＰ２１４で肯定結果が得られると、このことは収録すべきニユース素材が選択され、収録ボタン２９１がクリツクされたことを表しており、このときオンエアサーバ管理端末２５はステツプＳＰ２１５に移る。
【０５５０】
ステツプＳＰ２１５において、オンエアサーバ管理端末２５はＶＴＲ２１及びオンエアサーバ２２Ａに収録の準備をさせると共に、ステータス画面２９３のメツセージ欄３２７に「Ｖ１  ＳＴ−ＢＹ中」を表示することにより、収録準備中であることを報道部員に認識させるデータをＬＡＮ８を介してＤＢサーバ７に登録してデータを更新する（図６８（Ｂ））。
ステツプＳＰ２１６において、オンエアサーバ管理端末２５は指定されたＶＴＲ２１の第１のビデオテープレコーダＶ１及びオンエアサーバ２２Ａに収録準備を行うように指示を出してステツプＳＰ２１７に移る。
【０５５１】
ステツプＳＰ２１７において、オンエアサーバ管理端末２５は収録指示された映像データに記録する第１のクレジツトデータをＬＡＮ８を介してＤＢサーバ７から読み出して第１のクレジツト書込装置２２Ｂに送出する指示をサーバ制御端末２３に出してステツプＳＰ２１８に移る。
【０５５２】
ステツプＳＰ２１８において、オンエアサーバ管理端末２５はＶＴＲ２１の第１のビデオテープレコーダＶ１及びオンエアサーバ２２Ａが収録準備できたか否かを判定する。ここで否定結果が得られると、このことはＶＴＲ２１が正確に接続されていない等の原因によつて収録準備ができない状況にあり、このときオンエアサーバ管理端末２５はステツプＳＰ２１９に移る。
【０５５３】
ステツプＳＰ２１９において、オンエアサーバ管理端末２５は収録画面２７０のメツセージ欄２７０Ｍに収録準備ができない原因をエラーメツセージとして文字表示してステツプＳＰ２２０に移る。
【０５５４】
ステツプＳＰ２２０において、オンエアサーバ管理端末２５はエラーメツセージが出たことをＬＡＮ８を介してＤＢサーバ７に登録してデータを更新し、ステツプＳＰ２１２以降の処理と並列してエラー原因を取り除く。
【０５５５】
これに対してステツプＳＰ２１８で肯定結果が得られると、このことはＶＴＲ２１の第１のビデオテープレコーダＶ１及びオンエアサーバ２２Ａの収録準備ができたことを表しており、このときオンエアサーバ管理端末２５はステツプＳＰ２２１に移る。
【０５５６】
ステツプＳＰ２２１において、オンエアサーバ管理端末２５は収録準備ができたので、収録画面２７０のメツセージ欄２７０Ｍに表示していたエラーメツセージを消してステツプＳＰ２２２に移る。
【０５５７】
ステツプＳＰ２２２において、オンエアサーバ管理端末２５はＶＴＲ２１及びオンエアサーバ２２Ａに収録の準備をさせると共に、収録準備終了であることをステータス画面２９３のメツセージ欄３２７に「Ｖ１  ＳＴ−ＢＹ終了」を表示し、ＬＡＮ８を介してＤＢサーバ７に登録してデータを更新する（図６８（Ｃ））。
【０５５８】
ステツプＳＰ２２３において、オンエアサーバ管理端末２５は、指定した映像データをオンエアサーバ２２Ａに収録する指示をサーバ制御端末２３に指示を出してステツプ２２４に移る。
【０５５９】
ステツプＳＰ２２４において、オンエアサーバ管理端末２５は指定した映像データをオンエアサーバ２２Ａに収録開始すると共に、収録中であることをステータス画面２９３のメツセージ欄３２７に「Ｖ１  収録中」を表示し、ＬＡＮ８を介してＤＢサーバ７に登録してデータを更新し（図６８（Ｄ））、項目表示欄２８１の「進捗」表示欄２８７を「未収録」から「収録中」に変更してステツプＳＰ２２５に移る。
【０５６０】
ステツプＳＰ２２５においてオンエアサーバ管理端末２５は、第１のクレジツトデータＣＬ１を収録開始された映像データに記録する指示をサーバ制御端末２３に出してステツプＳＰ２２６に移る。
【０５６１】
ステツプＳＰ２２６において、オンエアサーバ管理端末２５は報道部員によつてステータス画面２９３のストツプボタン３２８がクリツクされたか否かを判定する。ここで否定結果が得られると、このことは報道部員によつてストツプボタン３２８がクリツクされていないことを表しており、このときオンエアサーバ管理端末２５はステツプＳＰ２２６に戻つて収録指示がなされるまで上述の処理を繰り返す。  これに対してステツプＳＰ２２６で肯定結果が得られると、このことはステータス画面２９３のストツプボタン３２８がクリツクされたことを表しており、このときオンエアサーバ管理端末２５はステツプＳＰ２２７に移る。
【０５６２】
ステツプＳＰ２２７において、オンエアサーバ管理端末２５は収録が終了したことをステータス画面２９３のメツセージ欄３２７に「Ｖ１  収録済」を表示し（図６８（Ｅ））、ＬＡＮ８を介してＤＢサーバ７に登録してデータを更新し、ステツプＳＰ２１２に戻る。  ステツプＳＰ２１２において、オンエアサーバ管理端末２５は指定した映像をオンエアサーバ２２Ａに収録し終わつたので収録画面２７０における処理を終了したとしてステツプＳＰ２１３に移つて収録処理を全て終了する。
【０５６３】
（１４−４）オンエアサーバ管理端末における送出操作
オンエアサーバ管理端末２５によつて収録操作を行う場合、図７０に示すように、オンエア管理端末２５は立上げられるとオンエアサーバ管理端末２５のモニタの表示画面に送出画面３３０を表示する。この送出画面３３０は画面上で操作し得る画面操作子群を有し、当該画面操作子として最上部に送出ボタン３３１、送出ボタン３３２、一本化ボタン３３３、素材管理ボタン３３４、事前設定ボタン３３５からなる各種メニユーボタンを有する。ここで報道部員がマウスを用いて当該各種メニユーボタンの中から送出ボタン３３４をクリツクすると、端末本体は送出する番組の各項目における情報（項目名、素材名及び進捗状況等）を一覧表としてオンエアサーバ管理端末２５のモニタ３２１（図６７（Ｂ））の表示画面に表示する。
【０５６４】
実際上、報道部員によつて送出画面３３０上の番組ボタン３３６がクリツクされると、オンエアサーバ管理端末２５は現在時刻から最も近い時刻に放送される番組（この場合番組表示部２７６の「Wrap Up Today 」、送出予定日時表示部２７７の放送日時：４月１６日（火）18:00 〜18:25:00）の各項目毎のニユース素材に関する情報（項目名、素材名及び進捗状況等）を項目表示欄３４１に表示する。
【０５６５】
この状態で報道部員によつてローカル送出ボタン３４２がクリツクされると、図７１に示すようにオンエアサーバ管理端末２５は送出画面３３０上に重ねてローカル送出リスト画面３６０を表示する。このローカル送出リスト画面３６０は画面上で操作し得る画面操作子群を有し、当該画面操作子として最上部に起動ボタン３６１、終了ボタン３６２等からなるメニユーボタンを有する。ここで報道部員がマウスを用いて当該各種メニユーボタンの中から収録ボタンをクリツクすると、端末本体は送出する番組の各項目における情報（素材名、ＯＡ尺及びＩＤナンバ等）を送出欄３６３に表示する。
【０５６６】
送出表示欄３６３は送出順の「ナンバ」表示欄３６３Ａ、「送出先」表示欄３６３Ｂ、「素材名」表示欄３６３Ｃ、「ＯＡ尺」表示欄３６３Ｄ、「ＩＤナンバ」表示欄３６３Ｅに分けられ、それぞれ各種情報が表示されている。
【０５６７】
この場合、送出画面３３０上に重ねた状態で開かれたローカル送出リスト画面３６０は、ローカル送出リスト画面３６０を作成する以前の状態を示している。
【０５６８】
因に、ローカル送出リスト画面３６０は、ローカル送出リスト画面３６０を前回作成している場合、前回作成した内容が表示されている。またこの前回作成したローカル送出リスト画面３６０を新規に作成する場合、報道部員が前回作成した内容を削除する。
【０５６９】
オンエアサーバ管理端末２５は、送出画面３３０上の項目表示欄３４１で報道部員によつて送出すべきニユース素材（例えば項目ナンバ「１」、項目名「ヘツドライン」、構成ナンバ「１」、素材名「相模川鮎解禁」）がクリツクされると、当該クリツクされた項目の横一列全てを赤色で表示して、現在選択されていることを示す。
【０５７０】
この状態で報道部員によつてローカル送出リスト画面３６０において空白行のうち一番上に位置する行がクリツクされると、図７２（Ａ）に示すように、オンエアサーバ管理端末２５は送出画面３３０上で選択された項目名のうち素材名「相模川鮎解禁」、ＯＡ尺「00:10 」及びＩＤナンバ「20000001」をローカル送出リスト画面３６０をクリツクされた行に表示する。このようにオンエアサーバ管理端末２５は、ローカル送出リスト画面３６０にニユース素材を表示して、各ニユース素材を削除、挿入、追加及び移動することにより、当該ニユース素材の送出順を決定してローカル送出リスト画面３６０を修正する。
【０５７１】
次いでオンエアサーバ管理端末２５は、ローカル送出リスト画面３６０上の送出表示欄３６３で報道部員によつて素材名（例えば「相模川鮎解禁」）の「送出先」表示欄３６３Ｂがクリツクされると、送出画面３３０上に重ねて送出先選択ポツプアツプ３７０を表示すると共に当該クリツクされた送出表示欄３６３の横一列全てを赤色で表示して、現在選択されていることを示す。
【０５７２】
図１１（Ｂ）に示すように、送出画面３３０上に重ねた状態で開かれた送出先選択ポツプアツプ３７０は、接続された送出機器制御部５の送出ライン（この場合３回線）を表示記号「Ｓ１」〜「Ｓ３」を用いて表示する。
【０５７３】
実際上、報道部員が例えば表示記号Ｓ１を選択して実行ボタン３７１をクリツクすると、オンエアサーバ管理端末２５は送出先選択ポツプアツプ３７０を閉じると共に、図７２（Ｃ）に示すように、ローカル送出リスト画面３６０において選択された素材名（例えば「相模川鮎解禁」）の「送出先」表示欄３６３Ｂに表示記号Ｓ１を表示する。
【０５７４】
従つて、報道部員がローカル送出リスト画面３６０の起動ボタン３６１をクリツクすると、オンエアサーバ管理端末２５は送出画面３３０の項目表示欄３４１の下部にステータス画面３４３〜３４９を表示することにより、送出順ナンバ「１」の素材名（例えば「相模川鮎解禁」）のニユース素材の送出状況が視覚的に確認し得る。
【０５７５】
また、送出画面３３０上の右下に設けられたメツセージ欄３３０Ａは、例えば送出する際に指定した送出機器制御部５がオンエアサーバ２２Ａと接続されておらず、送出不可能である場合等の状況をエラー情報として文字で表示する。
【０５７６】
図７３（Ａ）に示すように、例えば送出画面３３０のステータス画面３４３においては、ローカル送出リスト画面３６０の起動ボタン３６１がクリツクされる前の状態を示している。
【０５７７】
図７３（Ｂ）に示すように、ステータス画面３４３においてはローカル送出リスト画面３６０の起動ボタン３６１がクリツクされると、表示欄３６３の「送出」順表示欄３６３Ｂに送出の順番を表示する。
【０５７８】
また、ステータス画面３４３においてはタイトル表示欄３８７に「相模川鮎解禁」の素材名を表示し、作業を行つている報道部員に一目で送出中の素材名を認識し得る。
【０５７９】
タイムコード欄３８５及びＯＡ尺欄３８６の左隣には長方形状のスタンプ画枠３８８が設けられ送出中になると実行枠部分が赤色で表示されると共に、ＯＡ尺の映像／音声データ開始点の映像がスタンプ画として表示される。
【０５８０】
ステータス画面３４３の再下段にはメツセージ欄３８９が設けられ、「Ｓ１
ＳＴ−ＢＹ中」を表示する。これにより、報道部員は第１の回線Ｓ１に接続されている送出機器制御部５において準備中であることを認識し得る。
【０５８１】
続いて、図７３（Ｃ）に示すように、ステータス画面３４３においては第１の回線Ｓ１に接続されている送出機器制御部５が準備終了すると共に第２のクレジツト書込装置２２ＣがクレジツトデータＣＬ１を受け取るとメツセージ欄３８９の表示が「Ｓ１  ＳＴ−ＢＹ終了」に変わり、これにより、報道部員は第１の回線Ｓ１に接続されている送出機器制御部５において準備終了であることを認識し得る。
【０５８２】
このときスタンプ画３８８は実行枠の中にオンエアサーバ２２Ａに送出した映像のフアーストカツトをスタンプ画として表示すると共に、実行枠を赤色で表示する。
【０５８３】
次いで、図７３（Ｄ）に示すように、ステータス画面３４３においてはプレイ（ＰＬＡＹ）ボタン３９０がクリツクされると、メツセージ欄３８９の表示が「Ｓ１  送出中」に変わり、自動的に送出を開始する。
【０５８４】
このときスタンプ画３８８は実行枠の中にオンエアサーバ２２Ａに送出した映像のフアーストカツトをスタンプ画として表示すると共に、実行枠を赤色で表示する。このとき、送出画面３３０の項目表示欄３４１の「進捗」表示欄３４１には「送出中」が表示され、「画」表示欄３４１Ｄの中にもスタンプ画３８８の実行枠に表示されたフアーストカツトと同じスタンプ画が表示される。
【０５８５】
続いて、図７３（Ｅ）に示すように、ステータス画面３４３においてはステータス画面３４３上のストツプ（ＳＴＯＰ）ボタン３９１がクリツクされると、メツセージ欄３８９の表示が「Ｓ１  送出済」に変わり、送出が終了すると共にスタンプ画３８８の実行枠も赤色表示が消える。
【０５８６】
次いでステータス画面３８８においてはステータス画面３８８上のエンド（ＥＮＤ）ボタン３９２がクリツクされると、オンエアサーバ２２Ａのフアイルが閉じられ、送出画面３３０の項目表示欄１１１の下部のステータス画面３４３は、次の送出順ナンバ「２」のニユース素材の内容を表示する。
【０５８７】
（１４−５）オンエアサーバ管理端末における送出処理手順
次に、実際にオンエアサーバ管理端末２５において項目順に分けられたニユース素材をオンエアサーバ２２Ａから送出機器制御部５に送出するまでの処理手順を図７４のフローチヤートを用いて説明する。
【０５８８】
図７４に示すように、オンエアサーバ管理端末２５はＲＴ１の開始ステツプから入つてステツプＳＰ２３０に移る。
【０５８９】
ステツプＳＰ２３０において、オンエアサーバ管理端末２５はアプリケーシヨンソフトウエアを立ち上げて送出画面３３０を表示するためのデータをＬＡＮ８を介してＤＢサーバ７から読み出せるように初期設定してステツプＳＰ２３１に移る。
【０５９０】
ステツプＳＰ２３１において、オンエアサーバ管理端末２５は送出ボタン３３２の選択によつて送出画面３３０をモニタ３２１（図６７（Ｂ））の表示画面に表示してステツプＳＰ２３２に移る。
【０５９１】
ステツプＳＰ２３２において、オンエアサーバ管理端末２５は送出画面３３０における終了指示がされたか否かを判定する。ここで肯定結果が得られると、このことは既に送出画面３３０における終了指示がされたことを表しており、オンエアサーバ管理端末２５はステツプＳＰ２３３に移つて送出の処理を終了して他の処理画面に移行する。
【０５９２】
これに対してステツプＳＰ２３２で否定結果が得られると、このことは送出画面３３０において終了指示がされていないことを表しており、オンエアサーバ管理端末２５はステツプＳＰ２３４に移る。
【０５９３】
ステツプＳＰ２３４において、オンエアサーバ管理端末２５は報道部員によつて送出すべきニユース素材が選択され、ローカル送出リスト画面３６０の起動ボタン３６１がクリツクされたか否かを判定する。ここで否定結果が得られると、このことは未だ送出すべきニユース素材の選択及び起動ボタン３６１のクリツクが行われていないことを表しており、このときステツプＳＰ２３２に戻つて送出指示がなされるまで上述の処理を繰り返す。
【０５９４】
これに対してステツプＳＰ２３４で肯定結果が得られると、このことは送出すべきニユース素材が選択され、オンエアサーバ管理端末２５はローカル送出リスト画面３６０の起動ボタン３６１がクリツクされたことを表しており、このときオンエアサーバ管理端末２５はステツプＳＰ２３５に移る。
【０５９５】
ステツプＳＰ２３５において、オンエアサーバ管理端末２５はオンエアサーバ２２Ａに送出の準備をさせると共に、ステータス画面３４３のメツセージ欄３８９に「Ｓ１  ＳＴ−ＢＹ中」を表示することにより、送出準備中であることを報道部員に認識させるデータをＬＡＮ８を介してＤＢサーバ７に登録する（図７３（Ｂ））。
【０５９６】
ステツプＳＰ２３６において、オンエアサーバ管理端末２５はオンエアサーバ２２Ａに送出準備を行うように指示を出してステツプＳＰ２３７に移る。
【０５９７】
ステツプＳＰ２３７において、オンエアサーバ管理端末２５は送出指示された映像データに記録する第２のクレジツトデータＣＬ２をＬＡＮ８を介してＤＢサーバ７から読み込むことにより、第２のクレジツト書込装置２２Ｃに送出する指示をサーバ制御端末２３に出してステツプＳＰ２３８に移る。
【０５９８】
ステツプＳＰ２３８において、オンエアサーバ管理端末２５はオンエアサーバ２２Ａが送出準備できたか否かを判定する。ここで否定結果が得られると、このことはオンエアサーバ２２Ａが正確に接続されていない等の原因によつて送出準備ができない状況にあり、このときオンエアサーバ管理端末２５はステツプＳＰ２３９に移る。
【０５９９】
ステツプＳＰ２３９において、オンエアサーバ管理端末２５は送出画面３３０のメツセージ欄３３０Ａに送出準備ができない原因をエラーメツセージとして文字表示してステツプＳＰ２４０に移る。
【０６００】
ステツプＳＰ２４０において、オンエアサーバ管理端末２５はエラーメツセージが出たことをＬＡＮ８を介してＤＢサーバ７に登録してデータを更新し、ステツプＳＰ２３２以降の処理と並列してエラー原因を取り除く。
【０６０１】
これに対してステツプＳＰ２３８で肯定結果が得られると、このことはオンエアサーバ２２Ａの送出準備ができたことを表しており、オンエアサーバ管理端末２５はステツプＳＰ２４１に移る。
【０６０２】
ステツプＳＰ２４１において、オンエアサーバ管理端末２５は送出準備ができたので、送出画面３３０のメツセージ欄３３０Ａに表示していたエラーメツセージを消してステツプＳＰ２４２に移る。
【０６０３】
ステツプＳＰ２４２において、オンエアサーバ管理端末２５はオンエアサーバ２２Ａに送出の準備をさせると共に、送出準終了であることをステータス画面３４３のメツセージ欄３８９に「Ｓ１  ＳＴ−ＢＹ終了」を表示し、スタンバイ終了であることを報道部員に認識させるデータをＬＡＮ８を介してＤＢサーバ７に登録してデータを更新する（図７３（Ｃ））。
【０６０４】
ステツプＳＰ２４３において、オンエアサーバ管理端末２５は、指定したニユース素材データをオンエアサーバ２２Ａから送出する指示をサーバ制御端末２３に指示を出してステツプ２４４に移る。
【０６０５】
ステツプＳＰ２４４において、オンエアサーバ管理端末２５は指定したニユース素材データをオンエアサーバ２２Ａから送出機器制御部５に送出開始すると共に、送出中であることをステータス画面３４３のメツセージ欄３８９に「Ｓ１
送出中」を表示し、送出中であることを報道部員に認識させるデータをＬＡＮ８を介してＤＢサーバ７に登録してデータを更新し、送出画面３３０の項目表示欄３４１の「進捗」表示欄３４１Ｆを「未送出」から「送出中」に変更してステツプＳＰ２４５に移る（図７３（Ｄ））。
【０６０６】
ステツプＳＰ２４５においてオンエアサーバ管理端末２５は、第２のクレジツトデータＣＬ２を送出開始された映像データに記録する指示をサーバ制御端末２３に出してステツプＳＰ２４６に移る。
【０６０７】
ステツプＳＰ２４６において、オンエアサーバ管理端末２５は報道部員によつてステータス画面３４３のストツプボタン３９１がクリツクされたか否かを判定する。ここで否定結果が得られると、このことは報道部員によつてストツプボタン３９１がクリツクされていないことを表しており、オンエアサーバ管理端末２５はステツプＳＰ２４７に戻つて送出指示がなされるまで上述の処理を繰り返す。
【０６０８】
これに対してステツプＳＰ２４６で肯定結果が得られると、このことはステータス画面３４３のストツプボタン３９１がクリツクされたことを表しており、このときオンエアサーバ管理端末２５はステツプＳＰ２４７に移る。
【０６０９】
ステツプＳＰ２４７において、オンエアサーバ管理端末２５は送出が終了したことをステータス画面３４３のメツセージ欄３８９に「Ｓ１  送出済」を表示し、ＬＡＮ８を介してＤＢサーバ７に登録してデータを更新し、ステツプＳＰ２３２に戻る（図７３（Ｅ））。
【０６１０】
ステツプＳＰ２３２において、オンエアサーバ管理端末２５は指定したニユース素材を送出機器制御部５に送出し終わつたので送出画面３３０における処理を終了したとしてステツプＳＰ２３３に移つて送出処理を全て終了する。
【０６１１】
（１４−６）動作及び効果
以上の構成において、オンエアサーバ部２２においてオンエアサーバ管理端末２５に収録指示されたニユース素材に第１のクレジツトデータＣＬ１として「素材名」を付加し、当該「素材名」をニユース素材に記録し、当該ニユース素材をオンエアサーバ２２Ａに収録することにより、「素材名」と収録指示されたニユース素材とが対応されて収録されている。この後オンエアサーバ管理端末２５に送出指示されたニユース素材に第２のクレジツトデータＣＬ２として送出用途情報を付加し、当該送出用途情報をニユース素材に記録し、当該ニユース素材を送出することにより、「素材名」、送出用途情報及び送出指示されたニユース素材とが対応されて送出されている。
【０６１２】
従つてニユース素材の送出用途に変更があつた場合でも、送出時に報道部員がニユース素材をモニタ３２１の表示画面に表示し、ニユース素材が「素材名」と対応していることを視覚的に確認した後、送出用途情報をニユース素材に付加すれば良いことにより、従来のように変更毎にオンエアサーバ２２Ａからニユース素材を読み込み、ニユース素材のラベル表示を書き直して、再度オンエアサーバ２２Ａに収録する必要がなくなるので、ニユース素材を簡易な操作で的確に送出することができる。
【０６１３】
以上の構成によれば、オンエアサーバ部２２においてオンエアサーバ２２Ａの収録側に第１のクレジツト書込装置２２Ｂを設けると共にオンエアサーバ２２Ａの送出側に第２のクレジツト書込装置２２Ｃを設けて、オンエアサーバ管理端末２５に収録指示されたニユース素材に第１のクレジツトデータＣＬ１として「素材名」を付加し、当該「素材名」をニユース素材に記録し、当該ニユース素材をオンエアサーバ２２Ａに収録し、この後オンエアサーバ管理端末２５に送出指示されたニユース素材に第２のクレジツトデータＣＬ２として送出用途情報を付加し、当該送出用途情報をニユース素材に記録し、当該ニユース素材を送出したことにより、「素材名」、送出用途情報及びニユース素材とを対応させて送出することができる。
【０６１４】
かくしてニユース素材を簡易な操作で的確に送出し得る番組制作送出装置１を実現することができる。
【０６１５】
また上述の構成によれば、当該送出用途情報をニユース素材に記録したことにより、報道部員が必要に応じてニユース素材をモニタ３２１の表示画面に表示すると、「素材名」、送出用途情報及びニユース素材とを対応させて視覚的に確認できるので、確実に「素材名」、送出用途情報及びニユース素材とを対応させて送出することができる。
【０６１６】
（１４−７）他の実施例の構成
図１との対応部分に同一符号を付して示す図６６において、オンエアサーバ管理端末２５は、ＤＢサーバ７からＬＡＮ８を介してキユーシートの番組データＣ１を読み込むことにより、このキユーシートの番組データＣ１に基づいてオンエアサーバ管理端末２５のモニタに送出画面を表示する。
【０６１７】
この場合オンエアサーバ管理端末２５は報道部員がキーボード又はマウスを操作することにより、所望のデータを入力すると、その入力に基づいて素材情報としての第１のクレジツトデータＣＬ１が付加された映像／音声データＳＶ２のオンエアサーバ素材送り指示データを生成し、これを素材送り指示データＤ３としてＬＡＮ８を介して送出機器制御端末３１及びＤＢサーバ７に送出する。ＤＢサーバ７は素材送り指示データＤ３を、映像／音声データＳＶ２の素材送り状況データとして格納する。
【０６１８】
ここでＤＢサーバ７には、文字データＰ３が予め登録されており、送出機器端末３１のモニタ３２１（図４（Ｃ）に示す）の表示画面上に文字を表示し得る。
【０６１９】
一方、送出機器制御端末３１は、素材送りデータＤ３に基づいて機器制御データＤＳ２を生成し、機器制御部３２に送出し、当該機器制御部３２を制御すると共に、素材送り指示データＤ３に対応する文字データＰ３をＤＢサーバ７からＬＡＮ８を介して読み込むことにより、これを第３のクレジツトデータＣＬ３として機器制御部３２を介して第２のクレジツト書込装置２２Ｃに送出する。
【０６２０】
次いで、機器制御部３２は、機器制御データＤＳ２に従つてオンエアサーバ制御信号ＳＭ６及び第２のクレジツト書込装置制御信号ＳＭ７を生成し、オンエアサーバ制御信号ＳＭ６をオンエアサーバ２２Ａに送出することにより、当該オンエアサーバ２２Ａを制御し、第２のクレジツト書込装置制御信号ＳＭ７を第２のクレジツト書込装置２２Ｃに送出することにより、当該第２のクレジツト書込装置２２Ｃを制御する。
【０６２１】
続いてオンエアサーバ２２Ａは、格納された映像／音声データＳＶ２をオンエアサーバ制御信号ＳＭ６に従つて第２のクレジツト書込装置２２Ｃに入力する。
【０６２２】
第２のクレジツト書込装置２２Ｃは、第２のクレジツト書込装置制御信号ＳＭ７に従つて映像／音声データＳＶ２のクレジツト書込部分に第３のクレジツトデータＣＬ３を付加し、第３のクレジットデータＣＬ３が付加された映像／音声データＳＶ４として送出機器制御部５に送出する。
【０６２３】
従つて第２のクレジツト書込装置２２Ｃは、オンエアサーバ管理端末２５に素材送り指示された映像／音声データＳＶ２に素材情報として第３のクレジツトデータＣＬ３を記録し得る。
【０６２４】
ここで、モニタ３２１（図６７（Ｃ）に示す）の表示画面上では、選択した素材名、素材送り情報及びニユース素材とが対応していることを視覚的に確認し得る。
【０６２５】
（１４−８）他の実施例における素材送り送出操作
オンエアサーバ管理端末２５によつて素材送り操作を行う場合、図７０、図７５（Ａ）に示すように、オンエアサーバ管理端末２５は、送出画面３３０は画面上で操作し得る画面操作子群を有し、当該画面操作子として最上部に各種のメニユーボタンを有する。ここで報道部員がマウスを用いて当該メニユーボタンのうち素材送りボタン３４２Ａをクリツクすると、オンエアサーバ管理端末２５は送出画面３３０上に重ねて、他の放送局にニユース素材を送出するための素材送り送出リスト画面４００を表示する。
【０６２６】
この素材送り送出リスト画面４００は画面上で操作し得る画面操作子群を有し、当該画面操作子として最上部に起動ボタン４０１、終了ボタン４０２等からなるメニユーボタンを有する。ここでオンエアサーバ管理端末２５は素材送りする番組の各項目における情報（送り先、素材名、ＯＡ尺及びＩＤナンバ等）を素材送り欄４０３に表示する。
【０６２７】
素材送り表示欄４０３は素材送り順の「ナンバ」表示欄４０３Ａ、「送出先」表示欄４０３Ｂ、「素材名」表示欄４０３Ｃ、「ＯＡ尺」表示欄４０３Ｄ、「ＩＤナンバ」表示欄４０３Ｅに分けられ、それぞれ各種情報が表示されている。
【０６２８】
この場合、送出画面３３０上に重ねた状態で開かれた素材送り送出リスト画面４００は、素材送り送出リスト画面４００を作成する以前の状態を示している。
【０６２９】
オンエアサーバ管理端末２５は、送出画面３３０上の項目表示欄３４１で報道部員によつて素材送りすべきニユース素材（例えば項目ナンバ「１」、項目名「ヘツドライン」、構成ナンバ「１」、素材名「相模川鮎解禁」）がクリツクされると、当該クリツクされた項目の横一列全てを赤色で表示して、現在選択されていることを示す。
【０６３０】
この状態で報道部員によつて素材送り送出リスト画面４００において空白行のうち一番上に位置する行がクリツクされると、オンエアサーバ管理端末２５は送出画面３３０上で選択された項目名のうち素材名「相模川鮎解禁」、ＯＡ尺「00:10 」及びＩＤナンバ「20000001」を素材送り送出リスト画面４００においてクリツクされた行に表示する。このようにオンエアサーバ管理端末２５は、素材送り送出リスト画面４００にニユース素材を表示して、当該ニユース素材の素材送り順を決定するために各ニユース素材を削除、挿入、追加及び移動して、素材送り送出リスト画面４００を修正する。
【０６３１】
次いでオンエアサーバ管理端末２５は、素材送り送出リスト画面４００上の素材送り表示欄４０３で報道部員によつて素材名（例えば「相模川鮎解禁」）の「送り先」表示欄４０３Ｂがクリツクされると、送出画面３３０上及び素材送り送出リスト画面４００上に重ねて送り先一覧表４１０を表示すると共に当該クリツクされた素材送り表示欄４０３の横一列全てを赤色で表示して、現在選択されていることを示す。
【０６３２】
送出画面３３０上及び素材送り送出リスト画面４００上に重ねた状態で開かれた送り先一覧表４１０は、事前に登録されている複数の送り先（例えば「ＳＳＳ」、「ＴＴＴ」）を表示する。
【０６３３】
実際上、報道部員が送り先一覧表４１０上で送り先覧４１１（例えば「ＳＳＳ」）をクリツクすると、オンエアサーバ管理端末２５は素材送り送出リスト画面４００上において選択された素材名（例えば「相模川鮎解禁」）の「送り先」表示欄４０３Ｂに「ＳＳＳ」を図７５（Ｂ）に示すように、表示すると共に、当該クリツクされた送り先覧４１１の横一列全てを赤色で表示して、現在選択されていることを示す。
【０６３４】
因に送り先が登録されていない場合、オンエアサーバ管理端末２５において、報道部員がキーボードを用いて送り先（例えば全角３文字）を入力した後、キーボードのEnter キーが押されると、オンエアサーバ管理端末２５は素材送り送出リスト画面４００上において選択された素材名の「送り先」表示欄４０３Ｂに「送り先」（例えば「ＳＳＳ」）を表示する。
【０６３５】
従つて、報道部員が素材送り送出リスト画面４００の起動ボタン４０１をクリツクすると、オンエアサーバ管理端末２５は上述のローカル送出と同様にステータス画面３４３を表示することにより、当該ステータス画面３４３のタイトル表示欄３８７に「相模川鮎解禁」の素材名を表示することにより、送り先（例えば「ＳＳＳ」）の放送局に素材送り順ナンバ「１」の素材名（例えば「相模川鮎解禁」）の素材送り状況が視覚的に確認し得る。
【０６３６】
かくしてニユース素材を簡易な操作で的確に送出し得る番組制作送出装置１を実現することができる。
【０６３７】
なお上述の実施例においては、送出用途情報を付加したニユース素材を送出機器制御部５に送出した場合について述べたが、本発明はこれに限らず、ニユース素材を一本化保存するライブラリー２８（図１に示す）等に送出しても、上述の実施例と同様の効果を得ることができる。
【０６３８】
また上述の実施例においては、オンエアサーバ２２Ａにおいて収録側に第１のクレジツト書込装置２２Ｂ及び送出側に第２のクレジツト書込装置２２Ｃを設けた場合について述べたが、本発明はこれに限らず、素材情報として第１のクレジツトデータＣＬ１及び第２のクレジツトデータＣＬ２を何れの場合でも付加するクレジツト書込装置を設けた番組制作送出装置１を適用しても、上述の実施例と同様の効果を得ることができる。
【０６３９】
さらに上述の実施例においては、第１のクレジツト書込装置２２Ｂは、ニユース素材がビデオテープに収録されたＶＴＲ２１からニユース素材としての映像／音声データＳＶ０が入力された場合について述べたが、本発明はこれに限らず、ニユース素材がハードデイスクに収録されたハードデイスク駆動装置等からニユース素材が入力された場合でも、当該ニユース素材に素材情報を付加する番組制作送出装置１を適用しても、上述の実施例と同様の効果を得ることができる。
【０６４０】
さらに上述の実施例においては、番組素材を送出した場合について述べたが、本発明はこれに限らず、オンエアサーバ２２Ａに収録しておきたいプール用の素材や汎用素材等を送出する番組制作送出装置１に適用しても、上述の実施例と同様の効果を得ることができる。
【０６４１】
さらに上述の実施例においては、ニユース素材に付加した情報の表示形態として文字を用いた場合について述べたが、本発明はこれに限らず、情報の表示形態として図形を用いたり、文字及び図形の両方を用いて情報を表示するようにしてもよい。例えば素材名「相模川鮎解禁」の文字及び魚と釣り竿の図形を表示するようにしても良い。
【０６４２】
（１５）ニユースビデオ素材の収録管理
（１５−１）ニユースビデオ素材の収録
図１との対応部分に同一符号を付して示す図７６に示すように、ニユース番組制作送出装置１では、オンエアサーバ部２２に送出の決定したオンエア素材を収録するオンエア素材収録領域２２Ａと、送出未定のプール素材を収録するプール素材収録領域２２Ｂと、送出未定の汎用素材を収録する汎用素材収録領域２２Ｃとが設けられている。
【０６４３】
この場合ニユース番組制作送出装置１では、オンエアサーバ管理端末２５に設けられた制御部が、ニユースビデオ素材の収録用のアプリケーシヨン・ソフトウエア（以下、これを収録用アプリケーシヨン・ソフトウエアと呼ぶ）を起動させることによりモニタ（図示せず）に収録画面を表示する。このようにしてオンエアサーバ管理端末２５の制御部は、収録画面の各種操作ボタンをオペレータがマウスを用いてクリツクすることにより当該クリツクされた操作ボタンに応じた操作内容を表す操作信号ＳＳ１を生成してこれをサーバ制御端末２３を介して機器制御部２４に送出する。
【０６４４】
かくして機器制御部２４は、入力された操作信号ＳＳ１が表す操作内容に応じた制御信号ＳＧ１を生成してこれを対応するオンエアサーバ部２２、取り込み用のＶＴＲ２１の第１のＶＴＲ２１Ａ、第２のＶＴＲ２１Ｂ及び又はセレクタ４３０に送出して制御することにより、当該第１のＶＴＲ２１Ａ及び第２のＶＴＲ２１Ｂによつて再生させた収録対象のニユースビデオ素材又は、系列放送局から回線Ｒ１〜Ｒ４を介してセレクタ４３０に供給され、かつ当該セレクタ４３０によつて選択された収録対象のニユースビデオ素材をオンエアサーバ部２２の対応する収録領域に収録し得るようになされている。
【０６４５】
（１５−１−１）オンエア素材の収録
実際上、図６０に示すように、オンエアサーバ理端末２５の制御部は、まずオンエアサーバ部２２へのオンエア素材の収録時、モニタに表示した収録画面２７０の収録ボタン２７１をオペレータがマウスを用いてクリツクすると、ニユースビデオ素材表示部２８１を全て空白行にして表示する。この後制御部は、オペレータが番組素材ボタン２７８をクリツクすることによりＤＢサーバ７からオンエアサーバコントローラ端末９を介して番組構成フアイルＦＤを読み出して、当該番組構成フアイルＦＤの番組データＣ０から、今後送出する番組のうち、現在の時刻に一番近い送出（放送）予定時刻の番組に対応する番組構成表を選択する共に、当該選択した番組構成表からニユースビデオ素材のみを抜き出す。
【０６４６】
これにより制御部は、抜き出した各ニユースビデオ素材に対応する各種情報をニユースビデオ素材表示部２８１のそれぞれ対応する「項目 No.／項目名」欄２８２、「構成 No.／素材名」欄２８３、「ＯＡ尺」欄２８４等に表示する。これに加えて制御部は、選択した番組構成表に対応する番組の名称と、当該番組の送出予定日時とを、それぞれ対応する番組名表示部２７６と、送出日時表示部２７７とに表示する。
【０６４７】
ここで制御部は、ニユースビデオ素材表示部２８１に表示した各ニユースビデオ素材のうち、収録対象の例えば相模川鮎解禁（素材名）の行をオペレータがマウスを用いてクリツクすることにより当該クリツクされた行のみを他の行と異なる色で表示する。この状態において制御部は、オペレータがマウスを用いて収録ボタン２９１をクリツクすることによりモニタに表示している収録画面２７０の所定部分に供給元選択ポツプアツプを重ねて表示する。
【０６４８】
この場合、図６１に示すように、制御部は、オペレータが相模川鮎解禁のオンエア素材が記録されて編集されたビデオテープを例えば第１のＶＴＲ２１Ａに装填した状態で、当該オペレータが供給元選択ポツプアツプ３００のＶ１ボタンをマウスを用いてクリツクし、この後実行ボタン３０１をクリツクすると、収録の実行を表す操作信号を生成してこれをサーバ制御端末２３を介して機器制御部２４に送出する。
【０６４９】
かくして機器制御部２４は、入力された操作信号に基づいてＶＴＲ制御信号を生成してこれを第１のＶＴＲ２１Ａに送出することにより相模川鮎解禁のオンエア素材を再生させると共に、当該操作信号に基づいてサーバ制御信号を生成してこれをオンエアサーバ部２２に送出することにより当該オンエアサーバ部２２のオンエア素材収録領域２２Ａに相模川鮎解禁のオンエア素材を収録する。
【０６５０】
このようにして制御部は、上述したようにオペレータがニユースビデオ素材表示部２８１の行や収録ボタン２９１等を順次マウスを用いてクリツクすることにより、予めビデオテープに記録されて編集されている各種オンエア素材を番組構成表に対応させてオンエアサーバ部２２のオンエア素材収録領域２２Ａに収録させる。
【０６５１】
ただし制御部は、オペレータがオンエア素材の収録中に当該オンエア素材の収録を中止するために収録画面２７０のステータス表示部２９２のＥＮＤボタンをマウスを用いてクリツクすると、当該収録画面２７０の所定部分に収録中止ポツプアツプを重ねて表示する。
【０６５２】
この場合図６３に示すように、制御部は、オペレータが収録中止ポツプアツプ３１１の実行ボタン３１２をマウスを用いてクリツクすると、機器制御部２４により供給元からのオンエア素材の供給を停止させると共に、オンエアサーバ部２２の収録を中止させる。これに加えて制御部は、収録を中止させるオンエア素材のＩＤ番号を消去し、かつ当該オンエア素材が途中まで収録されていてもこのオンエア素材を未収録として収録を中止する。
【０６５３】
このようにして制御部は、オンエア素材の収録終了時に収録画面２７０の登録ボタンをオペレータがマウスを用いてクリツクすると、オンエア素材の収録時に選択した番組構成表の各ニユースビデオ素材の各種情報を、当該収録画面２７０のニユースビデオ素材表示部２８１に表示している各ニユースビデオ素材の各種情報に書き換えて、当該各種情報を新たな情報に書き換えた番組構成表の番組データＣ０を番組構成フアイルＦＤとしてオンエアサーバコントローラ端末９を介してＤＢサーバ７に送出して当該ＤＢサーバ７に登録する。
【０６５４】
（１５−１−２）プール素材の収録
図６０との対応部分に同一符号を付して示す図７７に示すように、オンエアサーバ管理端末２５の制御部は、プール素材の収録時、オペレータがマウスを用いて収録画面２７０のプール素材ボタン２７９をクリツクすると、当該クリツクされたプール素材ボタン２７９に応じてＤＢサーバ７からこれに登録されているプール素材の素材リスト（以下、これをプール素材リストと呼ぶ）をオンエアサーバコントローラ端末９を介して読み出す。
【０６５５】
これにより制御部は、プール素材リストの表す各プール素材の各種情報をニユースビデオ素材表示部４３１のそれぞれ対応する「項目 No.／項目名」欄２８２、「構成 No.／素材名」欄２８３、「ＯＡ尺」欄２８４等に表示する。これに加えて制御部は、番組名表示部２７６にプール素材と表示する。
【０６５６】
この状態において、制御部は、オペレータがマウスを用いて入力ボタン４３２をクリツクすると、収録画面２７０の所定部分にプール素材入力ポツプアツプを重ねて表示する。図７８に示すように、プール素材入力ポツプアツプ４３５には、オンエアサーバ部２２に新たに収録されるプール素材の素材名を表示する素材名欄４３６と、当該収録されるプール素材のオンエア尺を表示するＯＡ尺欄４３７とが設けられている。
【０６５７】
この場合制御部は、オペレータがオンエアサーバ管理端末２５に設けられたサムホイールスイツチ又はキーボートを介して収録対象のプール素材の素材名を入力すると共に、オンエア尺を入力すると、プール素材入力ポツプアツプ４３５の素材名欄４３６及びＯＡ尺欄４３７にそれぞれ入力された素材名及びオンエア尺を表示する。これに加えて制御部は、収録画面２７０においてニユースビデオ素材表示部４３１の空白行のうち、一番上に位置する行の「構成 No.／素材名」欄２８３及び「ＯＡ尺」欄２８４にそれぞれ入力されたプール素材の素材名及びオンエア尺を表示すると共に、当該ニユースビデオ素材表示部４３１の「区分」欄２８８にプールと表示する。このようにして制御部は、オンエアサーバ部２２に新たに収録されるプール素材を、当該オンエアサーバ部２２に収録可能な状態にする。
【０６５８】
実際上制御部は、収録画面２７０のニユースビデオ素材表示部４３１に、オンエアサーバ部２２に実際に収録されたプール素材の各種情報（この場合「進捗」欄２８７が収録済となる）と共に、当該オンエアサーバ部２２に新たに収録されるプール素材の素材名等を表示した状態で、オペレータがマウスを用いてニユースビデオ素材表示部４３１の未収録のプール素材の行をクリツクし（クリツクされた行は、上述したオンエア素材のときと同様に他の行と異なる色で表示する）、収録ボタン２９１をクリツクすると、上述したオンエア素材の収録時と同様にして収録画面２７０に供給元選択ポツプアツプ３００を重ねて表示する。
【０６５９】
この状態において制御部は、供給元選択ポツプアツプ３００からオペレータが予めプール素材が記録されて編集されたビデオテープを装填した例えば第１のＶＴＲ２１Ａを表すＶ１ボタンをマウスを用いてクリツクし、さらに実行ボタン３０１をクリツクすると収録の実行を表す操作信号を生成してこれをサーバ制御端末２３を介して機器制御部２４に送出する。
【０６６０】
機器制御部２４は、入力された操作信号に基づいてＶＴＲ制御信号を生成してこれを第１のＶＴＲ２１Ａに送出することにより当該第１のＶＴＲ２１Ａにプール素材を再生させると共に、当該操作信号に基づいてサーバ制御信号を生成してこれをオンエアサーバ部２２に送出することにより当該オンエアサーバ部２２のプール素材収録領域２２Ｂに再生されたプール素材を収録する。なおビデオテープに記録されたプール素材は、リニア編集機２０において、予め設定された前カツト及びステカツトの時間と、オペレータが入力したオンエア尺とに基づいて編集されている。
【０６６１】
かくして制御部は、上述したようにプール素材入力ポツプアツプ４３５を介してオペレータが収録対象のプール素材の素材名及びオンエア尺を入力することにより、当該素材名及びオンエア尺をニユースビデオ素材表示部４３１に表示して収録対象のプール素材をプール素材リストに登録すると共に、ニユースビデオ素材表示部２８１の未収録のプール素材の行や収録ボタン２９１等を順次マウスを用いてクリツクされると所定の供給元から供給される収録対象のプール素材をオンエアサーバ部２２のプール素材収録領域２２Ｂに収録させる。
【０６６２】
このようにして制御部は、プール素材の収録終了後にオペレータがマウスを用いて収録画面２７０の登録ボタンをクリツクすると、先にＤＢサーバ７から読み出したプール素材リストを収録対象のプール素材（収録済及び又は未収録）を追加登録した新たなプール素材リストに代えてオンエアサーバコントローラ端末９を介してＤＢサーバ７に送出して当該ＤＢサーバ７に新たなプール素材リストを登録する。これによりニユース番組制作送出装置１では、オンエアサーバ部２２のプール素材収録領域２２Ｂに収録されたプール素材を、ＤＢサーバ７に登録されたプール素材リストに基づいて管理し得るようになされている。
【０６６３】
（１５−１−３）汎用素材の収録
またオンエアサーバ管理端末２５の制御部は、汎用素材の収録時、オペレータがマウスを用いて収録画面２７０の汎用素材ボタン２８０をクリツクすると、当該クリツクされた汎用素材ボタン２８０に応じてＤＢサーバ７からこれに登録されている汎用素材の素材リスト（以下、これを汎用素材リストと呼ぶ）をオンエアサーバコントローラ端末９を介して読み出す。
【０６６４】
これにより制御部は、汎用素材リストの表す各汎用素材の各種情報をニユースビデオ素材表示部のそれぞれ対応する「項目 No.／項目名」欄２８２、「構成 No.／素材名」欄２８３、「ＯＡ尺」欄２８４等表示する。これに加えて制御部は、番組名表示部２７６に汎用素材と表示する。
【０６６５】
この状態において制御部は、オペレータがマウスを用いて入力ボタン４３２をクリツクすると、収録画面２７０に上述したプール素材入力ポツプアツプ４３５と同様構成でなる汎用素材入力ポツプアツプを重ねて表示する。これにより制御部は、オペレータがサムホイールスイツチ又はキーボードを介して収録対象の汎用素材の素材名を入力すると共に、オンエア尺を入力すると、収録画面２７０においてニユースビデオ素材表示部の空白行のうち、一番上に位置する行の「構成 No.／素材名」欄２８３及び「ＯＡ尺」欄２８４にそれぞれ入力された汎用素材の素材名及びオンエア尺を表示すると共に、当該ニユースビデオ素材表示部の「区分」欄２８８に汎用と表示する。このようにして制御部は、オンエアサーバ部２２に新たに収録される汎用素材を、当該オンエアサーバ部２２に収録可能な状態にする。
【０６６６】
実際上制御部は、上述したプール素材の収録時と同様に収録画面２７０のニユースビデオ素材表示部に、オンエアサーバ部２２に実際に収録された汎用素材に対応する各種情報と共に、当該オンエアサーバ部２２に新たに収録される汎用素材に対応する素材名等を表示した状態で、オペレータがマウスを用いてニユースビデオ素材表示部の未収録の汎用素材の行をクリツクし（クリツクされた行は、上述したオンエア素材のときと同様に他の行と異なる色で表示する）、収録ボタン２９１をクリツクすると、収録画面２７０に供給元選択ポツプアツプ３００を重ねて表示する。
【０６６７】
この状態において制御部は、供給元選択ポツプアツプ３００からオペレータが予め汎用素材が記録されて編集されたビデオテープを装填した例えば第１のＶＴＲ２１Ａを表すＶ１ボタンをマウスを用いてクリツクし、さらに実行ボタン３０１をクリツクすると収録の実行を表す操作信号を生成してこれをサーバ制御端末２３を介して機器制御部２４に送出する。
【０６６８】
機器制御部２４は、入力された操作信号に基づいてＶＴＲ制御信号を生成してこれを第１のＶＴＲ２１Ａに送出することにより当該第１のＶＴＲ２１Ａに汎用素材を再生させると共に、当該操作信号に基づいてサーバ制御信号を生成してこれをオンエアサーバ部２２に送出することにより当該オンエアサーバ部２２の汎用素材収録領域２２Ｃに再生された汎用素材を収録する。なおビデオテープに記録された汎用素材は、上述したプール素材の場合と同様にしてリニア編集機２０において、予め設定された前カツト及びステカツトの時間と、オペレータが入力したオンエア尺とに基づいて編集されている。
【０６６９】
かくして制御部は、上述したように汎用素材入力ポツプアツプを介してオペレータが収録対象の汎用素材の素材名及びオンエア尺を入力することにより、当該素材名及びオンエア尺をニユースビデオ素材表示部に表示して収録対象の汎用素材を汎用素材リストに登録すると共に、ニユースビデオ素材表示部の未収録の汎用素材の行や収録ボタン２９１等を順次マウスを用いてクリツクされると所定の供給元から供給される収録対象の汎用素材をオンエアサーバ部２２の汎用素材収録領域２２Ｃに収録させる。
【０６７０】
このようにして制御部は、汎用素材の収録終了後にオペレータがマウスを用いて収録画面２７０の登録ボタンをクリツクすると、先にＤＢサーバ７から読み出した汎用素材リストを収録対象の汎用素材（収録済及び又は未収録）を追加登録した新たな汎用素材リストに代えてオンエアサーバコントローラ端末９を介してＤＢサーバ７に送出して当該ＤＢサーバ７に新たな汎用素材リストを登録する。これによりニユース番組制作送出装置１では、オンエアサーバ部２２の汎用素材収録領域２２Ｃに収録された汎用素材を、ＤＢサーバ７に登録された汎用素材リストに基づいて管理し得るようになされている。
【０６７１】
（１５−２）番組構成表の編集
ところでニユース番組制作送出装置１では、上述したようにしてオンエアサーバ部２２に収録されたプール素材や汎用素材を番組で送出する（すなわち、送出未定の状態から送出決定の状態にする）場合、オンエアサーバ部２２に収録されているプール素材や汎用素材を番組構成表に組み込むようにして当該番組構成表を編集する必要がある。
【０６７２】
この場合番組構成表の編集は、例えばデスク端末１８において実行される。デスク端末１８では、その制御部が番組構成表編集用のアプリケーシヨン・ソフトウエア（以下、これを編集用アプリケーシヨン・ソフトウエアと呼ぶ）を起動させて番組構成表を編集する。
【０６７３】
実際上デスク端末１８の制御部は、番組構成表の編集時、オペレータによりキーボード等を介して編集対象の番組構成表が指定されると、編集用アプリケーシヨン・ソフトウエアを起動させてＤＢサーバ７からオンエアサーバコントローラ端末９を介して番組構成フアイルＦＤを読み出すと共に、当該読み出した番組構成フアイルＦＤの番組データＣ０からオペレータが指定した番組構成表の番組データＣ０を選択する。これにより制御部は、選択した番組データＣ０を番組構成表として番組登録画面中に表示する。
【０６７４】
この場合、図６との対応部分に同一符号を付して示す図７９のように、デスク端末１８の制御部は、番組登録画面４３８Ａにおいて、選択した番組データＣ０の各種情報を番組構成表４３８のそれぞれ対応する項目名欄９７、「開始時刻／時間」欄９８、構成時間欄９９等に表示すると共に、番組名及び送出予定日時を表示部９５Ｂに表示する。
【０６７５】
この状態において制御部は、オペレータがマウスを用いてＮＶ素材ボタン４３９をクリツクすると、当該クリツクされたＮＶ素材ボタン４３９に応じて素材選択ポツプアツプ（図示せず）を番組登録画面４３８Ａに重ねて表示する。図８０に示すように、素材選択ポツプアツプ４４０は、プール素材を選択し得るプールボタン４４１と、汎用素材を選択し得る汎用ボタン４４２とが設けられていると共に、番組登録画面４３８Ａ中の番組構成表９５とは異なる番組構成表に登録されたオンエア素材を選択し得るオンエア素材ボタン４４３とが設けられている。
【０６７６】
この場合制御部は、オペレータがマウスを用いて素材選択ポツプアツプ４４０のプールボタン４４１又は汎用ボタン４４２をクリツクすると、当該クリツクされたプールボタン４４１又は汎用ボタン４４２にそれぞれ対応するプール素材リスト又は汎用素材リストをＤＢサーバ７からオンエアサーバコントローラ端末９を介して読み出す。また制御部は、オペレータがマウスを用いてオンエア素材ボタン４４３をクリツクすると共に、オンエア素材がオンエアサーバ部２２に収録された日を昨日ボタン４４４又は今日ボタン４４５さらには放送日指定部４４６によつて指定すると、これに基づいて指定された日のオンエアサーバ部２２に収録されたオンエア素材を表す番組構成フアイルＦＤをＤＢサーバ７からオンエアサーバコントローラ端末９を介して読み出す。
【０６７７】
ここでまず図６との対応部分に同一符号を付して示す図８１のように、制御部は、素材選択ポツプアツプ４４０のプールボタン４４１が指定された場合、プール素材リストの表す全てのプール素材のそれぞれ素材名（先頭から例えば５文字）及びオンエア尺からなる複数のプール素材ボタン４４８を一覧表にしてなるプール素材一覧ポツプアツプ４４９を番組登録画面４３８Ａに重ねて表示する。
【０６７８】
この状態において制御部は、オペレータがマウスを用いて各プール素材ボタン４４８のうち、例えば「観光客の様」（素材名）と表示されたプール素材ボタン４４８Ａをクリツクし、この後例えば後追加ボタン４５０をクリツクし、さらに番組登録画面４３８Ａの番組構成表４３８の例えば「春便りマザー牧場」（項目名）の構成時間欄９９の「２」と表示された行４３８Ａをクリツクすると、当該クリツクされた行４３８Ａの直ぐ後に「観光客の様」の構成を追加する。これにより制御部は、オンエアサーバ部２２のプール素材収録領域２２Ｂに収録されている「観光客の様」のプール素材を送出未定の状態から送出決定の状態に変更し得るようになされている。
【０６７９】
なおプール素材一覧ポツプアツプ４４９には、上述した後追加ボタン４５０に加えて前挿入ボタン４５１が設けられており、番組構成表４３８の編集時にオペレータが後追加ボタン４５０に変えて前挿入ボタン４５１をクリツクすると「観光客の様」の構成を「春便りマザー牧場」の行４３８Ａの直ぐ前に挿入し得るようになされている。またプール素材一覧ポツプアツプ４４９には、当該プール素材一覧ポツプアツプ４４９を閉じる閉ボタン４５２が設けられている。
【０６８０】
かくして図６との対応部分に同一符号を付して示す図８２のように、制御部は、番組登録画面４５４Ａにおいて、「観光客の様」のプール素材を番組構成表４５４に組み込むようにして当該プール素材を送出未定の状態から送出決定の状態に変更すると共に、番組構成表４５４を編集し得るようになされている。このとき制御部は、番組構成表４５４の編集に伴つて当該番組構成表４５４の構成時間欄９９、映像欄１００及び音声欄１０３等にそれぞれ対応する情報を自動で表示すると共に、「開始時刻／時間」欄９８を自動で修正する。なお制御部は、プール素材が映像と音声からなる場合（オンエア素材及び汎用素材の場合も同様）、番組構成表４５４の音声欄１０３にプール素材の素材名の先頭から例えば４文字（「観光客の」）を表示して、送出の決定されたプール素材として音声が送出可能なことをオペレータに視覚的に確認させることができるようになされている。ただし音声の音声レベルはＢＧ（バツクグラウンド）レベルに設定されている。
【０６８１】
一方制御部は、素材選択ポツプアツプ４４０において汎用ボタン４４２が指定された場合、汎用素材リストの表す全て汎用素材を上述したプール素材一覧ポツプアツプ４４９と同様構成でなる汎用素材一覧ポツプアツプにより一覧表示して当該汎用素材一覧ポツプアツプを番組登録画面４３８Ａに重ねて表示する。この状態において制御部は、上述したプール素材を用いた番組構成表４３８の編集と同様にして当該番組構成表４３８に汎用素材を組み込むようにして編集し、当該汎用素材を送出未定の状態から送出決定の状態に変更し得るようになされている。
【０６８２】
さらに制御部は、素材選択ポツプアツプ４４０においてオンエア素材ボタン４４３が指定された場合、番組映像構成フアイルＦＤの番組データＣ０に基づいて、上述したプール素材一覧ポツプアツプ４４９と同様構成でなるオンエア素材一覧ポツプアツプを番組登録画面４３８Ａに重ねて表示し、この状態において上述したプール素材を用いた番組構成表４３８の編集と同様にして当該番組構成表４３８にオンエア素材を組み込むようにして編集し得るようになされている。
【０６８３】
（１５−３）キユーシートの編集
ここでニユース番組制作送出装置１では、オンエアサーバ部２２に収録したプール素材を送出（放送）する場合、上述したデスク端末１８による番組構成表の編集に加えて、実際にキユーシートに基づいて対応する番組を送出している間にキユーシート端末３２により当該キユーシートをプール素材を組み込むようにして編集し、当該編集したキユーシートに基づいてプール素材を送出（放送）し得るようになされている。
【０６８４】
この場合キユーシート端末３２では、その制御部が、ニユース番組の送出（放送）時、キユーシート編集用のアプリケーシヨン・ソフトウエアを起動させて、送出中の番組に応じたキユーシートの番組データＣ１をＤＢサーバ７から読み出してこの番組データＣ１に基づいてキユーシート画面をモニタに表示する。
【０６８５】
図９との対応部分に同一符号を付して示す図８３において制御部は、キユーシート画面１１５のプールボタン４５５をオペレータがタツチパネルにより指定すると、ＤＢサーバ７からオンエアコントロール端末９を介してプール素材リストを読み出し、当該プール素材リストに基づいてプール一覧ポツプアツプ４５６をキユーシート画面１１５に重ねて表示する。
【０６８６】
プール素材一覧ポツプアツプ４５６には、プール素材リストの表す全てのプール素材のそれぞれ素材名（先頭から例えば５文字）及びオンエア尺からなる複数のプール素材ボタン４５７を一覧表にしたプール一覧表４５８と、当該プール一覧表４５８の表示をスクロールさせるスクロール操作部４５９とが設けられていると共に、キユーシート４６０へのプール素材の組み込み方法を指定する前挿入ボタン４６１及び後追加ボタン４６２と、当該プール素材一覧ポツプアツプ４５６を閉じる閉ボタン４６３とが設けられている。
【０６８７】
制御部は、オペレータがマウスを用いて各プール素材ボタン４５７のうち、例えば「土曜の丑」と表示されたプール素材ボタン４５７Ａをクリツクし、この後前挿入ボタン４６１又は後追加ボタン４６２をクリツクし、さらにキユーシート画面１１５のキユーシート４６０の例えば「体験入学コーナースノーボードに挑」（項目名）の人の形が表示された映像欄４６０Ａをクリツクすると、当該「土曜の丑」の構成をキユーシート４６０に組み込んで当該キユーシート４６０を編集する。
【０６８８】
なお、図８４（Ａ）及び（Ｂ）に示すように、制御部は、オペレータによつて前挿入ボタン４６１がクリツクされたときには「土曜の丑」４５７Ｂの構成を「体験入学コーナースノーボードに挑」の人の形が表示された映像欄４６０Ａの直ぐ前に挿入し（図８４（Ａ））、後追加ボタン４６２がクリツクされたときには「土曜の丑」４５７Ｂの構成を「体験入学コーナースノーボードに挑」の当該映像欄４６０Ａの直ぐ後ろに追加する（図８４（Ｂ））。このとき制御部は、キユーシート画面１１５の編集に伴つてキユーシート４６０のオンエア素材（組み込まれたプール素材を含む）のそれぞれ送出時間を自動で修正する。
【０６８９】
このようにして制御部は、オペレータの指定にプール素材をキユーシート画面１１５上でキユーシート４６０に組み込むようにして当該組み込んだプール素材を送出未定の状態から送出決定の状態に変更し得るようになされている。かくしてニユース番組制作送出装置１では、編集されたキユーシート４６０に基づいて、当該キユーシート４６０に組み込まれたプール素材を番組で送出し得るようになされている。
【０６９０】
またキユーシート端末３２の制御部は、キユーシート画面１１５のキユーシート４６０に表示した複数のオンエア素材のうち、再び他の番組において送出する可能性のあるオンエア素材の行をオペレータがマウスを用いてクリツクし、さらにプールボタン４５５をクリツクすると、当該クリツクされたオンエア素材を、ＤＢサーバ７から読み出しているプール素材リストに複写する。これによりニユース番組制作送出装置１では、プール素材リストに複写したオンエア素材をキユーシート４６０に基づいて送出させることができると共に、当該送出が終了した後オンエアサーバ部２２に収録した状態でＤＢサーバ７に登録されたプー素材リストに基づいて送出未定として管理し得るようになされている。
【０６９１】
（１５−４）動作及び効果
以上の構成において、ニユース番組制作送出装置１では、オンエアサーバ部２２のオンエア素材収録領域２２Ａ、プール素材収録領域２２Ｂ及び汎用素材収録領域２２Ｃにそれぞれ対応するオンエア素材、プール素材及び汎用素材を収録することができ、当該プール素材及び汎用素材をオンエアサーバ部２２に収録した状態でプール素材リスト及び汎用素材リストに基づいて管理することができる。
【０６９２】
ここでオンエアサーバ部２２へのプール素材の収録時、オンエアサーバ管理端末２５の制御部は、収録用アプリケーシヨン・ソフトウエアを起動させて図８５に示すプール素材収録処理手順を開始してステツプＳＰ２６０からステツプＳＰ２６１に進み、当該ステツプＳＰ２６１においてＤＢサーバ７から読み出した番組構成フアイルＦＤ、プール素材リスト又は汎用素材リストを表示して収録の初期設定を行う。
【０６９３】
次いで制御部は、ステツプＳＰ２６２に進み、モニタに収録画面を表示し、オペレータがマウスを用いて収録画面の収録ボタンをクリツクすると、収録画面中に各行が空白のニユースビデオ素材表示部を表示する。この後制御部は、ステツプＳＰ２６３に進んで終了指示がされたか否かを判断する。なお制御部は、モニタに収録画面を表示している場合にはプール素材の収録が終了していないと判断し、モニタの収録画面を閉じている場合にはプール素材の収録が終了したと判断する。
【０６９４】
これにより制御部は、ステツプＳＰ２６３において否定結果を得ると（すなわち、プール素材の収録が終了していないと）、続くステツプＳＰ２６４に進み、収録画面のプール素材ボタンがクリツクされた否かを判断する。このとき制御部は、否定結果を得るとステツプＳＰ２６３に戻つて当該ステツプＳＰ２６４において肯定結果を得るまでステツプＳＰ２６３からステツプＳＰ２６４のループ（ＳＰ２６４−ＳＰ２６３−ＳＰ２６４）を繰り返す。この後制御部は、ステツプＳＰ２６４において肯定結果を得ると、続くステツプＳＰ２６５に進んでＤＢサーバ７からオンエアサーバコントローラ端末９を介してプール素材リストを読み出すと共に、当該読み出したプール素材リストの表す全てのプール素材の各種情報を収録画面のニユースビデオ素材表示部に表示する。
【０６９５】
続いて制御部は、ステツプＳＰ２６６に進み、オペレータからプール素材の登録依頼があるか否か（収録画面の入力ボタンがクリツクされたか否か）を判断して否定結果を得ると、ステツプＳＰ２６３に戻つてこの後ステツプＳＰ２６６において肯定結果が得られるまでステツプＳＰ２６３からステツプＳＰ２６６のループ（ＳＰ２６６−ＳＰ２６３−ＳＰ２６４−ＳＰ２６５−ＳＰ２６６）を繰り返す。この後制御部は、ステツプＳＰ２６６において肯定結果を得ると、続くステツプＳＰ２６７に進んで、収録画面にプール素材入力ポツプアツプを重ねて表示する。
【０６９６】
次いで制御部は、ステツプＳＰ２６８に進んで否定結果を得るとＳＰ２６９に進んで、オペレータがプール素材の素材名及びオンエア尺を入力して、閉を押すと、ＳＰ２６８で肯定結果を得てポツプアツプを閉じると共に、当該入力されたプール素材の素材名及びオンエア尺等を、ニユースビデオ素材表示部の空白行のうち一番上に位置する空白行に表示する。この場合制御部は、オペレータがマウスを用いてニユースビデオ素材表示部の未収録のプール素材の素材名が表示された行をクリツクすると共に、収録ボタンをクリツクすると、収録画面に収録選択ポツプアツプを表示する。この後制御部は、オペレータがマウスを用いて収録選択ポツプアツプのＶ１ボタン〜Ｒ４ボタンのうち、プール素材の供給元を表すボタンをクリツクすると共に、実行ボタンをクリツクすると、指定された供給元から供給される収録対象のプール素材をオンエアサーバ部２２のプール素材収録領域２２Ｂに収録する。
【０６９７】
この後制御部は、ステツプＳＰ２７０進み、オペレータがマウスを用いて収録画面の登録ボタンをクリツクすると、ニユースビデオ素材表示部に表示している全てのプール素材をプール素材リストとしてオンエアサーバコントロール端末９を介してＤＢサーバ７に送出して登録する。続いて制御部は、ステツプＳＰ２７１に進んで収録画面を閉じた後、ステツプＳＰ２６３に戻つて終了指示がされたか否かを判断して肯定結果を得ると、ステツプＳＰ２７２に進んでプール素材収録処理手順を終了する。
【０６９８】
なおオンエアサーバ管理端末２５の制御部は、オンエアサーバ部２２への汎用素材の収録時、上述したプール素材収録処理手順とほぼ同様の手順によつて当該汎用素材リストに新たな汎用素材を登録し得ると共に、当該汎用素材リストに登録した汎用素材をオンエアサーバ部２２の汎用素材収録領域２２Ｃに収録することができる。
【０６９９】
またこのニユース番組制作送出装置１では、デスク端末１８において、プール素材リストに登録されているプール素材を番組構成表に組み込むことにより、当該プール素材を送出未定の状態から送出決定の状態に変更することができる。
【０７００】
この場合デスク端末１８の制御部は、オペレータがキーボード等を介して編集対象の番組構成表を指定すると、図８６に示す番組構成表編集処理手順を開始してステツプＳＰ２８０からステツプＳＰ２８１に進み、当該ステツプＳＰ２８１において編集用アプリケーシヨン・ソフトウエアを起動させ、先の番組構成表の編集においてＤＢサーバ７から読み出した番組構成フアイルＦＤ、プール素材リスト又は汎用素材リストを表示して編集の初期設定を行う。
【０７０１】
次いで制御部は、ステツプＳＰ２８２に進んでモニタに番組構成表画面を表示すると共に、ＤＢサーバ７からオンエアサーバコントローラ端末９を介して番組構成フアイルＦＤを読み出して、当該番組構成フアイルＦＤの番組データＣ０からオペレータが指定した番組構成表の番組データ選択する。これにより制御部は、選択した番組データＣ０を番組構成表として番組登録画面に表示する。
【０７０２】
続いて制御部は、ステツプＳＰ２８３に進み、終了指示がされたか否かを判断する。
【０７０３】
このようにして制御部は、ステツプＳＰ２８３において否定結果を得ると、続くステツプＳＰ２８４に進んでプールボタンがクリツクされたか否かを判断する。ここで制御部は、ステツプＳＰ２８４において否定結果を得ると、ステツプＳＰ２８３に戻つて、この後ステツプＳＰ２８４において肯定結果を得るまでステツプＳＰ２８３からステツプＳＰ２８４のループ（ＳＰ２８４−ＳＰ２８３−ＳＰ２８４）を繰り返す。
【０７０４】
この後制御部は、ステツプＳＰ２８４において肯定結果を得ると、続くステツプＳＰ２８５に進みＤＢサーバ７からオンエアサーバコントローラ端末９を介してプール素材リストを読み出すと共に、当該読み出したプール素材リストに基づいてプール素材一覧ポツプアツプを番組登録画面に重ねて表示する。
【０７０５】
次いで制御部は、ステツプＳＰ２８６に進んでプール素材一覧ポツプアツプの閉ボタンがクリツクされたか否かを判断して否定結果を得ると、続くステツプＳＰ２８７に進んで、オペレータが所望のプール素材ボタンと、前挿入ボタン（又は後追加ボタン）と、番組構成表の所望の行とを順次マウスを用いてクリツクすると、当該クリツクされた行の前（又は後ろ）に、クリツクされた所望のプール素材ボタンに応じたプール素材を組み込むことができ、かくして送出未定の状態のプール素材を送出決定の状態に変更することができる。
【０７０６】
続いて制御部は、ステツプＳＰ２８８に進んでオペレータがマウスを用いて収録画面の登録ボタンをクリツクすると、番組構成表の番組データＣ０を番組構成フアイルＦＤとしてオンエアサーバコントロール端末９を介してＤＢサーバ７に送出して登録する。
【０７０７】
このようにして制御部は、ステツプＳＰ２８６において肯定結果を得るまでステツプＳＰ２８６からステツプＳＰ２８８のループ（ＳＰ２８６−ＳＰ２８７−ＳＰ２８８−ＳＰ２８６）を繰り返し、この後ステツプＳＰ２８６において肯定結果を得ると、ステツプＳＰ２８９に進んでプール素材一覧表示ポツプアツプを閉じると共に、番組登録画面を閉じる。
【０７０８】
次いで制御部は、ステツプＳＰ２８３に戻つて番組構成表の終了指示がされたか否かを判断して肯定結果を得ると、ステツプＳＰ２９０に進んで番組構成表編集処理手順を終了する。
【０７０９】
なおデスク端末１８の制御部は、汎用素材構成表に登録されている送出未定の汎用素材を用いて番組構成表を編集する場合、上述した番組構成表編集処理手順とほぼ同様の手順によつて番組構成表に汎用素材を組み込むようにして当該番組構成表を編集することができ、かくして送出未定の状態の汎用素材を送出決定の状態に変更することができる。
【０７１０】
このようにしてニユース番組制作送出装置１では、オンエアサーバ部２２のプール素材収録領域２２Ｂ及び汎用素材収録領域２２Ｃにそれぞれ収録され、かつプール素材リスト及び汎用素材リストにそれぞれ登録された送出未定のプール素材及び汎用素材を、デスク端末１８により番組登録画面上で番組構成表に組み込むようにして送出決定の状態に容易に変更することができる。これに加えてこのニユース番組制作送出装置１では、オンエアサーバ部２２のプール素材収録領域２２Ｂに収録され、かつプール素材リストに登録された送出未定のプール素材を、キユーシート端末３９によりキユーシート画面上でキユーシートに組み込むようにして送出決定の状態に容易に変更することができると共に、送出決定のオンエア素材をキユーシート画面のキユーシート上からプール素材リストに複写して送出未定の状態に容易に変更することができる。
【０７１１】
なおこのようなオンエアサーバ部２２の収録されている送出未定の状態のプール素材及び汎用素材を送出決定の状態に変更した場合、当該変更をＤＢサーバ７に登録するプール素材リスト及び汎用素材リストによつて容易に判断することができ、かくしてオンエアサーバ部２２に収録されているプール素材及び汎用素材を容易に管理することができる。
【０７１２】
またこのニユース番組制作送出装置１では、オンエアサーバ部２２にオンエア素材収録領域２２Ａと、プール素材収録領域２２Ｂと、汎用素材収録領域２２Ｃとを設けてこれら各収録領域にそれぞれ対応するオンエア素材、プール素材及び汎用素材を収録すると共に、当該収録したプール素材及び汎用素材を表すプール素材リスト及び汎用素材リストを作成してこれをＤＢサーバ７に登録するようにしたことにより、従来のニユース番組制作送出装置のようにプール素材及び汎用素材をビデオテープに記録して保管せずに、当該プール素材及び汎用素材をオンエアサーバ部２２に収録して状態で容易に管理しながら保管することができる。
【０７１３】
以上の構成によれば、オンエアサーバ管理端末２５において、オンエアサーバ部２２のプール素材収録領域２０Ｂに収録したプール素材を表すプール素材リストを作成し、かつ当該オンエアサーバ２０の汎用素材収録領域２０Ｃに収録した汎用素材を表す汎用素材リストを作成して当該作成したプール素材リスト及び汎用素材リストをＤＢサーバ７に記録し、デスク端末１８においてＤＢサーバ７から読み出したプール素材リスト及び又は汎用素材リストが表すプール素材及び又は汎用素材のうち、オペレータが指定したプール素材及び又は汎用素材を、当該ＤＢサーバ７から読み出した番組構成表に組み込むようにして送出未定の状態から送出決定の状態に変更するようにしたことにより、送出未定の状態のプール素材及び又は汎用素材を番組構成表上で送出決定の状態に容易に変更することができ、かくしてプール素材及び又は汎用素材が組み込まれて編集された番組構成表からなるキユーシートに基づいて、送出未定の状態から送出決定の状態に変更されたプール素材及び又は汎用素材を容易に送出し得る番組制作送出装置を実現することができる。
【０７１４】
（１５−５）他の実施例
なお上述の実施例においては、デスク端末１８の制御部が番組構成表にオンエア素材、プール素材及び汎用素材を組み込むようにして当該番組構成表を編集するようにした場合について述べたが、本発明はこれに限らず、デスク端末１８の制御部により、ＤＢサーバ７から読み出した番組構成表に登録されたオンエア素材のうち、オペレータが指定したオンエア素材と、当該ＤＢサーバ７から読み出したプール素材リスト及び汎用素材リストが表すプール素材及び汎用素材のうち、オペレータが指定したプール素材及び又は汎用素材とから新たな番組構成表を作成するようにしても良い。
【０７１５】
また上述の実施例においては、デスク端末１８において、モニタに表示するプール素材一覧ポツプアツプ４４９及び汎用素材一覧ポツプアツプに前挿入ボタン４５１及び後追加ボタン４５０を設けるようにした場合について述べたが、本発明はこれに限らず、当該プール素材一覧ポツプアツプ４４９及び汎用素材一覧ポツプアツプに前挿入ボタン４５１及び後追加ボタン４５０に加えて上書きボタンを設けるようにして、当該上書きボタンがクリツクされたときには、この後クリツクされる行にプール素材及び汎用素材の構成を上書きするようにしても良い。
【０７１６】
さらに上述の実施例においては、キユーシート端末３９において、キユーシート画面１１５のキユーシート４６０に送出未定の状態のプール素材を組み込むようにしてこれを送出決定の状態に変更し、かつキユーシート画面１１５のキユーシート４６０からオンエア素材をプール素材リストに複写するようにして当該オンエア素材を送出決定の状態から送出未定の状態に変更するようにした場合について述べたが、本発明はこれに限らず、当該キユーシート端末３９において、キユーシート画面１１５のキユーシート４６０に送出未定の状態の汎用素材を組み込むようにしてこれを送出決定の状態に変更し、かつキユーシート画面１１５のキユーシート４６０からオンエア素材を汎用素材構成表に複写するようにして当該オンエア素材を送出決定の状態から送出未定の状態に変更するようにしても良い。
【０７１７】
さらに上述の実施例においては、キユーシート端末３９において、モニタに表示したプール素材一覧ポツプアツプ４５６に前挿入ボタン４６１及び後追加ボタン４６２を設けるようにした場合について述べたが、本発明はこれに限らず、当該プール素材一覧ポツプアツプ４５６に前挿入ボタン４５１及び後追加ボタン４６２に加えて上書きボタンを設けるようにして、当該上書きボタンがクリツクされたときには、この後クリツクされるキユーシート４６０の行にプール素材の構成を上書きするようにしても良い。
【０７１８】
（１６）ニユースビデオ素材の保管
（１６−１）ニユースビデオ素材の自動記録
ニユース番組制作送出装置においては、一日の放送終了後、オンエアサーバ部から番組として送出された複数のニユースビデオ素材を当該オンエアサーバ部から自動で連続して読み出して、当該読み出した各ニユースビデオ素材を一本化してライブラリに送出してビデオテープ等の記録媒体に記録するようになされている。
【０７１９】
この場合ニユース番組制作送出装置では、オペレータがデスク端末を介して送出予定の複数の番組をそれぞれ保管対象とするか否かを予め指定すると共に、当該保管対象に指定した番組の各ニユースビデオ素材を全て保管対象とするか、又は各ニユースビデオ素材のうち、当該オペレータが指定したニユースビデオ素材のみを保管対象とするかを指定し、さらに保管のための記録開始時刻も指定する。このようにしてニユース番組制作送出装置では、デスク端末において予め指定された保管の情報（以下、これを保管情報と呼ぶ）を番組構成フアイルに組み込んでＤＢサーバに送出し、当該保管情報をＤＢサーバに登録する。
【０７２０】
因みにオペレータは、再び送出される可能性のあるニユースビデオ素材を有する番組や、その日に発生したほとんどの事件が構成の要件として登録されて例えば歴史的な資料となり得る夕方や夜等の番組を保管対象の番組として指定する。これによりニユース番組制作送出装置では、オペレータによつて指定された夕方や夜等の番組を構成する各ニユースビデオ素材を記録媒体に記録し、当該記録媒体を歴史的な資料として保管し得るようになされている。
【０７２１】
実際上デスク端末における保管情報の指定は、当該デスク端末の制御部がモニタに表示させた番組登録画面に基づいて実行される。
【０７２２】
図９との対応部分に同一符号を付して示す図８７において、デスク端末の制御部は、モニタに表示した番組登録画面９５Ａからオペレータがマウスを用いて事前設定ボタン８８をクリツクすると、当該番組登録画面９５Ａに事前設定ポツプアツプ（図示せず）を重ねて表示する。これによりオペレータは、事前設定ポツプアツプを介して送出予定の複数の番組をそれぞれ保管対象とするか否かや、保管対象に指定した番組の各ニユースビデオ素材を全て保管対象とする否か、さらには記録開始時刻を指定するができるようになされている。なおデスク端末では、保管対象に指定し得るニユースビデオ素材の種類（すなわち、オンエア素材、プール素材及び汎用素材）も予め指定させるようになされている。
【０７２３】
ところでオペレータが番組を保管対象に指定した後、当該保管対象に指定された番組の番組構成表９５に新たなニユースビデオ素材が登録され、これにより送出が決定されていたニユースビデオ素材が送出未定の状態に変更される場合がある。この場合制御部は、オペレータがマウスを用いて番組構成表９５から送出未定に変更するニユースビデオ素材の行をクリツクし、没予備項目ボタン４８０をクリツクすると、当該クリツクされたニユースビデオ素材を番組構成表９５に表示した状態で送出未定の状態に変更し、かつ当該ニユースビデオ素材を保管対象として登録する。また制御部は、オペレータがマウスを用いて送出未定に変更するニユースビデオ素材の行をクリツクし、ＮＶ素材ボタン４８１をクリツクすると、当該クリツクされたニユースビデオ素材をプール素材リストに登録して送出未定の状態に変更し、かつ当該ニユースビデオ素材を保管対象から削除する。
【０７２４】
ここで保管対象に指定された番組の各ニユースビデオ素材のうち、特定のニユースビデオ素材をオペレータが保管対象に指定する場合には、当該オペレータがマウスを用いて素材一覧ボタン４８２をクリツクする。
【０７２５】
これにより制御部は、クリツクされた素材一覧ボタン４８２に基づいて番組構成表９５からニユースビデオ素材のみを抜き出して一覧表にした素材一覧ポツプアツプを選択し得る選択ポツプアツプ４８３を番組登録画面９５Ａに重ねて表示する。この状態において制御部は、オペレータがマウスを用いて選択ポツプアツプ４８３のＮＶボタン４８４をクリツクすると、当該選択ポツプアツプ４８３を閉じて番組登録画面９５Ａに素材一覧ポツプアツプを重ねて表示する。
【０７２６】
図８８に示すように、素材一覧ポツプアツプ４８５には、「項目No. ／項目名」欄４８７や、「構成No. ／構成名」欄４８８等に加えて保管対象に指定し得る「ＬＩＢ」欄４８９からなる素材一覧表４９０が設けられている。
【０７２７】
この場合制御部は、オペレータがマウスを用いて各「ＬＩＢ」欄４８９のうち、保管対象のニユースビデオ素材に対応する「ＬＩＢ」欄４８９をクリツクすると、当該クリツクされた「ＬＩＢ」欄４８９に丸印を表示するようにしてその行に対応するニユースビデオ素材が保管対象に指定されたことを表す。ただし制御部は、丸印を表示した「ＬＩＢ」欄４８９をオペレータが再びクリツクすると、当該丸印の表示を消して保管対象から外されたことを表す。このようにして制御部は、１つの番組構成表の各ニユースビデオ素材から、オペレータに特定のニユースビデオ素材を保管対象に指定させる。なお各ニユースビデオ素材がそれぞれ保管対象に指定されたか否かの保管情報は、番組構成フアイルに組み込んでＤＢサーバに登録する。
【０７２８】
実際上ニユースビデオ素材の保管は、オンエアサーバ管理端末によつて実行される。
【０７２９】
オンエアサーバ管理端末は、ＤＢサーバに記録されている保管情報に基づいて、番組の送出終了毎に当該送出の終了した番組が保管対象に指定されているか否かを判別する。これによりオンエアサーバ管理端末は、番組が保管対象に指定されているときには、この番組の保管対象に指定されている全て又は特定のニユースビデオ素材から例えばこれらが送出された順番に沿つて一本化リストを作成する。このようにしてオンエアサーバ管理端末は、作成した一本化リストをＤＢサーバに登録する。因みに一本化リストには、この後ライブラリにおいてニユースビデオ素材が一本化されて記録される記録媒体の識別番号又は識別文字等の識別情報が登録される。
【０７３０】
これに加えてオンエアサーバ管理端末は、一日の放送が終了して予め指定された記録開始時刻になると、ＤＢサーバから一本化リストを読み出して当該読み出した一本化リストに基づいてサーバ管理端末を介して機器制御部に素材管理命令を送出する。
【０７３１】
これにより機器制御部は、入力された素材管理命令に基づいてオンエアサーバ部及びライブラリを制御して、当該オンエアサーバ部から一本化リストに登録されている複数のニユースビデオ素材を当該登録されている順番に沿つて連続して読み出すようにして一本化すると共に、当該読み出して一本化した各ニユースビデオ素材をライブラリの記録媒体に記録する。またオンエアサーバ部は、記録が終了すると、当該記録に使用した一本化リストを印刷する。かくして保管対象の複数のニユースビデオ素材を、記録媒体に記録して保管することができる。
【０７３２】
因みに図８９に示すように、一本化されて記録媒体に記録された各ニユースビデオ素材は、その先頭にカラーバーや所定の文字情報等が格納された情報格納部を有し、当該情報格納部に続いて保管対象の例えばｎ個のニユースビデオ素材が連続して格納されたフオーマツトでなる。なお各ニユースビデオ素材は、それぞれオンエアサーバ部への収録時と同様の前カツト部と、プログラム（PROGRAM ）部と、ステカツト部とを有するフオーマツトでなる。また情報格納部のデータ量（データ長）は、予め設定された所定値でなる。
【０７３３】
ここで一本化されたニユースビデオ素材の情報格納部には、一本化リストに登録された記録媒体の認識情報が格納されている。これによりオペレータは、記録媒体に貼り付けたラベルに記載された識別情報（情報格納部に格納された識別情報と同じ識別情報）が比較的長い保管期間の経過後に識別不可能となつた場合でも、記録媒体に記録された情報格納部から当該記録媒体を識別し得るようになされている。
【０７３４】
（１６−２）一本化リストの編集
ところでオンエアサーバ管理端末では、一本化の対象に指定された各番組のそれぞれ送出終了後に自動で作成された一本化リストを、当該作成された一本化リストに基づいて実際にニユースビデオ素材が一本化されるまでの間に、当該オンエアサーバ管理端末の制御部がモニタに表示させる一本化リスト作成編集画面に基づいて編集し得るようになされている。
【０７３５】
この場合オンエアサーバ管理端末では、その制御部が一本化用のアプリケーシヨン・ソフトウエアを起動させることにより、モニタに一本化リスト作成編集画面を表示する。
【０７３６】
図９０に示すように、制御部は、モニタに一本化リスト作成編集画面４９５を表示した状態で、オペレータがマウスを用いて一本化ボタン４９６をクリツクすると、当該クリツクされた一本化ボタン４９６に基づいてＤＢサーバからオンエアサーバコントローラ端末を介して保管対象に指定され、かつ送出の終了した番組のうち、送出予定時刻の一番遅い番組の番組構成表を番組構成フアイルとして読み出すと共に、当該読み出した番組構成表に対応する一本化リストを読み出す。
【０７３７】
これにより制御部は、ＤＢサーバから読み出した番組構成表からニユースビデオ素材のみを抜き出して当該抜き出した各ニユースビデオ素材の各種情報をニユースビデオ素材表示部４９７のそれぞれ対応する「項目Ｎｏ．／項目名」欄４９８、「構成Ｎｏ．／素材名」欄４９９、「ＯＡ尺」欄５００、「収録尺」欄５０１及び「番組名」欄５０２等に表示すると共に、当該番組構成表４９７に対応する番組の番組名と、当該番組の送出予定時日時とを、それぞれ対応する番組名欄５０３と、送出日時欄５０４とに表示する。
【０７３８】
これに加えて制御部は、ＤＢサーバから読み出した一本化リストを、上述したニユースビデオ素材表示部４９７と同様の構成でなる一本化リスト表示部５０５に表示すると共に、当該一本化リストに対応するニユース番組の番組名、送出予定日、記録媒体の識別情報及び一本化リストに登録されたニユースビデオ素材の素材数等をそれぞれ対応する一本化リスト名欄５０６、送出日欄５０７、識別情報欄５０８及び素材数欄５０９等に表示する。なおニユースビデオ素材表示部４９７の右側及び下側と、一本化リスト表示部５０５の右側とには、それぞれスクロール操作部５１１及び５１２並びに５１３が設けられており、当該スクロール操作部５１１及び５１２並びに５１３によつてそれぞれ対応するニユース素材表示部４９７及び一本化リスト表示部５０５を所定方向にスクロールさせてモニタに表示しきれない部分を表示し得るようになされている。
【０７３９】
このような状態において制御部は、オペレータがマウスを用いて一本化リスト表示部５０５の削除対象の行をクリツクし（複数の行のクリツクでも良い）、この後一本化リスト表示部５０５の下側に設けられた削除ボタン５１５をクリツクすると、クリツクされた削除対象の行を一本化リストから削除して当該削除した行に対応するニユースビデオ素材を保管対象から外す。また制御部は、ニユースビデオ素材表示部４９７の挿入対象の行がクリツクされ（複数の行のクリツクでも良い）、この後挿入ボタン５１６がクリツクされてさらに一本化リスト表示部５０５の挿入先の行がクリツクされると、当該一本化リスト表示部５０５のクリツクされた挿入先の行の前にニユースビデオ素材表示部４９７においてクリツクされた挿入対象の行を挿入する。
【０７４０】
これに加えて制御部は、ニユースビデオ素材表示部４９７の追加対象の行がクリツクされ（複数の行のクリツクでも良い）、この後追加ボタン５１７がクリツクされてさらに一本化リスト表示部５０５の追加先の行がクリツクされると、当該一本化リスト表示５０５のクリツクされた行の後にニユースビデオ素材表示部４９７においてクリツクされた行を追加すると共に、一本化リスト表示部５０５の移動対象の行がクリツクされ、この後移動ボタン５１８がクリツクされてさらに一本化リスト表示部５０５の移動先の行がクリツクされると、当該クリツクされた移動先の行の後に移動対象の行を移動させる。
【０７４１】
このようにして制御部は、オペレータのクリツクする各種ボタンの操作内容に基づいて、一本化リストを編集し得るようになされている。なお制御部は、アンドウボタン５１９がクリツクされると、操作内容を１つ前の操作内容に戻すと共に、編集途中に何らかのエラーが発生すると、当該発生したエラーの内容をメツセージ欄５２０に表示する。なお上述した削除ボタン５１５や、挿入ボタン５１６等の各種操作ボタンは、マウスによるクリツクの指定に加えて、各種操作ボタンと共に表示されたＦ１〜Ｆ１２に対応するキーボードのフアンクシヨンキーによつても指定し得る。
【０７４２】
また制御部は、オペレータがマウスを用いてプール素材ボタン５２２（又は汎用素材ボタン５２３）をクリツクすると、当該クリツクされたプール素材ボタン５２２（又は汎用素材ボタン５２３）に基づいてＤＢサーバからオンエアサーバコントローラ端末を介してプール素材リスト（又は汎用素材リスト）を読み出す。これにより制御部は、ＤＢサーバから読み出したプール素材リスト（又は汎用素材リスト）の表す全てのプール素材（又は汎用素材）をニユースビデオ素材表示部４９７に表示し、かくしてオペレータにプール素材（又は汎用素材）を使用させて一本化リストを編集させることができるようになされている。
【０７４３】
このようにして制御部は、ニユースビデオ素材表示部４９７の上側に設けられた登録ボタン５２５又は一本化リスト表示部５０５の下側に設けられた登録ボタン５２６をオペレータが指定すると、編集された一本化リストをオンエアサーバコントローラ端末を介してＤＢサーバに送出し、当該ＤＢサーバに編集された一本化リストを登録する。この後オンエアサーバ管理端末は、予め指定された記録開始時刻になると、保管対象に指定された各ニユースビデオ素材を、ＤＢサーバに登録されている一本化リストに基づいて自動で一本化する。
【０７４４】
（１６−３）一本化リストの新規作成
オンエアサーバ管理端末では、予め保管対象に指定された番組の送出終了毎に自動で作成する一本化リストとは別に、一本化リスト作成編集画面４９５に基づいて一本化リストを新規に作成し得るようになされている。
【０７４５】
この場合オンエアサーバ管理端末の制御部は、一本化リスト作成編集画面４９５のリスト作成ボタン５３０をオペレータがマウスを用いてクリツクすると、当該一本化リスト作成編集画面４９５にリスト作成ポツプアツプを重ねて表示する。
【０７４６】
図９１に示すように、リスト作成ポツプアツプ５３２には、新規に作成される一本化リストの名称入力欄５３３と、当該新規に作成される一本化リストに基づいてニユースビデオ素材が記録される記録媒体の識別情報入力欄５３４とが設けられていると共に、一本化リストの新規の作成の実行を指定する実行ボタン５３５及び当該一本化リストの作成を取り消す取消しボタン５３６が設けられている。
【０７４７】
制御部は、モニタにリスト作成ポツプアツプ５３２を表示した状態で、オペレータがサムホイールスイツチ又はキーボード等を介して一本化リストの名称及び記録媒体の識別情報を入力し、この後マウスを用いて実行ボタン５３５をクリツクすると、当該リスト作成ポツプアツプ５３２を閉じて、一本化リスト表示部５０５を空白にすると共に、一本化リスト名欄５０６及び識別情報欄５０８にそれぞれリスト作成ポツプアツプ５３２を介して入力された新規の一本化リストの名称及び識別情報を表示する。
【０７４８】
これに加えて制御部は、オペレータが一本化リスト作成編集画面４９５の番組素材ボタンをクリツクすると、当該クリツクされた番組素材ボタンに基づいてＤＢサーバからオンエアサーバコントローラ端末を介して所定の番組構成表を番組構成フアイルとして読み出す。これにより制御部は、ＤＢサーバから読み出した番組構成フアイルに基づいてニユースビデオ素材表示部４９７に番組構成表のニユースビデオ素材を一覧表にして表示する。
【０７４９】
なお制御部は、オペレータが一本化リスト作成編集画面４９５の番組素材ボタンに替えて、プール素材ボタン５２２（又は汎用素材ボタン５２３）をクリツクすると、当該クリツクされたプール素材ボタン５２２（又は汎用素材ボタン５２３）に基づいてＤＢサーバからオンエアサーバコントローラ端末を介してプール素材リスト（又は汎用素材リスト）を読み出す。これにより制御部は、ＤＢサーバから読み出したプール素材リスト（又は汎用素材リスト）の表すプール素材（又は汎用素材）をニユースビデオ素材表示部４９７に表示する。
【０７５０】
このようにして制御部は、オペレータが上述した一本化リストの編集と同様にして削除ボタン５１５や挿入ボタン５１６等の各種操作ボタンを必要に応じて指定すると、当該指定された操作ボタンの操作内容に応じて、ニユースビデオ素材表示部４９７に表示した複数のニユースビデオ素材（オンエア素材、プール素材及び汎用素材）から新規に一本化リストを作成してこれを一本化リスト表示部５０５に表示する。なおこのときオンエアサーバ部に未収録のニユースビデオ素材は、一本化の対象から外れる。
【０７５１】
制御部は、オペレータが登録ボタン５２５又は５２６を指定すると、新規に作成した一本化リストをオンエアサーバコントローラ端末を介してＤＢサーバに送出して登録する、かくしてオンエアサーバ管理端末は、予め指定された記録開始時刻になると、保管対象に指定された各ニユースビデオ素材を、ＤＢサーバに登録されている一本化リスト（自動作成及び又は新規作成）に基づいてオンエアサーバ部から自動で再生して一本化し、当該再生したニユースビデオ素材を記録媒体に記録する。
【０７５２】
ここでオンエアサーバ管理端末では、予め指定された記録開始時刻に係わらずに、新規に作成した一本化リストに基づいて任意の時刻にニユースビデオ素材を保管し得るようになされている。
【０７５３】
すなわち図９２に示すように、オンエアサーバ管理端末の制御部は、新規に一本化リストが作成され、この後一本化リスト表示部５０５の下側に設けられた実行ボタンをオペレータがマウスを用いてクリツクすると、一本化リスト作成編集画面４９５に一本化実施ポツプアツプ５４０を重ねて表示する。この状態において制御部は、一本化実施ポツプアツプ５４０の実行ボタン５４１をオペレータがマウスを用いてクリツクすると、当該クリツクされた実行ボタン５４１に基づいてサーバ管理端末を介して機器制御部に素材管理命令を送出する。なお制御部は、一本化リスト作成編集画面４９５に一本化実施ポツプアツプ５４０を表示した状態で、実行ボタン５４１がクリツクされる前に取消しボタン５４２がクリツクされると、記録の実行を取り消す。
【０７５４】
これにより機器制御部は、入力された素材管理命令に基づいてオンエアサーバ部及びライブラリを制御する。この場合オンエアサーバ部は、一度スタンバイ状態となり、所定時間後にスタンバイ状態が終了すると、新規に作成された一本化リストに登録されている複数のニユースビデオ素材を当該登録されている順番に沿つて自動で連続して読み出してライブラリに送出する。
【０７５５】
ライブラリは、予め記録媒体が装填されており、当該装填された記録媒体を記録可能な状態にして待機している（例えば記録媒体がビデオテープの場合には、当該ビデオテープを頭出しして待機している）。この状態においてライブラリは、オンエアサーバ部が自動でニユースビデオ素材の再生を開始すると、入力される一本化されたニユースビデオ素材を自動で記録する。かくしてニユースビデオ素材の記録が終了するとオンエアサーバ部及びライブラリは、それぞれ自動で再生及び記録を終了する。
【０７５６】
オンエアサーバ管理端末の制御部は、新規に作成された一本化リストに基づいて記録が終了すると、一本化リスト作成編集画面４９５のニユースビデオ素材表示部４９７及び一本化リスト表示部５０５のそれぞれ「一本化」欄の表示を「未」から「済」に切り換えてオペレータに一本化が終了したことを知らせる。
【０７５７】
なお制御部は、一本化の実行途中に、一本化リスト作成編集画面４９５の中止ボタンをオペレータがクリツクすると、当該一本化を中止する。このとき制御部は、一本化の実行途中においてすでに記録媒体に記録されたニユースビデオ素材がある場合でも、一本化リスト表示部５０５の全ての「一本化」欄を「未」の表示にする。
【０７５８】
また制御部は、一本化の終了後に一本化リスト作成編集画面４９５の実行ボタンをオペレータがマウスを用いて再びクリツクすると、当該一本化リスト作成編集画面４９５に印刷実行ポツプアツプを重ねて表示する。
【０７５９】
図９３に示すように、制御部は、印刷実行ポツプアツプ５４５の実行ボタン５４６をオペレータがマウスを用いてクリツクすると、当該クリツクされた実行ボタン５４６に基づいて新規に作成された一本化リストを印刷する。また制御部は、印刷実行ポツプアツプ５４５の取消しボタン５４７をオペレータがマウスを用いてクリツクすると、一本化リストの印刷を取り消す。
【０７６０】
このようにしてオンエアサーバ管理端末の制御部は、新規に一本化リストを作成し得ると共に、当該作成して新規の一本化リストに基づいて対応するニユースビデオ素材を一本化し、かつ当該新規に作成した一本化リストを印刷し得るようになされている。
【０７６１】
（１６−４）動作及び効果
以上の構成において、ニユース番組制作送出装置では、番組の送出が開始されると、オンエアサーバ管理端末の制御部が、図９４に示す一本化リスト作成処理手順を開始してステツプＳＰ３００からステツプＳＰ３０１に進み、当該ステツプＳＰ３０１において番組の送出が終了したか否かを判断して否定結果を得ると、この後当該ステツプＳＰ３０１において肯定結果を得るまで当該ステツプＳＰ３０１を繰り返す。この後制御部は、ステツプＳＰ３０１において肯定結果を得ると、続くステツプＳＰ３０２に進み、送出の終了したニユース番組が保管対象に指定されているか否かを判断して否定結果を得るとステツプＳＰ３０１に戻り、この後ステツプＳＰ３０２において肯定結果が得られるまでステツプＳＰ３０１からステツプＳＰ３０２のループ（ＳＰ３０２−ＳＰ３０１−ＳＰ３０２）を繰り返す。
【０７６２】
この後制御部は、保管対象に指定された番組の送出が終了してステツプＳＰ３０２において肯定結果を得ると、続くステツプＳＰ３０３に進んで当該番組の複数のニユースビデオ素材（ＮＶ素材）が全て保管対象に指定されているか否かを判断して肯定結果を得ると、続くステツプＳＰ３０４に進んで当該番組の全てのニユースビデオ素材を抽出して、当該抽出した全てのニユースビデオ素材から一本化リストを作成する。また制御部は、ステツプＳＰ３０３において否定結果を得ると、ステツプＳＰ３０５に進んで番組の複数のニユースビデオ素材のうち、予め保管対象に指定されている特定のニユースビデオ素材のみを抽出して、当該抽出したニユースビデオ素材から一本化リストを作成する。続いて制御部は、ステツプＳＰ３０６に進んで、作成した一本化リストを一本化リストフアイルとしてオンエアサーバコントローラ端末を介してＤＢサーバに送出し、当該ＤＢサーバに一本化リストを登録する。
【０７６３】
このようにしてオンエアサーバ管理端末の制御部は、この後一日の放送が終了するまで一本化リスト作成処理手順を繰り返して、保管対象に指定された番組の送出が終了する毎に当該送出の終了した番組の保管対象に指定されたニユースビデオ素材から一本化リストを作成してこれをＤＢサーバに登録する。
【０７６４】
またニユース番組制作送出装置では、オンエアサーバ管理端末の制御部が、番組の送出が開始さると、図９５に示す一本化処理手順を開始してステツプＳＰ３１０からステツプＳＰ３１１に進み、当該ステツプＳＰ３１１において予め指定された記録開始時刻になつたか否かを判断して否定結果を得ると、この後当該ステツプＳＰ３１１において肯定結果を得るまで当該ステツプＳＰ３１１を繰り返す。この後制御部はステツプＳＰ３１１において肯定結果を得ると、続くステツプＳＰ３１２に進んで、ライブラリに記録媒体が装填されているか否かを判断する。ここで制御部は、ステツプＳＰ３１２において否定結果を得ると続くステツプＳＰ３１３に進んでモニタの一本化リスト作成編集画面４９５のメツセージ欄５２０に「記録媒体が未装填」とエラーメツセージを表示する。また制御部は、ステツプＳＰ３１２において、ライブラリに予め記録媒体が装填されていたり、又はこの後ライブラリに記録媒体が装填されると、肯定結果を得て続くステツプＳＰ３１４に進み、当該記録媒体に対して記録準備を行う（例えば記録媒体がビデオテープの場合には、当該ビデオテープを巻き戻す）。
【０７６５】
次いで制御部は、ステツプＳＰ３１５に進んで記録媒体の記録準備が終了したか否か（例えば記録媒体がビデオテープの場合には、当該ビデオテープの巻き戻しが完了したか否か）を判断して否定結果を得るとステツプＳＰ３１６に進んでモニタの一本化リスト作成編集画面４９５のメツセージ欄５２０に「記録準備エラー」（記録媒体がビデオテープの場合には「巻き戻しエラー」）とエラーメツセージを表示する。また制御部は、ステツプＳＰ３１５において、肯定結果を得ると続くステツプＳＰ３１７に進み、予め作成された一本化リストに基づいてオンエアサーバ部から保管対象に指定されたニユースビデオ素材を連続して再生させると共に、当該再生させて一本化したニユースビデオ素材をライブラリの記録媒体に記録する。
【０７６６】
続いて制御部は、ステツプＳＰ３１８に進んで保管対象のニユースビデオ素材の記録が全て終了したか否かを判断して否定結果を得るとステツプＳＰ３１９に進んでモニタの一本化リスト作成編集画面４９５のメツセージ欄５２０に「記録時にエラー発生」とエラーメツセージを表示する。また制御部は、ステツプＳＰ３１８において、肯定結果を得ると続くステツプＳＰ３２０に進み、オンエアサーバ部の再生を停止させると共に、ライブラリの記録を停止させる。
【０７６７】
次いで制御部は、ステツプＳＰ３２１に進んで記録の終了したニユースビデオ素材が登録された一本化リストを表す記録終了情報をオンエアサーバコントローラ端末を介してＤＢサーバに送出して、当該ＤＢサーバに記録の終了した一本化リストの情報を登録する。
【０７６８】
続いて制御部は、ステツプＳＰ３２２に進んでモニタの一本化リスト作成編集画面４９５のメツセージ欄５２０に表示したエラーメツセージを消し、この後ステツプＳＰ３２３進んでニユースビデオ素材の記録が正常に終了したか否かを判断して肯定結果を得ると続くステツプＳＰ３２４に進んで記録に使用した一本化リストを印刷する。また制御部は、ステツプＳＰ３２３において否定結果を得ると、ステツプＳＰ３２５に進んでニユースビデオ素材の記録時に発生したエラーを表すエラーリストを印刷する。このようにしてオンエアサーバ管理端末の制御部は、一日の放送が終了する毎に一本化処理手順を繰り返し一本化を実行する。
【０７６９】
この場合ニユース番組制作送出装置では、デスク端末において予めオペレータによつて指定された保管対象の番組及び保管対象のニユースビデオ素材並びに記録開始時刻から保管情報を生成してこれをＤＢサーバに登録しておき、オンエアサーバ管理端末において、ＤＢサーバから読み出した保管情報に基づいて送出終了した保管対象の番組の保管対象のニユースビデオ素材から自動で一本化リストを作成すると共に、記録開始時刻に一本化リストに基づいて自動でオンエアサーバ部から保管対象のニユースビデオ素材を連続して再生させてこれを一本化して記録媒体に記録すると共に、一本化リストを自動で印刷するようにしたことにより、従来の保管対象のニユースビデオ素材の記録時に行うような編集機やワードプロセツサ等を使用した比較的長い時間にわたる煩雑な作業を必要とぜずに、再び送出される可能性のあるニユースビデオ素材や、日々発生する何らかの事件等のように日々の歴史的な資料となり得るニユースビデオ素材のような保管対象のニユースビデオ素材を比較的短い時間で容易に記録し、かつ一本化リストを容易に作成して印刷することができる。
【０７７０】
またニユース番組制作送出装置では、一本化リストに記録媒体の識別情報を登録すると共に、当該識別情報を対応する記録媒体にニユースビデオ素材と共に記録するようにしたことにより、当該記録媒体をオペレータに容易に識別させることができる。
【０７７１】
さらにニユース番組制作送出装置では、オンエアサーバ管理端末において、すでに作成した一本化リストにプール素材リストが表すプール素材や、汎用素材リストが表す汎用素材等を組み込む等して当該一本化リストを編集し、又は番組構成表、プール素材リスト及び又は汎用素材リストがそれぞれ表すオンエア素材、プール素材及び又は汎用素材から新たな一本化リストを作成することができるようにしたことにより、ニユースビデオ素材の保管を日々の歴史的な資料として実行するのみならず、例えば地震等の天災が発生してから復興までや、何らかの大事件が発生してから解決するまでのように長期間にわたるようなことに関連するニユースビデオ素材をまとめて歴史的な資料として記録して保管することができる。
【０７７２】
以上の構成によれば、デスク端末において予めオペレータによつて指定された保管対象の番組及び保管対象のニユースビデオ素材並びに記録開始時刻から保管情報を生成してこれをＤＢサーバに登録しておき、オンエアサーバ管理端末において、ＤＢサーバから読み出した保管情報に基づいて送出終了した保管対象の番組の保管対象のニユースビデオ素材から自動で一本化リストを作成すると共に、保管の開始時刻に一本化リストに基づいて自動でオンエアサーバから保管対象のニユースビデオ素材を連続して再生させてこれを一本化して記録媒体に記録するようにしたことにより、再び送出される可能性のあるニユースビデオ素材や、日々発生する何らかの事件等のように歴史的な資料となり得るニユースビデオ素材のような保管対象のニユースビデオ素材を比較的短い時間で記録することができ、かくして送出の終了した保管対象の素材を容易に記録し得る番組制作送出装置を実現することができる。
【０７７３】
（１６−５）他の実施例
なお上述の実施例においては、一日の放送終了後の予め指定された記録開始時刻に保管対象のニユースビデオ素材の記録を開始するようにした場合について述べたが、本発明はこれに限らず、例えば１週間毎の放送終了後や、１つのニユース番組の放送終了後等のように、この他種々の期間毎に指定された時刻や、一本化実施ポツプアツプ５４０で実行ボタン５４１を指定した任意の時刻に保管対象のニユースビデオ素材の記録を開始するようにしても良い。
【０７７４】
また上述の実施例においては、保管対象のニユースビデオ素材をオンエアサーバ部に記録してから一本化リストを印刷するようにした場合について述べたが、本発明はこれに限らず、保管対象に指定された番組の送出終了後に一本化リストを作成した時点で当該一本化リストを印刷したり、任意の時点で一本化リストを印刷するようにしても良い。
【０７７５】
さらに上述の実施例においては、一本化リストの編集時、送出の終了した保管対象に指定された番組のうち、送出予定時刻の一番遅い番組に対応する一本化リストを編集するようにした場合について述べたが、本発明はこれに限らず、作成された複数の一本化リストから編集対象の一本化リストを選択して編集するようにしても良い。
【０７７６】
この場合図９６に示すように、例えばオンエアサーバ管理端末の制御部は、一本化リスト作成編集画面４９５のリスト表示ボタンがクリツクされると、当該一本化リスト作成編集画面４９５に一本化リスト一覧ポツプアツプ５５０を重ねて表示し、入力された放送日に自動で作成された一本化リスト及び新規に作成された一本化リストのうち、編集対象の一本化リストを、自動で作成された一本化リストの一覧でなる一本化番組リスト欄５５１及び新規に作成された一本化リストの一覧でなる一本化新規リスト欄５５２から編集対象の一本化リストをオペレータに選択させ、この後実行ボタン５５３がクリツクされると、当該選択された一本化リストを一本化リスト作成編集画面４９５の一本化リスト表示部５０５に表示して編集させる。
【０７７７】
さらに上述の実施例においては、オンエア素材、プール素材及び汎用素材から新規に一本化リストを作成するようにした場合について述べたが、本発明はこれに限らず、上述した図９６に示す一本化リスト一覧ポツプアツプ５５０から選択した自動又は新規に作成された一本化リストを一本化リスト作成編集画面４９５のニユースビデオ素材表示部４９７に表示させて、オンエア素材、プール素材及び汎用素材に一本化リストから保管対象のニユースビデオ素材を選択して当該選択されたニユースビデオ素材から新規に一本化リストを作成するようにしても良い。
【０７７８】
【発明の効果】
上述のように本発明によれば、各確定枠それぞれに確定枠を識別するための確定枠番号を付し、確定枠番号毎の項目放送時間における残時間を各確定枠と対応付けて番組構成一覧表内の所定位置に表示するようにしたことにより、確定枠内に項目を入力又は変更設定するときに、オペレータが番組構成一覧表に表示される確定枠を確定枠帯によつて目視確認し得ると共に、各確定枠内の項目放送時間の残時間も目視確認できるため、確定枠内の項目放送時間の合計の過不足を識別しながら確実に番組の項目の入力又は変更を設定し得、かくして番組制作及び番組送出の効率を一段と向上し得る番組構成表作成方法を実現し得る。
【図面の簡単な説明】
【図１】本発明による番組制作送出装置の一実施例を示す略線的ブロツク図である。
【図２】ニユース番組制作支援部の構成を示すブロツク図である。
【図３】マスタ室を中心とする接続を示すブロツク図である。
【図４】送出機器の制御の説明に供するブロツク図である。
【図５】番組表の説明に供する略線図である。
【図６】番組構成表の説明に供する略線図である。
【図７】番組構成表の作成の説明に供する略線図である。
【図８】番組構成表の作成の説明に供する略線図である。
【図９】キユーシート画面の説明に供する略線図である。
【図１０】番組表の作成手順を示すフローチヤートである。
【図１１】番組構成表によるアンタイム・コマーシヤルの設定の説明に供する略線図である。
【図１２】番組構成表によるアンタイム・コマーシヤルの設定の説明に供する略線図である。
【図１３】番組構成表によるアンタイム・コマーシヤルの設定の説明に供する略線図である。
【図１４】アンタイム・コマーシヤルの設定手順を示すフローチヤートである。
【図１５】番組構成表によるアンタイム・コマーシヤルの説明に供する略線図である。
【図１６】番組構成表による確定枠の設定の説明に供する略線図である。
【図１７】確定枠の設定手順を示すフローチヤートである。
【図１８】確定枠の設定手順を示すフローチヤートである。
【図１９】デスク端末の構成を示す略線図である。
【図２０】番組構成表作成の説明に供する略線図である。
【図２１】番組構成表作成の説明に供する略線図である。
【図２２】番組構成表の入力／変更手順を示すフローチヤートである。
【図２３】番組構成表の項目又は構成の入力／変更の説明に供する略線図である。
【図２４】番組構成表における「構成」毎の手動テイク運行又は自動テイク運行の表示状態を示す略線図である。
【図２５】キユーシートにおける「構成」毎の手動テイク運行又は自動テイク運行の表示状態を示す略線図である。
【図２６】構成時間の確定及び解除の手順を示すフローチヤートである。
【図２７】報道端末に表示される番組構成表の例を示す略線図である。
【図２８】ポツプアツプの表示例を示す略線図である。
【図２９】番組構成表上に重ねてポツプアツプを表示した状態を示す略線図である。
【図３０】番組構成表における項目時間及び構成時間の確定状態を示す略線図である。
【図３１】構成時間を確定してポツプアツプを閉じた番組構成表を示す略線図である。
【図３２】一部の構成時間を確定したキユーシートを示す略線図である。
【図３３】報道端末に表示される番組構成表の例を示す略線図である。
【図３４】構成の開始時刻を確定してポツプアツプを閉じた番組構成表を示す略線図である。
【図３５】一部の構成の開始時刻を確定したキユーシートを示す略線図である。
【図３６】開始時刻の確定手順を示すフローチヤートである。
【図３７】番組構成表上に重ねてポツプアツプを表示した状態を示す略線図である。
【図３８】キユーシート上の構成の順序変更の表示状態を示す略線図である。
【図３９】構成の順序変更手順を示すフローチヤートである。
【図４０】番組送出中のネクスト構成の変更例
【図４１】番組表によるリハーサルの設定の説明に供する略線図である。
【図４２】番組表によるリハーサルの設定の説明に供する略線図である。
【図４３】番組構成表によるリハーサルの設定の説明に供する略線図である。
【図４４】番組表によるリハーサル設定手順を示すフローチヤートである。
【図４５】番組構成表によるリハーサル設定手順を示すフローチヤートである。
【図４６】番組構成表によるリハーサル設定手順を示すフローチヤートである。
【図４７】勤務予定表の表示画面を示す略線図である。
【図４８】取材決定表の表示画面を示す略線図である。
【図４９】取材決定表の表示画面を示す略線図である。
【図５０】取材予定端末による入力情報処理手順を示すフローチヤートである。
【図５１】取材決定表の表示画面を示す略線図である。
【図５２】取材予定表の表示画面を示す略線図である。
【図５３】取材予定端末による入力情報処理手順を示すフローチヤートである。
【図５４】取材予定表の表示画面を示す略線図である。
【図５５】記者端末のモニタ上に表示される初期設定画面の内容を示す略線図である。
【図５６】記者端末のモニタ上に表示される原稿作成画面の内容を示す略線図である。
【図５７】原稿作成画面上に重なつて表示される全体情報に関するポツプアツプの内容を示す略線図である。
【図５８】オンエア原稿作成の処理手順を表すフローチヤートである。
【図５９】テープフオーマツトを示す略線図である。
【図６０】オンエアサーバ管理端末のモニタ上に表示される収録画面を示す略線図である。
【図６１】収録ボタンによるポツプアツプの内容を示す略線図である。
【図６２】ステータス表示部の表示を示す略線図である。
【図６３】エンドボタンによるポツプアツプの内容を示す略線図である。
【図６４】映像データをオンエアサーバに収録する処理手順を表すフローチヤートである。
【図６５】映像データをオンエアサーバに収録する処理手順を表すフローチヤートである。
【図６６】本発明によるニユース素材作成管理部の構成を示す略線的ブロツク図である。
【図６７】モニタ画面上における文字情報の表示形態を示す略線図である。
【図６８】収録操作におけるステータス画面の表示形態を示す略線図である。
【図６９】収録における番組制作装置の構成を示すフローチヤートである。
【図７０】オンエアサーバ管理端末における送出画面を示す略線図である。
【図７１】オンエアサーバ管理端末における送出画面を示す略線図である。
【図７２】送出操作におけるローカル送出リスト画面の表示形態を示す略線図である。
【図７３】送出操作におけるステータス画面の表示形態を示す略線図である。
【図７４】送出における番組制作装置の構成を示すフローチヤートである。
【図７５】送出操作における素材送り送出リスト画面の表示形態を示す略線図である。
【図７６】ニユースビデオ素材の収録の説明に供するブロツク図である。
【図７７】プール素材の収録時にオンエアサーバ管理端末のモニタに表示される収録画面の説明に供する略線図である。
【図７８】プール素材の収録時にモニタに表示されるプール素材入力ポツプアツプの説明に供する略線図である。
【図７９】番組構成表の編集時にデスク端末のモニタに表示される番組登録画面の説明に供する略線図である。
【図８０】素材選択ポツプアツプの説明に供する略線図である。
【図８１】プール素材一覧ポツプアツプが重ねて表示された番組登録画面の説明に供する略線図である。
【図８２】番組構成表が編集された番組登録画面の説明に供する略線図である。
【図８３】プール素材一覧ポツプアツプが重ねて表示されたキユーシート画面の説明に供する略線図である。
【図８４】キユーシート画面のキユーシートへのプール素材の構成の組み込みの説明に供する略線図である。
【図８５】プール素材収録処理手順を示すフローチヤートである。
【図８６】番組構成表編集処理手順を示すフローチヤートである。
【図８７】ニユースビデオ素材の保管における事前設定の説明に供する略線図である。
【図８８】素材一覧ポツプアツプを示す略線図である。
【図８９】一本化されて記録媒体に記録された複数のニユースビデオ素材のテープフオーマツトを示す略線図である。
【図９０】一本化リストの編集に使用する一本化リスト作成編集画面を示す略線図である。
【図９１】リスト作成ポツプアツプを示す略線図である。
【図９２】一本化実施ポツプアツプを示す略線図である。
【図９３】印刷実行ポツプアツプを示す略線図である。
【図９４】一本化リスト作成処理手順を示すフローチヤートである。
【図９５】一本化処理手順を示すフローチヤートである。
【図９６】他の実施例による一本化リストの編集に使用される一本化リスト一覧ポツプアツプを示す略線図である。
【符号の説明】
１……ニユース番組制作送出装置、２……ニユース番組制作支援部、３……ニユース素材作成管理部、４……マスタ室、５……送出機器制御部、６……支社／支局／クラブ端末、７……ＤＢサーバ、８……ＬＡＮ、９……オンエアサーバコントローラ端末、１０……勤務予定入力端末、１１……取材管理端末、１１Ａ……機材予定端末、１１Ｂ……取材予定端末、１１Ｃ……取材スタツフ端末、１２……ルータ、１３……専用回線、１４……ＴＡ、１５……記者端末、１６……公衆回線、１８……デスク端末、１８Ａ１〜１８Ａｎ……ワークステーシヨン、２０……リニア編集機、２１、２１Ａ、２Ｂ……ＶＴＲ、２２……オンエアサーバ部、２２Ａ……オンエアサーバ、２２Ｂ……第１のクレジツト書込装置、２２Ｃ……第２のクレジツト書込装置、２３……サーバ制御端末、２４……機器制御部、２５……オンエアサーバ管理端末、２６……ノンリニア編集機、３０……スイツチヤ／ミキサ、３１……送出機器制御端末、３２……機器制御部、３３……クロツク、３４……サブ内入力端末、３５……ＶＴＲ、３６……ＣＧ編集部、３７……送出機、３８……カメラ、３９……キユーシート端末、４０……ゲートウエイ、５１……制作部、５２……ＣＭバンク、５３……番組バンク、５５……トリガ、５６……ＣＭ送出装置、６０……番組表、６０Ａ……編集用の画面、６０Ｂ……表示部、６１、５０３……番組名欄、６２……番組開始時刻欄、６３……番組終了時刻欄、６４……放送時間欄、６５……番組番号欄、６６……運行モード欄、６７……デスク欄、６８……ローカル／ネツト欄、６９……「状況」欄、７０……ＣＧ欄、７１……「完パケ」欄、７２……設定ボタン、８０Ａ、８０Ｂ……メニユーバー、８１……勤務表選択ボタン、８２……取材予定表ボタン、８３……取材スタツフボタン、８４……原稿ボタン、８５……番組作成ボタン、８６……検索ボタン、８７……番組登録ボタン、８８……事前設定ボタン、９０……フアンクシヨンキーボタン、９１、９２……メツセージ欄、９５、１４５、１５５、４３８、４５４……番組構成表、９５Ａ……画面、９５Ｂ……表示部、９６……項目名欄、９７……項目番号欄、９７Ａ……「アンタイムＣＭ」、９７Ｂ……「ＣＭキユーカツト」、９８……「開始時刻／時間」欄、９９、９９Ｂ……構成時間欄、１００、４６０Ａ……映像欄、１０１……「Ｋｅｙ」欄、１０２……効果欄、１０３……音声欄、１０４……ＭＩＸ欄、１０５……スーパー欄、１０６、１５９……確定時刻告知欄、１０７……設定ボタン、１０７Ａ……取材項目ボタン、１０７Ｂ……ＣＭ−Ｑ指定ボタン、１０８……フアンクシヨンキーボタン、１１０……取材項目ポツプアツプ、１１０Ａ……「１．春便りマザー牧場」、１１１……構成パターンポツプアツプ、１１１Ａ……「３．カメラ＋ＮＶ」、１１２Ｂ……「３．春便りマザー牧場」、１１２Ｃ……「３．ＣＭキユーカツト」、１１２Ｄ……「４．ＣＭキユーカツト」、１１５……キユーシート画面、１２０……ＣＭ−Ｑポツプアツプ、１２１Ａ〜１２１Ｄ……時間設定ボタン、１２２……指定ボタン、１２３……解除ボタン、１２４、３０２、３１３……取消ボタン、１２６Ａ……「構成２」、１２６Ｂ……「構成１」、１２６Ｃ……「アンタイムＣＭ」、１３０……確定枠帯、１３０Ａ〜１３０Ｄ……確定枠帯、１３１……残時間ボタン、１３２……確定枠ポツプアツプ、１３３Ａ……「確定ＮＥＴ」、１３３Ｂ……「項目１」、１３３Ｃ……「項目２」、１３３Ｄ……「確定ＣＭ」、１３４……確定枠番組、１３５……確定枠欄、１３６……残時間欄、１４０Ａ……「ヘツドライン１」、１４１……ロツクボタン、１４６……確定ＤＵＲボタン、１４７……ポツプアツプ、１４８……指定ボタン、１４９……解除ボタン、１５０……取消ボタン、１５１……時間表示窓、１５２……時間調節ボタン、１５７……確定スタート記号、１５８、４６０……キユーシート、１５９……確定時刻告知欄、１６０……記号（ここでは矩形及びダイヤモンド形枠付き数字）、１６１……確定スタートボタン、１６２……設定用ポツプアツプ、１６３、４５２、４６３……閉ボタン、６６〜１７０、１７５及び１７６……素材マーク、１７１、１７２……矩形赤枠、１７３……ＮＥＸＴ指定ボタン、１７４……削除ボタン、１７７……項目一覧表、１７８、１７９……スクロールボタン、１８０……最後へボタン、１８１……入れ替えボタン、１８２、５１８……移動ボタン、１８３、５１９……アンドウボタン、１８８Ａ……番組「夕方のニユース」、１８９……リハーサル指定ボタン、１９０……リハーサル指定ボタン、１９２……リハーサルポツプアツプ、１９３……項目番号欄、１９４……開始時刻欄、１９６、３０１、３１２、５３５、５４１、５４６、５５３……実行ボタン、１９７……中止ボタン、２２０……初期設定画面、２２１……勤務表ボタン、２２２……取材予定ボタン、２２３……取材スタツフボタン、２２４……原稿ボタン、２２８……事前設定ボタン、２３０……原稿一覧、２３１……取材原稿一覧、２３１Ａ……項目欄、２３２……オンエア原稿一覧、２３４……「取材項目／タイトル」、２３５……「読み時間」、２３６……「取材原稿ＩＤ」、２３７……「項目No./オンエア項目」、２３８……「項目時間」、２３９……「読み時間」、２４０……「ＯＡ原稿ＩＤ」、２４５……原稿作成画面、２４６、２４７、２４８、２４９、２５０、３０３……表示欄、、２５１……原稿入力枠、２５１Ａ……「Ｆ１」キー、２５１Ｂ……「Ｆ２」キー、２５１Ｃ……「Ｆ４」キー、２５１Ｄ……「Ｆ５」キー、２５１Ｅ……「Ｆ７」キー、２５１Ｆ……「Ｆ８」キー、２５２……素材マーク入力欄、２５３……ポツプアツプ、２５４……構成ナンバ、２５５……構成時間、２５６、２５７……素材マーク、２５８……原稿入力欄、２５９……メツセージ欄、２６０……素材マーク入力欄、２６１……原稿入力欄、２６３……文字数欄、２６４……読み時間欄、２６５……登録ボタン、２６６……印刷ボタン、２６７……横指定ボタン、２６８……ルビボタン、２６９……全体情報ボタン、２７０……収録画面、２７０Ｍ、３０８、５２０、……メツセージ欄、２７１……収録ボタン、２７２……送出ボタン、２７３、４９６……一本化ボタン、２７４……素材管理ボタン、２７５……事前設定ボタン、２７６……番組表示部、２７７……送出予定日時表示部、２７８……番組素材ボタン、２７９、４４８、４４８Ａ、４５７、４５７Ａ、５２２……プー��素材ボタン、２８０……汎用素材ボタン、２８１、４３１、４９７……ニユースビデオ素材表示部、２８２、４８７、４９８……「項目No. ／項目名」欄、２８３、４８８、４９９……「構成No. ／素材名」欄、２８４、５００……「ＯＡ尺」欄、２８５……「画」欄、２８６、５０１……「収録尺」欄、２８７……「進捗」欄、２８８……「区分」欄、２８９……「一本化」欄、２９０……「ＩＤナンバ」欄、２９１……収録ボタン、２９２……ステータス表示部、２９３〜２９９……ステータス表示、３００……供給元選択ポツプアツプ、３０４……タイムコード欄、３０５、４３７……ＯＡ尺欄、３０６、４３６……素材名欄、３０７……スタンプ画枠、３０９……ストツプボタン、３１０……エンドボタン、３１１……収録中止ポツプアツプ、３２１……モニタ、３２７……表示欄、３２５……タイトル表示欄、３２３……タイムコード欄、３２４……ＯＡ尺欄、３２６……スタンプ画、３２８……ストツプボタン、３３０……送出画面、３３０Ａ……メツセージ欄、３３１……収録ボタン、３３２……送出ボタン、３３３……一本化ボタン、３３４……素材管理ボタン、３３５……事前設定ボタン、３３６……番組ボタン、３４１……項目表示欄、３４１Ｄ……「画」表示欄、３４１Ｆ……「進捗」表示欄、３４２……ローカル送出ボタン、３４３〜３４９……ステータス画面、３６０……ローカル送出リスト画面、３６１……起動ボタン、３６２……終了ボタン、３６３……送出欄、３６３Ａ……「ナンバ」表示欄、３６３Ｂ……「送出先」表示欄、３６３Ｃ……「素材名」表示欄、３６３Ｄ……「ＯＡ尺」表示欄、３６４Ｅ……「ＩＤナンバ」表示欄、３７０……送出先選択ポツプアツプ、３８５……タイムコード欄、３８６……ＯＡ尺欄、３８７……タイトル表示欄、３８８……スタンプ画枠、３８９……メツセージ欄、３９０……プレイ（ＰＬＡＹ）ボタン、３９１……ストツプ（ＳＴＯＰ）ボタン、３９２……エンド（ＥＮＤ）ボタン、４００……素材送り送出リスト画面、４０１……起動ボタン、４０２……終了ボタン、４０３……素材送り表示欄、４０３Ａ……「ナンバ」表示欄、４０３Ｂ……「送出先」表示欄、４０３Ｃ……「素材名」表示欄、４０３Ｄ……「ＯＡ尺」表示欄、４０３Ｅ……「ＩＤナンバ」表示欄、４１０……素材送り先一覧表、４１１……送り先覧、４３０……セレクタ、４３２……入力ボタン、４３５……プール素材入力ポツプアツプ、４３８Ａ、４５４Ａ……番組登録画面、４３９、４８１……ＮＶ素材ボタン、４４０……素材選択ポツプアツプ、４４１、４５５……プールボタン、４４２……汎用ボタン、４４３……オンエア素材ボタン、４４４……昨日ボタン、４４５……今日ボタン、４４６……放送日指定部、４４９、４５６……プール素材一覧ポツプアツプ、４５０、４６２……後追加ボタン、４５１、４６１……前挿入ボタン、４５７Ｂ……「土曜の丑」、４５８……プール一覧表、４５９……スクロール操作部、４８０……没予備項目ボタン、４８２……素材一覧ボタン、４８３……選択ポツプアツプ、４８４……ＮＶボタン、４８５……素材一覧ポツプアツプ、４８９……「ＬＩＢ」欄、４９０……素材一覧表、４９５……一本化リスト作成編集画面、５０２……「番組名」欄、５０４……送出日時欄、５０５……一本化リスト表示部、５０６……一本化リスト名欄、５０７……送出日欄、５０８……識別情報欄、５０９……素材数欄、５１１、５１２、５１３……スクロール操作部、５１５……削除ボタン、５１６……挿入ボタン、５１７……追加ボタン、５２３……汎用素材ボタン、５２５、５２６……登録ボタン、５３０……リスト作成ボタン、５３２……リスト作成ポツプアツプ、５３３……名称入力欄、５３４……識別情報入力欄、５３６、５４２、５４７……取消しボタン、５４０……一本化実施ポツプアツプ、５４５……印刷実行ポツプアツプ、５５０……一本化リスト一覧ポツプアツプ、５５１……一本化番組リスト欄、５５２……一本化新規リスト欄、Ｄ１……収録指示データ、Ｄ２……送出指示データ、Ｄ３……素材送りデータ、Ｃ１……キユーシートの番組データ、ＳＭ１……ＶＴＲ制御信号、ＳＭ２……第１のクレジツト書込装置制御信号、ＳＭ３……オンエアサーバ制御信号、ＳＭ４……オンエアサーバ制御信号、ＳＭ５……第２のクレジツト書込装置制御信号、ＳＭ６……オンエアサーバ制御信号、ＳＭ７……第２のクレジツト書込装置制御信号、ＳＶ０……映像／音声データ、ＳＶ２……映像／音声データ、Ｐ１、Ｐ２、Ｐ３……文字データ、ＳＶ１、ＳＶ２、ＳＶ４……映像／音声データ、ＤＳ２……機器制御データ、ＣＬ１……第１のクレジツトデータ、ＣＬ２……第２のクレジツトデータ、ＣＬ３……第３のクレジツトデータ、ＳＳ１……操作信号、ＳＧ１……制御信号、Ｒ１〜Ｒ４……回線。
【図１】
0004006656.tif 000002
【図２】
0004006656.tif 000003
【図３】
0004006656.tif 000004
【図４】
0004006656.tif 000005
【図５】
0004006656.tif 000006
【図６】
0004006656.tif 000007
【図７】
0004006656.tif 000008
【図８】
0004006656.tif 000009
【図９】
0004006656.tif 000010
【図１０】
0004006656.tif 000011
【図１１】
0004006656.tif 000012
【図１２】
0004006656.tif 000013
【図１３】
0004006656.tif 000014
【図１４】
0004006656.tif 000015
【図１５】
0004006656.tif 000016
【図１６】
0004006656.tif 000017
【図１７】
0004006656.tif 000018
【図１８】
0004006656.tif 000019
【図１９】
0004006656.tif 000020
【図２０】
0004006656.tif 000021
【図２１】
0004006656.tif 000022
【図２２】
0004006656.tif 000023
【図２３】
0004006656.tif 000024
【図２４】
0004006656.tif 000025
【図２５】
0004006656.tif 000026
【図２６】
0004006656.tif 000027
【図２７】
0004006656.tif 000028
【図２８】
0004006656.tif 000029
【図２９】
0004006656.tif 000030
【図３０】
0004006656.tif 000031
【図３１】
0004006656.tif 000032
【図３２】
0004006656.tif 000033
【図３３】
0004006656.tif 000034
【図３４】
0004006656.tif 000035
【図３５】
0004006656.tif 000036
【図３６】
0004006656.tif 000037
【図３７】
0004006656.tif 000038
【図３８】
0004006656.tif 000039
【図３９】
0004006656.tif 000040
【図４０】
0004006656.tif 000041
【図４１】
0004006656.tif 000042
【図４２】
0004006656.tif 000043
【図４３】
0004006656.tif 000044
【図４４】
0004006656.tif 000045
【図４５】
0004006656.tif 000046
【図４６】
0004006656.tif 000047
【図４７】
0004006656.tif 000048
【図４８】
0004006656.tif 000049
【図４９】
0004006656.tif 000050
【図５０】
0004006656.tif 000051
【図５１】
0004006656.tif 000052
【図５２】
0004006656.tif 000053
【図５３】
0004006656.tif 000054
【図５４】
0004006656.tif 000055
【図５５】
0004006656.tif 000056
【図５６】
0004006656.tif 000057
【図５７】
0004006656.tif 000058
【図５８】
0004006656.tif 000059
【図５９】
0004006656.tif 000060
【図６０】
0004006656.tif 000061
【図６１】
0004006656.tif 000062
【図６２】
0004006656.tif 000063
【図６３】
0004006656.tif 000064
【図６４】
0004006656.tif 000065
【図６５】
0004006656.tif 000066
【図６６】
0004006656.tif 000067
【図６７】
0004006656.tif 000068
【図６８】
0004006656.tif 000069
【図６９】
0004006656.tif 000070
【図７０】
0004006656.tif 000071
【図７１】
0004006656.tif 000072
【図７２】
0004006656.tif 000073
【図７３】
0004006656.tif 000074
【図７４】
0004006656.tif 000075
【図７５】
0004006656.tif 000076
【図７６】
0004006656.tif 000077
【図７７】
0004006656.tif 000078
【図７８】
0004006656.tif 000079
【図７９】
0004006656.tif 000080
【図８０】
0004006656.tif 000081
【図８１】
0004006656.tif 000082
【図８２】
0004006656.tif 000083
【図８３】
0004006656.tif 000084
【図８４】
0004006656.tif 000085
【図８５】
0004006656.tif 000086
【図８６】
0004006656.tif 000087
【図８７】
0004006656.tif 000088
【図８８】
0004006656.tif 000089
【図８９】
0004006656.tif 000090
【図９０】
0004006656.tif 000091
【図９１】
0004006656.tif 000092
【図９２】
0004006656.tif 000093
【図９３】
0004006656.tif 000094
【図９４】
0004006656.tif 000095
【図９５】
0004006656.tif 000096
【図９６】
0004006656.tif 000097